(57)【特許請求の範囲】
【請求項１】
ワイヤレス通信のための方法であって、
ユーザ機器（ＵＥ）において、免許不要無線周波数スペクトル帯域を通じて時分割複信（ＴＤＤ）構成の指示を受信することと、ここにおいて、前記ＴＤＤ構成の前記指示が、連続数のアップリンクサブフレームの指示を備える、
前記ＵＥによって、前記ＴＤＤ構成に従ってアップリンク期間に基づき前記免許不要無線周波数スペクトル帯域に対してクリアチャネルアセスメント（ＣＣＡ）を行うことと、
前記ＣＣＡが成功したときに、前記ＵＥによって、前記免許不要無線周波数スペクトル帯域を通じてプリアンブルを送信することと、前記プリアンブルは、前記成功したＣＣＡの後の、前記ＴＤＤ構成に従ったアップリンクサブフレームの開始を示す、
前記ＣＣＡが成功したときに前記ＴＤＤ構成に従って前記免許不要無線周波数スペクトル帯域を通じて前記ＵＥからアップリンクデータを送信することと
を備える方法。
【請求項２】
前記ＴＤＤ構成は、複数の半静的ＴＤＤ構成から選択された半静的ＴＤＤ構成を備え、
前記ＴＤＤ構成の前記指示は、前記半静的ＴＤＤ構成に関連付けられるインデックスを備える、請求項１に記載の方法。
【請求項３】
フレーム中に第１のＴＤＤ構成から第２のＴＤＤ構成に遷移すること
をさらに備え、
前記ＴＤＤ構成の前記指示は、前記フレームに関する前記第１のＴＤＤ構成と前記第２のＴＤＤ構成の両方を示す、請求項１に記載の方法。
【請求項４】
前記ＵＥは、第１のＵＥを備え、
前記ＣＣＡは拡張ＣＣＡ（ＥＣＣＡ）を備え、前記方法は、
前記第１のＵＥのための第１の擬似乱数生成器と第２のＵＥのための第２の擬似乱数生成器とを、前記アップリンク期間の初めに、前記第１のＵＥによって行われる前記ＥＣＣＡが前記第２のＵＥによって行われるＥＣＣＡと同期されるように、整合させることをさらに備える、請求項１に記載の方法。
【請求項５】
前記ＴＤＤ構成の前記指示は、免許不要無線周波数スペクトル帯域に関連付けられる許可をさらに備え、
前記許可に少なくとも部分的に基づいて、前記免許不要無線周波数スペクトル帯域を通じた通信のためのフレームにおけるいくつかのアップリンクサブフレームのタイミングを動的に決定すること
をさらに備え、
前記ＣＣＡを行うことは、前記いくつかのアップリンクサブフレームを含む前記アップリンク期間の初めに前記免許不要無線周波数スペクトル帯域に対してＣＣＡを行うことを備え、
前記アップリンクデータを送信することは、前記ＣＣＡが成功したときに前記いくつかのアップリンクサブフレームのうちの少なくとも１つに従って前記免許不要無線周波数スペクトル帯域を通じて前記ＵＥからアップリンクデータを送信することを備える、請求項１に記載の方法。
【請求項６】
前記フレームにおける複数のサブフレームの第１の部分は、ダウンリンク使用のために半静的に構成され、前記フレームにおける前記複数のサブフレームの残存部分は、前記許可に少なくとも部分的に基づいてアップリンク使用またはダウンリンク使用のために動的に構成される、
請求項５に記載の方法。
【請求項７】
前記許可は、第１のアップリンクサブフレームに関するアップリンク許可を備え、前記ＣＣＡは、前記第１のアップリンクサブフレームの開始過ぎまで成功せず、前記方法は、
前記アップリンク許可を第２のアップリンクサブフレームに関連付けること
をさらに備える、請求項５に記載の方法。
【請求項８】
ワイヤレス通信のための方法であって、
基地局によって、免許不要無線周波数スペクトル帯域に対して第１のクリアチャネルアセスメント（ＣＣＡ）を行うことと、
前記第１のＣＣＡが成功したときに、前記基地局によって、前記第１のＣＣＡに後続する期間に関して、前記免許不要無線周波数スペクトル帯域を通じて時分割複信（ＴＤＤ）構成の指示を送信することと、ここにおいて、前記ＴＤＤ構成の前記指示が、前記第１のＣＣＡに後続する連続数のダウンリンクサブフレームの指示、連続数のアップリンクサブフレームの指示、またはユーザ機器（ＵＥ）に対する許可のうちの少なくとも１つを備える、
前記基地局によって、前記第１のＣＣＡが成功したときに前記ＴＤＤ構成に従って前記免許不要無線周波数スペクトル帯域を通じてダウンリンクデータを送信することと、
前記基地局によって、ＵＥからプリアンブルを受信することと、前記プリアンブルは、前記ＵＥによる成功した第２のＣＣＡの後の、前記ＴＤＤ構成に従ったアップリンクサブフレームの開始を示す、
前記ＴＤＤに従って、前記免許不要無線周波数スペクトル帯域を通じて、前記ＵＥからアップリンクデータを受信することと、
を備える方法。
【請求項９】
前記ＴＤＤ構成を複数の所定の半静的ＴＤＤ構成から選択すること
をさらに備え、
前記ＴＤＤ構成の前記指示を送信することは、前記選択されたＴＤＤ構成に関連付けられるインデックスを送信することを備える、
請求項８に記載の方法。
【請求項１０】
前記免許不要無線周波数スペクトル帯域上で動作するように構成された少なくとも１つのｅｖｏｌｖｅｄ  Ｎｏｄｅ  Ｂ（ｅＮＢ）の送信タイミングを、前記免許不要無線周波数スペクトル帯域上で動作するように構成された少なくとも１つのユーザ機器（ＵＥ）のタイミングと周期的に同期させること
をさらに備える、請求項８に記載の方法。
【請求項１１】
前記同期させることは、直交周波数分割多重（ＯＦＤＭ）シンボル境界、スロット境界、またはサブフレーム境界のうちの１つまたは複数において生じる、請求項１０に記載の方法。
【請求項１２】
前記方法は、ＵＥに対する前記許可に少なくとも部分的に基づいて、前記第１のＣＣＡに後続する期間に関して、前記免許不要無線周波数スペクトル帯域を通じた通信のためのいくつかのアップリンクサブフレームのタイミングを動的に決定することをさらに備え、ここにおいて、前記ダウンリンクデータを送信することは、前記第１のＣＣＡが成功したときに前記いくつかのアップリンクサブフレームの前記タイミングに従って、前記免許不要無線周波数スペクトル帯域を通じてダウンリンクデータを送信することを備え、前記第１のＣＣＡに後続する前記期間における複数のサブフレームの第１の部分は、ダウンリンク使用のために半静的に構成され、前記第１のＣＣＡに後続する前記期間における前記複数のサブフレームの残存部分は、前記許可に少なくとも部分的に基づいてアップリンク使用またはダウンリンク使用のために動的に構成される、請求項８に記載の方法。
【請求項１３】
ワイヤレス通信のための装置であって、
免許不要無線周波数スペクトル帯域を通じて時分割複信（ＴＤＤ）構成の指示を受信するための手段と、ここにおいて、前記ＴＤＤ構成の前記指示が、連続数のアップリンクサブフレームの指示を備える、
前記ＴＤＤ構成に従ってアップリンク期間に基づき前記免許不要無線周波数スペクトル帯域に対してクリアチャネルアセスメント（ＣＣＡ）を行うための手段と、
前記ＣＣＡが成功したときに前記免許不要無線周波数スペクトル帯域を通じてプリアンブルを送信するための手段と、前記プリアンブルは、前記成功したＣＣＡの後の、前記ＴＤＤ構成に従ったアップリンクサブフレームの開始を示す、
前記ＣＣＡが成功したときに前記ＴＤＤ構成に従って前記免許不要無線周波数スペクトル帯域を通じてＵＥからアップリンクデータを送信するための手段と
を備える装置。
【請求項１４】
命令を備えるコンピュータプログラムであって、前記命令は、請求項１から７のうちのいずれかに従う方法を行うためにコンピュータによって実行可能である、コンピュータプログラム。
【請求項１５】
前記ＴＤＤ構成の前記指示は、フレームの第１のダウンリンクサブフレームにおいて前記免許不要無線周波数スペクトル帯域を通じて受信される、請求項１に記載の方法。
【請求項１６】
前記ＵＥの送信タイミングを、前記免許不要無線周波数スペクトル帯域上で動作するように構成されたｅｖｏｌｖｅｄ  Ｎｏｄｅ  Ｂ（ｅＮＢ）のタイミングと周期的に同期させること、
をさらに備える、請求項１に記載の方法。
【請求項１７】
前記ＴＤＤ構成の前記指示は、前記第１のＣＣＡに関連付けられるフレームの第１のダウンリンクサブフレームにおいて前記免許不要無線周波数スペクトル帯域を通じて送信される、請求項８に記載の方法。
【請求項１８】
前記第１のＣＣＡに関連付けられるフレーム中に第１のＴＤＤ構成から第２のＴＤＤ構成に遷移すること、
をさらに備え、
前記ＴＤＤ構成の前記指示は、前記第１のＴＤＤ構成と前記第２のＴＤＤ構成の両方を示す、請求項８に記載の方法。
【請求項１９】
前記ＵＥに対する前記許可に少なくとも部分的に基づいて、前記第１のＣＣＡに後続する期間に関して、前記免許不要無線周波数スペクトル帯域を通じた通信のためのいくつかのアップリンクサブフレームのタイミングを動的に決定すること
をさらに備え、
前記ダウンリンクデータを送信することは、前記第１のＣＣＡが成功したときに前記いくつかのアップリンクサブフレームの前記タイミングに従って前記免許不要無線周波数スペクトル帯域を通じてダウンリンクデータを送信することを備える、
請求項８に記載の方法。
【発明の詳細な説明】
【相互参照】
【０００１】
[0001]  本特許出願は、２０１５年５月２８日に出願された、「Ｔｅｃｈｎｉｑｕｅｓ  Ｆｏｒ  Ｍａｎａｇｉｎｇ  Ｔｒａｎｓｍｉｓｓｉｏｎｓ  ｏｆ  Ｕｐｌｉｎｋ  Ｄａｔａ  Ｏｖｅｒ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｄａｍｎｊａｎｏｖｉｃらによる米国特許出願第１４／７２３，７６５号、並びに２０１４年５月３０日に出願された、「Ｔｅｃｈｎｉｑｕｅｓ  Ｆｏｒ  Ｍａｎａｇｉｎｇ  Ｔｒａｎｓｍｉｓｓｉｏｎｓ  ｏｆ  Ｕｐｌｉｎｋ  Ｄａｔａ  Ｏｖｅｒ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｄａｍｎｊａｎｏｖｉｃらによる米国仮特許出願第６２／００５，４９５号の優先権を主張するもので、これらの各々は本出願の譲受人に譲渡されている。
【技術分野】
【０００２】
[0002]  本開示は、例えば、ワイヤレス通信システムに関し、より詳細には、免許不要無線周波数スペクトル帯域を通じたアップリンクデータの送信を管理するための技法に関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（例えば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]  例として、ワイヤレス多元接続通信システムは、各々が複数のユーザ機器（ＵＥ）のための通信を同時にサポートする、いくつかの基地局を含み得る。基地局は、（例えば、基地局からＵＥへの送信のために）ダウンリンクチャネル、および（例えば、ＵＥから基地局への送信のために）アップリンクチャネル上で、ＵＥと通信し得る。
【０００５】
[0005]  いくつかの通信モードは、セルラーネットワークの異なる無線周波数スペクトル帯域（例えば、免許無線周波数スペクトル帯域または免許不要無線周波数スペクトル帯域）を通じたＵＥとの通信を可能にし得る。免許無線周波数スペクトル帯域を使用するセルラーネットワークにおけるデータトラフィックの増加とともに、免許不要無線周波数スペクトル帯域への少なくとも一部のデータトラフィックのオフロードは、セルラー事業者にデータ送信容量の増強のための機会を与え得る。免許不要無線周波数スペクトル帯域にアクセスし、免許不要無線周波数スペクトル帯域を通じて通信する前に、送信装置は、いくつかの例では、免許不要無線周波数スペクトル帯域へのアクセスを争うために、リッスンビフォートーク（ＬＢＴ）手順を行い得る。ＬＢＴ手順は、免許不要無線周波数スペクトル帯域のチャネルが利用可能であるかどうかを決定するために、クリアチャネルアセスメント（ＣＣＡ）を行うことを含み得る。（例えば、別のデバイスが免許不要無線周波数スペクトル帯域のチャネルをすでに使用しているので）免許不要無線周波数スペクトル帯域のチャネルが利用可能ではないと決定されたとき、そのチャネルのためにＣＣＡが後で再び行われ得る。
【０００６】
[0006]  いくつかの場合、ある免許不要無線周波数スペクトル帯域を通じた１つまたは複数のノード（例えば、Ｗｉ−Ｆｉ（登録商標）ノードまたは他の事業者のノード）による送信が、基地局またはＵＥがその免許不要無線周波数スペクトルにアクセスするのを妨げ、基地局またはＵＥが免許不要無線周波数スペクトル帯域の使用に「飢える」ようになることがある。いくつかの場合、この飢餓の問題は、フレームベースの機器のために構成されたＬＢＴプロトコル（ＬＢＴ−ＦＢＥ：LBT protocol configured for frame based equipment）の代わりに、負荷ベースの機器のために構成されたＬＢＴプロトコル（ＬＢＴ−ＬＢＥ：LBT protocol configured for load based equipment）を使用することによって、軽減され得る。ＬＢＴ−ＬＢＥプロトコルでは、複数のＮ回のＣＣＡを含む拡張ＣＣＡ（ＥＣＣＡ）が行われ得る。ＬＢＴ−ＬＢＥプロトコルとともに行われるＥＣＣＡは、（例えば、ＬＢＴ−ＦＢＥプロトコルとともに行われる単一のＣＣＡと比較して）免許不要無線周波数スペクトル帯域にアクセスするためのよりよい機会を、基地局またはＵＥに与えることができる。
【発明の概要】
【０００７】
[0007]  本開示は、例えば、免許不要無線周波数スペクトル帯域を通じたアップリンクデータの送信を管理するための１つまたは複数の技法に関する。基地局、ｅＮＢ、またはＵＥが、免許不要無線周波数スペクトル帯域へのアクセスを争うためにＬＢＴ−ＬＢＥプロトコルを使用するとき、ＵＥが免許不要無線周波数スペクトル帯域を通じてアップリンクデータを送信することが可能になるかどうか、およびいつ可能になるかに関する不確実性があり得る。本明細書で開示される技法は、基地局、ｅＮＢ、またはＵＥが、いつＵＥがアップリンクデータを送信することになるかをよりよく管理することを可能にする。本技法は、いくつかの例では、キャリアアグリゲーションモードで免許不要無線周波数スペクトル帯域を通じて通信する二次的サービングセルおよびＵＥに適用可能である。
【０００８】
[0008]  説明のための例の第１のセットでは、ワイヤレス通信の別の方法が説明される。一構成では、本方法は、ユーザ機器（ＵＥ）において免許不要無線周波数スペクトル帯域を通じて時分割複信（ＴＤＤ）構成の指示を受信することと、ここにおいて、ＴＤＤ構成の指示が、連続数のダウンリンクサブフレームの指示、連続数のアップリンクサブフレームの指示、または免許不要無線周波数スペクトル帯域に関連付けられる許可のうちの少なくとも１つを備える、ＴＤＤ構成に従ってアップリンク期間の初めに免許不要無線周波数スペクトル帯域に対してクリアチャネルアセスメント（ＣＣＡ）を行うことと、ＣＣＡが成功したときにＴＤＤ構成に従って免許不要無線周波数スペクトル帯域を通じてＵＥからアップリンクデータを送信することとを含み得る。
【０００９】
[0009]  本方法のいくつかの例で、ＴＤＤ構成は、複数の半静的ＴＤＤ構成から選択された半静的ＴＤＤ構成を含み得る。これらの例で、ＴＤＤ構成の指示は、半静的ＴＤＤ構成に関連付けられるインデックスを含み得る。
【００１０】
[0010]  いくつかの例で、本方法は、フレーム中に第１のＴＤＤ構成から第２のＴＤＤ構成に遷移することを含み得る。これらの例で、ＴＤＤ構成の指示は、フレームに関する第１のＴＤＤ構成と第２のＴＤＤ構成の両方を示し得る。
【００１１】
[0011]  本方法のいくつかの例で、ＴＤＤ構成の指示は、フレームの第１のダウンリンクサブフレームにおいて免許不要無線周波数スペクトル帯域を通じて受信され得る。いくつかの例で、本方法は、ＵＥの送信タイミングを、免許不要無線周波数スペクトル帯域上で動作するように構成されたｅＮＢのタイミングと周期的に同期させることを含み得る。いくつかの例で、ＣＣＡはＥＣＣＡを含み得る。
【００１２】
[0012]  いくつかの例で、本方法は、ＣＣＡが成功したときに免許不要無線周波数スペクトル帯域を通じてプリアンブルを送信することを含み得る。プリアンブルは、ＴＤＤ構成に従ったアップリンクサブフレームの開始を示し得る。
【００１３】
[0013]  いくつかの例で、ＵＥは第１のＵＥであり得る。これらの例で、本方法は、第１のＵＥのための第１の擬似乱数生成器と第２のＵＥのための第２の擬似乱数生成器とを、アップリンク期間の初めに、第１のＵＥによって行われるＥＣＣＡが第２のＵＥによって行われるＥＣＣＡと同期されるように、整合させることを含み得る。
【００１４】
[0014]  いくつかの例で、少なくとも１つの許可は、アップリンク送信のためのサブフレームを示すアップリンク許可を含むことができ、ここにおいて、成功したＣＣＡは、ＣＣＡに後続する、許可によって示されたサブフレームの前のサブフレームがダウンリンクサブフレームであることを示す。
【００１５】
[0015]  いくつかの例で、本方法は、少なくとも１つの許可に少なくとも部分的に基づいて、免許不要無線周波数スペクトル帯域を通じた通信のためのフレームにおけるいくつかのアップリンクサブフレームのタイミングを動的に決定することを含むことができ、ここにおいて、ＣＣＡを行うことは、いくつかのアップリンクサブフレームを含むアップリンク期間の初めに免許不要無線周波数スペクトル帯域に対してＣＣＡを行うことを備え、ここにおいて、ＣＣＡが成功したときに、いくつかのアップリンクサブフレームのうちの少なくとも１つに従って免許不要無線周波数スペクトル帯域を通じてＵＥからアップリンクデータを送信する。
【００１６】
[0016]  本方法のいくつかの例で、フレームにおける複数のサブフレームの第１の部分は、ダウンリンク使用のために半静的に構成されてよく、フレームにおける複数のサブフレームの残存部分は、少なくとも１つの許可に少なくとも部分的に基づいてアップリンク使用またはダウンリンク使用のために動的に構成され得る。本方法のいくつかの例で、少なくとも１つの許可は、アップリンク許可、ダウンリンク許可、または両方を含み得る。いくつかの例で、本方法は、ＵＥの送信タイミングを、免許不要無線周波数スペクトル帯域上で動作するように構成されたｅＮＢのタイミングと周期的に同期させることを含み得る。本方法のいくつかの例で、ＣＣＡはＥＣＣＡを含み得る。
【００１７】
[0017]  本方法のいくつかの例では、少なくとも１つの許可は、第１のアップリンクサブフレームに関するアップリンク許可を含み得る。これらの例では、第１のアップリンクサブフレームの開始過ぎまでＣＣＡが成功しなかったときに、本方法は、アップリンク許可を第２のアップリンクサブフレームに関連付けることを含み得る。
【００１８】
[0018]  本方法のいくつかの例で、少なくとも１つの許可は、第１のアップリンクサブフレームに関するアップリンク許可を含み得る。これらの例で、第１のアップリンクサブフレームの開始過ぎまでＣＣＡが成功しなかったときに、本方法は、アップリンク許可が失効するのを可能にすることを含み得る。
【００１９】
[0019]  いくつかの例で、本方法は、ＣＣＡが成功したときに免許不要無線周波数スペクトル帯域を通じてプリアンブルを送信することを含み得る。プリアンブルは、いくつかのアップリンクサブフレームのタイミングに従ったアップリンクサブフレームの開始を示し得る。
【００２０】
[0020]  本方法のいくつかの例で、ＵＥは第１のＵＥであり得る。これらの例で、本方法は、第１のＵＥのための第１の擬似乱数生成器と第２のＵＥのための第２の擬似乱数生成器とを、アップリンク期間の初めに、第１のＵＥによって行われるＥＣＣＡが第２のＵＥによって行われるＥＣＣＡと同期されるように、整合させることを含み得る。
【００２１】
[0021]  説明のための例の第２のセットでは、ワイヤレス通信のための別の装置が説明される。一構成で、本装置は、ＵＥにおいて、免許不要無線周波数スペクトル帯域を通じてＴＤＤ構成の指示を受信するための手段と、ここにおいて、ＴＤＤ構成の指示が、連続数のダウンリンクサブフレームの指示、連続数のアップリンクサブフレームの指示、または免許不要無線周波数スペクトル帯域に関連付けられる許可のうちの少なくとも１つを備える、ＴＤＤ構成に従ってアップリンク期間の初めに免許不要無線周波数スペクトル帯域に対してＣＣＡを行うための手段と、ＣＣＡが成功したときにＴＤＤ構成に従って免許不要無線周波数スペクトル帯域を通じてＵＥからアップリンクデータを送信するための手段とを含み得る。いくつかの例で、本装置は、説明のための例の第５のセットに関して上で説明されたワイヤレス通信のための方法の１つまたは複数の態様を実装するための手段をさらに含み得る。
【００２２】
[0022]  説明のための例の第３のセットでは、ワイヤレス通信のための別の装置が説明される。一構成で、本装置は、プロセッサと、プロセッサと電子通信しているメモリと、メモリに記憶された命令とを含み得る。命令は、ＵＥにおいて、免許不要無線周波数スペクトル帯域を通じてＴＤＤ構成の指示を受信することと、ここにおいて、ＴＤＤ構成の指示が、連続数のダウンリンクサブフレームの指示、連続数のアップリンクサブフレームの指示、または免許不要無線周波数スペクトル帯域に関連付けられる許可のうちの少なくとも１つを備える、ＴＤＤ構成に従ってアップリンク期間の初めに免許不要無線周波数スペクトル帯域に対してＣＣＡを行うことと、ＣＣＡが成功したときにＴＤＤ構成に従って免許不要無線周波数スペクトル帯域を通じてＵＥからアップリンクデータを送信することとを行うようにプロセッサによって実行可能であり得る。いくつかの例で、命令はまた、説明のための例の第５のセットに関して上で説明されたワイヤレス通信のための方法の１つまたは複数の態様を実装するようにプロセッサによって実行可能であり得る。
【００２３】
[0023]  説明のための例の第４のセットでは、ワイヤレス通信システム中のワイヤレス通信装置による通信のための別のコンピュータプログラム製品が説明される。本コンピュータプログラム製品は、ＵＥにおいて、免許不要無線周波数スペクトル帯域を通じてＴＤＤ構成の指示を受信することと、ここにおいて、ＴＤＤ構成の指示が、連続数のダウンリンクサブフレームの指示、連続数のアップリンクサブフレームの指示、または免許不要無線周波数スペクトル帯域に関連付けられる許可のうちの少なくとも１つを備える、ＴＤＤ構成に従ってアップリンク期間の初めに免許不要無線周波数スペクトル帯域に対してＣＣＡを行うことと、ＣＣＡが成功したときにＴＤＤ構成に従って免許不要無線周波数スペクトル帯域を通じてＵＥからアップリンクデータを送信することとをワイヤレス通信装置に行わせるようにプロセッサによって実行可能な命令を記憶する非一時的コンピュータ可読媒体を含み得る。いくつかの例で、命令はまた、説明のための例の第５のセットに関して上で説明されたワイヤレス通信のための方法の１つまたは複数の態様をワイヤレス通信装置に実装させるようにプロセッサによって実行可能であり得る。
【００２４】
[0024]  説明のための例の第５のセットでは、ワイヤレス通信の方法が説明される。一構成で、本方法は、免許不要無線周波数スペクトル帯域に対してＣＣＡを行うことと、ＣＣＡに後続する期間に関して、ＣＣＡが成功したときに免許不要無線周波数スペクトル帯域を通じて時分割複信（ＴＤＤ）構成の指示を送信することと、ＣＣＡが成功したときにＴＤＤ構成に従って免許不要無線周波数スペクトル帯域を通じてダウンリンクデータを送信することとを含み得る。
【００２５】
[0025]  いくつかの例で、ＴＤＤ構成の指示は、ＣＣＡに後続する連続数のダウンリンクサブフレームおよび連続数のアップリンクサブフレームの指示、またはユーザ機器に対する少なくとも１つの許可のうちの少なくとも１つである。
【００２６】
[0026]  いくつかの例で、本方法は、ＴＤＤ構成を複数の所定の半静的ＴＤＤ構成から選択することを含み得る。これらの例で、ＴＤＤ構成の指示を送信することは、選択されたＴＤＤ構成に関連付けられるインデックスを送信することを含み得る。
【００２７】
[0027]  いくつかの例で、本方法は、ＣＣＡに関連付けられるフレーム中に第１のＴＤＤ構成から第２のＴＤＤ構成に遷移することを含み得る。これらの例で、ＴＤＤ構成の指示は、第１のＴＤＤ構成と第２のＴＤＤ構成の両方を示し得る。
【００２８】
[0028]  本方法のいくつかの例で、ＴＤＤ構成の指示は、ＣＣＡに関連付けられるフレームの第１のダウンリンクサブフレームにおいて免許不要無線周波数スペクトル帯域を通じて送信され得る。本方法のいくつかの例で、ＴＤＤ構成の指示は、ＣＣＡに後続する連続数のダウンリンクサブフレームおよび連続数のアップリンクサブフレームの指示を含み得る。本方法のいくつかの例で、ＣＣＡは拡張ＣＣＡ（ＥＣＣＡ）を含み得る。
【００２９】
[0029]  いくつかの例で、本方法は、ＵＥからプリアンブルを受信することを含み得る。プリアンブルは、ＴＤＤ構成に従ったアップリンクサブフレームの開始を示し得る。
【００３０】
[0030]  いくつかの例で、本方法は、免許不要無線周波数スペクトル帯域上で動作するように構成された少なくとも１つのｅＮＢの送信タイミングを、免許不要無線周波数スペクトル帯域上で動作するように構成された少なくとも１つのＵＥのタイミングと周期的に同期させることを含み得る。いくつかの例で、同期させることは、ＯＦＤＭシンボル境界、スロット境界、またはサブフレーム境界のうちの１つまたは複数において生じ得る。
【００３１】
[0031]  いくつかの例で、少なくとも１つの許可は、アップリンク送信のためのサブフレームを示すアップリンク許可を含むことができ、ここにおいて、成功したＣＣＡは、ＣＣＡに後続する、許可によって示されたサブフレームの前のサブフレームがダウンリンクサブフレームであることを示す。
【００３２】
[0032]  いくつかの例で、本方法は、ＵＥに対する少なくとも１つの許可に少なくとも部分的に基づいて、ＣＣＡに後続する期間に関して、免許不要無線周波数スペクトル帯域を通じた通信のためのいくつかのアップリンクサブフレームのタイミングを動的に決定することを含むことができ、ここにおいて、ＣＣＡが成功したときにいくつかのアップリンクサブフレームのタイミングに従って免許不要無線周波数スペクトル帯域を通じてダウンリンクデータを送信する。
【００３３】
[0033]  本方法のいくつかの例で、ＣＣＡに後続する期間における複数のサブフレームの第１の部分は、ダウンリンク使用のために半静的に構成されてよく、ＣＣＡに後続する期間における複数のサブフレームの残存部分は、少なくとも１つの許可に少なくとも部分的に基づいてアップリンク使用またはダウンリンク使用のために動的に構成され得る。本方法のいくつかの例で、少なくとも１つの許可は、アップリンク許可、ダウンリンク許可、または両方を含み得る。
【００３４】
[0034]  いくつかの例で、本方法は、ＵＥからプリアンブルを受信することを含み得る。プリアンブルは、ＣＣＡに後続する期間中のアップリンクサブフレームの開始を示し得る。本方法のいくつかの例で、ＣＣＡはＥＣＣＡを含み得る。
【００３５】
[0035]  いくつかの例で、本方法は、免許不要無線周波数スペクトル帯域上で動作するように構成された少なくとも１つのｅＮＢのタイミングを、免許不要無線周波数スペクトル帯域上で動作するように構成された少なくとも１つのＵＥのタイミングと周期的に同期させることを含み得る。いくつかの例で、同期させることは、ＯＦＤＭシンボル境界、スロット境界、またはサブフレーム境界のうちの１つまたは複数において生じ得る。
【００３６】
[0036]  説明のための例の第６のセットでは、ワイヤレス通信のための装置が説明される。一構成で、本装置は、免許不要無線周波数スペクトル帯域に対してＣＣＡを行うための手段と、ＣＣＡが成功したときに免許不要無線周波数スペクトル帯域を通じてＴＤＤ構成の指示を送信するための手段と、ＣＣＡが成功したときにＴＤＤ構成に従って免許不要無線周波数スペクトル帯域を通じてダウンリンクデータを送信するための手段とを含み得る。いくつかの例で、本装置は、説明のための例の第１のセットに関して上で説明されたワイヤレス通信のための方法の１つまたは複数の態様を実装するための手段をさらに含み得る。
【００３７】
[0037]  説明のための例の第７のセットでは、ワイヤレス通信のための別の装置が説明される。一構成で、本装置は、プロセッサと、プロセッサと電子通信しているメモリと、メモリに記憶された命令とを含み得る。命令は、免許不要無線周波数スペクトル帯域に対してＣＣＡを行うことと、ＣＣＡが成功したときに免許不要無線周波数スペクトル帯域を通じてＴＤＤ構成の指示を送信することと、ＣＣＡが成功したときにＴＤＤ構成に従って免許不要無線周波数スペクトル帯域を通じてダウンリンクデータを送信することとを行うようにプロセッサによって実行可能であり得る。いくつかの例で、命令はまた、説明のための例の第１のセットに関して上で説明されたワイヤレス通信のための方法の１つまたは複数の態様を実装するようにプロセッサによって実行可能であり得る。
【００３８】
[0038]  説明のための例の第８のセットでは、ワイヤレス通信システム中のワイヤレス通信装置による通信のためのコンピュータプログラム製品が説明される。本コンピュータプログラム製品は、免許不要無線周波数スペクトル帯域に対してＣＣＡを行うことと、ＣＣＡが成功したときに免許不要無線周波数スペクトル帯域を通じてＴＤＤ構成の指示を送信することと、ＣＣＡが成功したときにＴＤＤ構成に従って免許不要無線周波数スペクトル帯域を通じてダウンリンクデータを送信することとをワイヤレス通信装置に行わせるようにプロセッサによって実行可能な命令を記憶する非一時的コンピュータ可読媒体を含み得る。いくつかの例で、命令はまた、説明のための例の第１のセットに関して上で説明されたワイヤレス通信のための方法の１つまたは複数の態様をワイヤレス通信装置に実装させるようにプロセッサによって実行可能であり得る。
【００３９】
[0039]  説明のための例の第９のセットでは、ワイヤレス通信の別の方法が説明される。一例で、本方法は、クリアチャネルアセスメント（ＣＣＡ）に後続する期間に関して第１の基地局において、第２の基地局から免許不要無線周波数スペクトル帯域を通じて時分割複信（ＴＤＤ）構成の指示を受信することと、ここにおいて、ＴＤＤ構成の指示が、ＣＣＡに後続する連続数のダウンリンクサブフレームおよび連続数のアップリンクサブフレームの指示、または免許不要無線周波数スペクトル帯域に関連付けられる少なくとも１つの許可のうちの少なくとも１つである、アップリンクサブフレームの送信中に免許不要無線周波数スペクトル帯域にアクセスするのを控えることとを含み得る。免許不要無線周波数スペクトル帯域にアクセスするのを控えることは、ＴＤＤ構成に少なくとも部分的に基づいてＣＣＡを行うのを控えることを含み得る。
【００４０】
[0040]  いくつかの例で、本方法は、少なくとも１つまたは複数の許可を復号することと、少なくとも１つの許可に少なくとも部分的に基づいて、免許不要無線周波数スペクトル帯域を通じた通信のためのフレームにおけるいくつかのアップリンクサブフレームのタイミングを動的に決定することとを含み得る。いくつかの例で、少なくとも１つの許可は、アップリンク許可、ダウンリンク許可、または両方を含み得る。
【００４１】
[0041]  説明のための例の第１０のセットでは、ワイヤレス通信のための別の装置が説明される。一構成で、本装置は、第１の基地局において、第２の基地局から免許不要無線周波数スペクトル帯域を通じて時分割複信（ＴＤＤ）構成の指示を受信するための手段と、ここにおいて、ＴＤＤ構成の指示が、ＣＣＡに後続する連続数のダウンリンクサブフレームおよび連続数のアップリンクサブフレームの指示、または免許不要無線周波数スペクトル帯域に関連付けられる少なくとも１つの許可のうちの少なくとも１つである、アップリンクサブフレームの送信中に免許不要無線周波数スペクトル帯域にアクセスするのを控えるための手段とを含み得る。
【００４２】
[0042]  説明のための例の第１１のセットでは、ワイヤレス通信のための別の装置が説明される。一構成で、本装置は、プロセッサと、プロセッサと電子通信しているメモリと、メモリに記憶された命令とを含み得る。命令は、第１の基地局において、第２の基地局から免許不要無線周波数スペクトル帯域を通じて時分割複信（ＴＤＤ）構成の指示を受信することと、ここにおいて、ＴＤＤ構成の指示が、ＣＣＡに後続する連続数のダウンリンクサブフレームおよび連続数のアップリンクサブフレームの指示、または免許不要無線周波数スペクトル帯域に関連付けられる少なくとも１つの許可のうちの少なくとも１つである、アップリンクサブフレームの送信中に免許不要無線周波数スペクトル帯域にアクセスするのを控えることとを行うようにプロセッサによって実行可能であり得る。
【００４３】
[0043]  説明のための例の第１２のセットでは、ワイヤレス通信システム中のワイヤレス通信装置による通信のための別のコンピュータプログラム製品が説明される。本コンピュータプログラム製品は、第１の基地局において、第２の基地局から免許不要無線周波数スペクトル帯域を通じて時分割複信（ＴＤＤ）構成の指示を受信することと、ここにおいて、ＴＤＤ構成の指示が、ＣＣＡに後続する連続数のダウンリンクサブフレームおよび連続数のアップリンクサブフレームの指示、または免許不要無線周波数スペクトル帯域に関連付けられる少なくとも１つの許可のうちの少なくとも１つである、アップリンクサブフレームの送信中に免許不要無線周波数スペクトル帯域にアクセスするのを控えることとをワイヤレス通信装置に行わせるようにプロセッサによって実行可能な命令を記憶する非一時的コンピュータ可読媒体を含み得る。
【００４４】
[0044]  上では、以下の発明を実施するための形態がよりよく理解され得るように、本開示による例の特徴および技術的利点をやや広く概説した。追加の特徴および利点が以下で説明される。開示される概念および具体例は、本開示の同じ目的を行うための他の構造を変更または設計するための基礎として容易に利用され得る。そのような等価な構成は、添付の特許請求の範囲の趣旨および範囲から逸脱しない。関連する利点とともに、本明細書で開示される概念の編成と動作の方法の両方に関して、それらの概念を特徴づけると考えられる特徴は、添付の図に関連して以下の説明を検討するとよりよく理解されよう。各図は、例示および説明のみのために与えられものであり、特許請求の範囲の限定の定義として与えられるものではない。
【００４５】
[0045]  本発明の性質と利点とについてのさらなる理解は、以下の図面を参照することによって達成され得る。添付の図において、同様の構成要素または特徴は同じ参照ラベルを有し得る。さらに、同じタイプの様々な構成要素は、参照ラベルの後、ダッシュと、同様の構成要素の間を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００４６】
【図１】本開示の様々な態様による、ワイヤレス通信システムのブロック図である。
【図２】本開示の様々な態様による、免許不要無線周波数スペクトル帯域を使用する様々な状況の下でＬＴＥ（登録商標）／ＬＴＥ−Ａが展開されるワイヤレス通信システムを示す図である。
【図３】本開示の様々な態様による、免許不要無線周波数スペクトル帯域におけるセルラーダウンリンクのためのゲーティング間隔（またはＬＢＴ無線フレーム）の例を示す図である。
【図４】本開示の様々な態様による、免許不要無線周波数スペクトル帯域を通じたワイヤレス通信の例を示す図である。
【図５】本開示の様々な態様による、免許不要無線周波数スペクトル帯域を通じたワイヤレス通信の例を示す図である。
【図６】本開示の様々な態様による、免許不要無線周波数スペクトル帯域を通じて送信されるＬＢＴ無線フレームにおけるＬＴＥ／ＬＴＥ−Ａ通信に使用され得る７つのＴＤＤ構成を示す図である。
【図７】本開示の様々な態様による、免許不要無線周波数スペクトル帯域における同期する事業者のＣＣＡ免除送信（ＣＥＴ）のためのリソース割振りの例を示す図である。
【図８】本開示の様々な態様による、免許不要無線周波数スペクトル帯域を通じたワイヤレス通信のタイミング図である。
【図９】本開示の様々な態様による、免許不要無線周波数スペクトル帯域に関連付けられる基準の境界と第２の信号の開始点を揃えるように、免許不要無線周波数スペクトル帯域においてＬＢＴ−ＬＢＥモードで動作している間に第１の信号がどのように送信され得るかの例を示す図である。
【図１０】本開示の様々な態様による、基地局（例えば、ｅＮＢの一部を形成する基地局）とＵＥとの間のメッセージフローを示す図である。
【図１１】本開示の様々な態様による、基地局（例えば、ｅＮＢの一部を形成する基地局）とＵＥとの間のメッセージフローを示す図である。
【図１２】本開示の様々な態様による、免許不要無線周波数スペクトル帯域を通じた様々な送信の例を示す図である。
【図１３】本開示の様々な態様による、免許不要無線周波数スペクトル帯域を通じた様々な送信の例を示す図である。
【図１４】本開示の様々な態様による、免許不要無線周波数スペクトル帯域を通じた様々な送信の例を示す図である。
【図１５】本開示の様々な態様による、免許不要無線周波数スペクトル帯域を通じた様々な送信の例を示す図である。
【図１６】本開示の様々な態様による、免許不要無線周波数スペクトル帯域を通じた様々な送信の例を示す図である。
【図１７】本開示の様々な態様による、免許不要無線周波数スペクトル帯域を通じた様々な送信の例を示す図である。
【図１８】本開示の様々な態様による、ワイヤレス通信において使用するための装置のブロック図である。
【図１９】本開示の様々な態様による、ワイヤレス通信において使用するための装置のブロック図である。
【図２０】本開示の様々な態様による、ワイヤレス通信において使用するための装置のブロック図である。
【図２１】本開示の様々な態様による、ワイヤレス通信において使用するための装置のブロック図である。
【図２２】本開示の様々な態様による、ワイヤレス通信において使用するための装置のブロック図である。
【図２３】本開示の様々な態様による、ワイヤレス通信において使用するための装置のブロック図である。
【図２４】本開示の様々な態様による、ワイヤレス通信において使用するための装置のブロック図である。
【図２５】本開示の様々な態様による、ワイヤレス通信において使用するための装置のブロック図である。
【図２６】本開示の様々な態様による、ワイヤレス通信において使用するための基地局（例えば、ｅＮＢの一部または全てを形成する基地局）のブロック図である。
【図２７】本開示の様々な態様による、ワイヤレス通信において使用するためのＵＥのブロック図である。
【図２８】本開示の様々な態様による、ワイヤレス通信のための方法の例を示すフローチャートである。
【図２９】本開示の様々な態様による、ワイヤレス通信のための方法の例を示すフローチャートである。
【図３０】本開示の様々な態様による、ワイヤレス通信のための方法の例を示すフローチャートである。
【図３１】本開示の様々な態様による、ワイヤレス通信のための方法の例を示すフローチャートである。
【図３２】本開示の様々な態様による、ワイヤレス通信のための方法の例を示すフローチャートである。
【図３３】本開示の様々な態様による、ワイヤレス通信のための方法の例を示すフローチャートである。
【図３４】本開示の様々な態様による、ワイヤレス通信のための方法の例を示すフローチャートである。
【図３５】本開示の様々な態様による、ワイヤレス通信のための方法の例を示すフローチャートである。
【発明を実施するための形態】
【００４７】
[0081]  免許不要無線周波数スペクトル帯域を通じたアップリンクデータの送信が管理される技法が説明される。いくつかの例で、免許不要無線周波数スペクトル帯域は、セルラー通信（例えば、Ｌｏｎｇ  Ｔｅｒｍ  Ｅｖｏｌｕｔｉｏｎ（ＬＴＥ）通信またはＬＴＥ−Ａｄｖａｎｃｅｄ（ＬＴＥ−Ａ）通信）のために使用され得る。いくつかの例で、免許不要無線周波数スペクトル帯域は、免許不要の用途（例えば、免許不要無線周波数スペクトル帯域におけるＷｉ−Ｆｉ用途またはＬＴＥ／ＬＴＥ−Ａ用途）に少なくとも部分的に利用可能であるので装置がアクセスを争う必要があり得る無線周波数スペクトル帯域であり得る。
【００４８】
[0082]  免許無線周波数スペクトル帯域を使用するセルラーネットワークにおけるデータトラフィックの増加とともに、免許不要無線周波数スペクトル帯域への少なくとも一部のデータトラフィックのオフロードは、セルラー事業者（例えば、公衆陸上移動体ネットワーク（ＰＬＭＮ）またはＬＴＥ／ＬＴＥ−Ａネットワークのようなセルラーネットワークを定義する基地局の協調させられたセットの事業者）にデータ送信容量の増強のための機会を与え得る。免許不要無線周波数スペクトル帯域にアクセスし、免許不要無線周波数スペクトル帯域を通じて通信する前に、送信装置は、いくつかの例で、免許不要無線周波数スペクトル帯域にアクセスするために、ＬＢＴ手順を行い得る。そのようなＬＢＴ手順は、免許不要無線周波数スペクトル帯域のチャネルが利用可能であるかどうかを決定するために、ＣＣＡ（例えば、ＥＣＣＡ）を行うことを含み得る。チャネルが利用可能ではないと決定されたとき、そのチャネルのためにＣＣＡ（またはＥＣＣＡ）が後で再び行われ得る。
【００４９】
[0083]  基地局、ｅＮＢ、またはＵＥが、免許不要無線周波数スペクトル帯域へのアクセスを争うためにＬＢＴ−ＬＢＥプロトコルを使用するとき、ＵＥが免許不要無線周波数スペクトル帯域を通じてアップリンクデータを送信することが可能になるかどうか、およびいつ可能になるかに関する不確実性があり得る。本明細書で開示される技法は、基地局、ｅＮＢ、またはＵＥが、いつＵＥがアップリンクデータを送信することになるかをよりよく管理することを可能にする。本技法は、いくつかの例で、キャリアアグリゲーションモードで免許不要無線周波数スペクトル帯域を通じて通信する二次的サービングセルおよびＵＥに適用可能である。
【００５０】
[0084]  本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５およびＩＳ−８５６規格をカバーする。ＩＳ−２０００  Ｒｅｌｅａｓｅ０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、広帯域ＣＤＭＡ（ＷＣＤＭＡ（登録商標））とＣＤＭＡの他の変形とを含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭＡ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ（登録商標）  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２）と称する組織からの文書に記載されている。本明細書で説明される技法は、上述のシステムおよび無線技術、並びに他のシステムおよび無線技術のために使用され得る。しかしながら、以下の説明では、例としてＬＴＥシステムについて説明し、以下の説明の大部分でＬＴＥ用語が使用されるが、本技法はＬＴＥ適用例以外に適用可能である。
【００５１】
[0085]  以下の説明は、例を与えるものであり、特許請求の範囲に記載される範囲、適用可能性、または例を限定するものではない。本開示の趣旨および範囲から逸脱することなく、説明される要素の機能および配置に関して変更が行われ得る。様々な例は、適宜、様々な手順または構成要素を省略、置換、または追加し得る。例えば、説明される方法は、説明される順序とは異なる順序で行われ得、様々なステップが追加され、省略され、または組み合わせられ得る。また、いくつかの例に関して説明される特徴は、他の例で組み合わせられ得る。
【００５２】
[0086]  図１は、本開示の様々な態様による、ワイヤレス通信システム１００のブロック図を示す。ワイヤレス通信システム１００は、複数の基地局１０５（例えば、１つまたは複数のｅＮＢの一部または全てを形成する基地局）と、いくつかのＵＥ１１５と、コアネットワーク１３０とを含み得る。基地局１０５のいくつかは、様々な例でコアネットワーク１３０または基地局１０５のうちのいくつかの基地局の一部であり得る、基地局コントローラ（図示されず）の制御下でＵＥ１１５と通信し得る。基地局１０５のいくつかは、バックホール１３２を通じてコアネットワーク１３０と制御情報またはユーザデータを通信し得る。いくつかの例で、基地局１０５のうちのいくつかは、有線またはワイヤレス通信リンクであり得るバックホールリンク１３４を通じて、互いに直接または間接的に通信し得る。ワイヤレス通信システム１００は、複数のキャリア（異なる周波数の波形信号）上での動作をサポートできる。マルチキャリア送信機は、複数のキャリア上で同時に、変調された信号を送信し得る。例えば、各通信リンク１２５は、様々な無線技術に従って変調されたマルチキャリア信号であり得る。各々の変調された信号は、異なるキャリア上で送られてよく、制御情報（例えば、基準信号、制御チャネルなど）、オーバーヘッド情報、データなどを搬送し得る。
【００５３】
[0087]  基地局１０５は、１つまたは複数の基地局アンテナを介して、ＵＥ１１５とワイヤレスに通信し得る。基地局１０５の各々は、それぞれのカバレージエリア１１０に通信カバレージを与え得る。いくつかの例で、基地局１０５は、アクセスポイント、トランシーバ基地局（ＢＴＳ：base transceiver station）、無線基地局、無線トランシーバ、基本サービスセット（ＢＳＳ：basic service set）、拡張サービスセット（ＥＳＳ：extended service set）、ＮｏｄｅＢ、ｅｖｏｌｖｅｄ  ＮｏｄｅＢ（ｅＮＢ）、Ｈｏｍｅ  ＮｏｄｅＢ、Ｈｏｍｅ  ｅＮｏｄｅＢ、ＷＬＡＮアクセスポイント、Ｗｉ−Ｆｉノードまたは何らかの他の適切な用語で呼ばれることがある。基地局１０５のためのカバレージエリア１１０は、カバレージエリアの一部分のみを構成するセクタに分割され得る。ワイヤレス通信システム１００は、異なるタイプの基地局１０５（例えば、マクロ基地局、マイクロ基地局、またはピコ基地局）を含み得る。基地局１０５はまた、セルラーまたはＷＬＡＮ無線アクセス技術などの異なる無線技術を利用し得る。基地局１０５は、同じまたは異なるアクセスネットワークまたは事業者展開（例えば、本明細書ではまとめて「事業者」と呼ぶ）に関連付けられ得る。同じもしくは異なるタイプの基地局１０５のカバレージエリアを含み、同じもしくは異なる無線技術を利用し、または同じもしくは異なるアクセスネットワークに属する、異なる基地局１０５のカバレージエリアは重複し得る。
【００５４】
[0088]  いくつかの例で、ワイヤレス通信システム１００は、ＬＴＥ／ＬＴＥ−Ａ通信システム（またはネットワーク）を含んでよく、このＬＴＥ／ＬＴＥ−Ａ通信システムは、第１の無線周波数スペクトル帯域（例えば、ＬＴＥ／ＬＴＥ−Ａ通信のために使用可能な免許無線周波数スペクトル帯域のような、特定の用途のために特定のユーザに免許されているので装置がアクセスを争わない無線周波数スペクトル帯域）または第２の無線周波数スペクトル帯域（例えば、Ｗｉ−Ｆｉ用途のような免許不要の用途に利用可能であるので装置がアクセスを争う必要があり得る免許不要無線周波数スペクトル帯域などの免許不要無線周波数スペクトル帯域、もしくはコンテンションベースで２つ以上の事業者によって使用可能であるので装置がアクセスを争う必要があり得る免許無線周波数スペクトル帯域）における、動作または展開の１つまたは複数のモードをサポートし得る。他の例で、ワイヤレス通信システム１００は、ＬＴＥ／ＬＴＥ−Ａとは異なる１つまたは複数のアクセス技術を使用してワイヤレス通信をサポートし得る。ＬＴＥ／ＬＴＥ−Ａ通信システムで、ｅｖｏｌｖｅｄ  ＮｏｄｅＢまたはｅＮＢという用語は、例えば、基地局１０５の複数またはグループを表すために使用され得る。
【００５５】
[0089]  ワイヤレス通信システム１００は、異なるタイプの基地局１０５が様々な地理的領域にカバレージを与える、異種ＬＴＥ／ＬＴＥ−Ａネットワークであってよく、またはそれを含んでよい。例えば、各基地局１０５は、通信カバレージをマクロセル、ピコセル、フェムトセル、または他のタイプのセルに与え得る。ピコセル、フェムトセル、または他のタイプのセルなどのスモールセルは低電力ノードまたはＬＰＮを含み得る。マクロセルは、例えば、比較的大きい地理的エリア（例えば、半径数キロメートル）をカバーし、ネットワークプロバイダのサービスに加入しているＵＥによる無制限アクセスを可能にし得る。ピコセルは、例えば、比較的小さい地理的エリアをカバーし、ネットワークプロバイダのサービスに加入しているＵＥによる無制限アクセスを可能にし得る。また、フェムトセルは、例えば、比較的小さい地理的エリア（例えば、自宅）をカバーし、無制限アクセスに加えて、フェムトセルとの関連を有するＵＥ（例えば、限定加入者グループ（ＣＳＧ）中のＵＥ、自宅内のユーザのためのＵＥなど）による制限付きアクセスも与え得る。マクロセルのためのｅＮＢは、マクロｅＮＢと呼ばれることがある。ピコセルのためのｅＮＢは、ピコｅＮＢと呼ばれることがある。また、フェムトセルのためのｅＮＢは、フェムトｅＮＢまたはホームｅＮＢと呼ばれることがある。ｅＮＢは、１つまたは複数の（例えば、２つ、３つ、４つなどの）セルをサポートし得る。
【００５６】
[0090]  コアネットワーク１３０は、バックホール１３２（例えば、Ｓ１アプリケーションプロトコルなど）を介して基地局１０５と通信し得る。基地局１０５はまた、例えば、バックホールリンク１３４（例えば、Ｘ２アプリケーションプロトコルなど）を介して、またはバックホール１３２を介して（例えば、コアネットワーク１３０を通じて）、直接または間接的に互いに通信できる。ワイヤレス通信システム１００は、同期動作または非同期動作をサポートし得る。同期動作の場合、ｅＮＢは同様のフレームタイミングまたはゲーティングタイミングを有してよく、異なるｅＮＢからの送信は概ね時間的に揃えられてよい。非同期動作の場合、ｅＮＢは異なるフレームタイミングまたはゲーティングタイミングを有してよく、異なるｅＮＢからの送信は時間的に揃えられないことがある。
【００５７】
[0091]  ＵＥ１１５は、ワイヤレス通信システム１００全体にわたって分散していることがある。ＵＥ１１５は、当業者によって、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレス電話、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮアクセスネットワークのような、異なるタイプのアクセスネットワークを通じて通信することが可能であり得る。ＵＥ１１５とのいくつかの通信モードでは、複数の通信リンク１２５またはチャネル（すなわち、コンポーネントキャリア）を通じて通信が行われてよく、各チャネルはＵＥ１１５といくつかのセル（例えばサービングセル、これはいくつかの場合には同じまたは異なる基地局１０５によって運用され得る）のうちの１つとの間のコンポーネントキャリアを使用する。
【００５８】
[0092]  各コンポーネントキャリアは、第１の無線周波数スペクトル帯域または第２の（例えば、免許不要）無線周波数スペクトル帯域を通じて与えられてよく、特定の通信モードで使用されるコンポーネントキャリアのセットは、全てが（例えば、ＵＥ１１５において）第１の無線周波数スペクトル帯域を通じて受信されるか、全てが（例えば、ＵＥ１１５において）第２の（例えば、免許不要）無線周波数スペクトル帯域を通じて受信されるか、または（例えば、ＵＥ１１５において）第１の無線周波数スペクトル帯域と第２の（例えば、免許不要）無線周波数スペクトル帯域との組合せを通じて受信され得る。
【００５９】
[0093]  ワイヤレス通信システム１００に示される通信リンク１２５は、アップリンク（ＵＬ）通信（例えば、ＵＥ１１５から基地局１０５への送信）を搬送するための（コンポーネントキャリアを使用した）アップリンクチャネルまたはダウンリンク（ＤＬ）通信（例えば、基地局１０５からＵＥ１１５への送信）を搬送するための（コンポーネントキャリアを使用した）ダウンリンクチャネルを含み得る。ＵＬ通信または送信は、逆方向リンク通信または送信と呼ばれることもあり、ＤＬ通信または送信は、順方向リンク通信または送信と呼ばれることもある。ダウンリンク通信またはアップリンク通信は、第１の無線周波数スペクトル帯域、第２の（例えば、免許不要）無線周波数スペクトル帯域、またはその両方を使用して行われ得る。
【００６０】
[0094]  ワイヤレス通信システム１００のいくつかの例で、ＬＴＥ／ＬＴＥ−Ａは、第２の（例えば、免許不要）無線周波数スペクトル帯域を使用する様々な状況の下で展開され得る。展開の状況は、第１の無線周波数スペクトル帯域におけるＬＴＥ／ＬＴＥ−Ａダウンリンク通信が第２の（例えば、免許不要）無線周波数スペクトル帯域にオフロードされ得る補助ダウンリンクモード、ＬＴＥ／ＬＴＥ−Ａダウンリンク通信とＬＴＥ／ＬＴＥ−Ａアップリンク通信の両方が第１の無線周波数スペクトル帯域から第２の（例えば、免許不要）無線周波数スペクトル帯域にオフロードされ得るキャリアアグリゲーションモード、または、基地局１０５とＵＥ１１５との間のＬＴＥ／ＬＴＥ−Ａダウンリンク通信およびＬＴＥ／ＬＴＥ−Ａアップリンク通信が第２の（例えば、免許不要）無線周波数スペクトル帯域において行われ得るスタンドアロンモードを含み得る。基地局１０５およびＵＥ１１５は、いくつかの例で、これらまたは同様の動作モードのうちの１つまたは複数をサポートし得る。ＯＦＤＭＡ波形は、第１の無線周波数スペクトル帯域または第２の（例えば、免許不要）無線周波数スペクトル帯域におけるＬＴＥ／ＬＴＥ−Ａダウンリンク通信のための通信リンク１２５において使用されてよく、ＯＦＤＭＡ、ＳＣ−ＦＤＭＡまたはリソースブロックがインターリーブされたＦＤＭＡ波形は、第１の無線周波数スペクトル帯域または第２の（例えば、免許不要）無線周波数スペクトル帯域におけるＬＴＥ／ＬＴＥ−Ａアップリンク通信のための通信リンク１２５において使用されてよい。
【００６１】
[0095]  図２は、本開示の様々な態様による、免許不要無線周波数スペクトル帯域を使用する様々な状況の下でＬＴＥ／ＬＴＥ−Ａが展開されるワイヤレス通信システム２００を示す。より具体的には、図２は、免許不要無線周波数スペクトル帯域を使用してＬＴＥ／ＬＴＥ−Ａが展開される、補助ダウンリンクモード、キャリアアグリゲーションモード、およびスタンドアロンモードの例を示す。ワイヤレス通信システム２００は、図１を参照して説明されたワイヤレス通信システム１００の部分の例であり得る。その上、第１の基地局２０５および第２の基地局２１０は、図１を参照して説明された基地局１０５のうちの１つまたは複数の態様の例であってよく、第１のＵＥ２５５、第２のＵＥ２６０、第３のＵＥ２６５、および第４のＵＥ２７０は、図１を参照して説明されたＵＥ１１５のうちの１つまたは複数の態様の例であってよい。
【００６２】
[0096]  ワイヤレス通信システム２００における補助ダウンリンクモードの例で、第１の基地局２０５は、ダウンリンクチャネル２２０を使用して第１のＵＥ２５５にＯＦＤＭＡ波形を送信し得る。ダウンリンクチャネル２２０は、免許不要無線周波数スペクトル帯域における周波数Ｆ１に関連付けられ得る。第１の基地局２０５は、第１の双方向リンク２２５を使用して第１のＵＥ２５５にＯＦＤＭＡ波形を送信でき、第１の双方向リンク２２５を使用して第１のＵＥ２５５からＳＣ−ＦＤＭＡ波形を受信できる。第１の双方向リンク２２５は、免許無線周波数スペクトル帯域における周波数Ｆ４に関連付けられ得る。免許不要無線周波数スペクトル帯域におけるダウンリンクチャネル２２０および免許無線周波数スペクトル帯域における第１の双方向リンク２２５は、同時に動作し得る。ダウンリンクチャネル２２０は、第１の基地局２０５のためにダウンリンク容量オフロードを提供し得る。いくつかの例で、ダウンリンクチャネル２２０は、（例えば、１つのＵＥに宛てられる）ユニキャストサービスのために、または（例えば、いくつかのＵＥに宛てられる）マルチキャストサービスのために使用され得る。この状況は、免許無線周波数スペクトル帯域を使用し、トラフィックまたはシグナリングの混雑の一部を緩和する必要がある、任意のサービスプロバイダ（例えば、モバイルネットワーク事業者（ＭＮＯ））に対して生じ得る。
【００６３】
[0097]  ワイヤレス通信システム２００におけるキャリアアグリゲーションモードの一例で、第１の基地局２０５は、第２の双方向リンク２３０を使用して第２のＵＥ２６０にＯＦＤＭＡ波形を送信でき、第２の双方向リンク２３０を使用して第２のＵＥ２６０からＯＦＤＭＡ波形、ＳＣ−ＦＤＭＡ波形、またはリソースブロックがインターリーブされたＦＤＭＡ波形を受信できる。第２の双方向リンク２３０は、免許不要無線周波数スペクトル帯域における周波数Ｆ１に関連付けられ得る。第１の基地局２０５はまた、第３の双方向リンク２３５を使用して第２のＵＥ２６０にＯＦＤＭＡ波形を送信でき、第３の双方向リンク２３５を使用して第２のＵＥ２６０からＳＣ−ＦＤＭＡ波形を受信できる。第３の双方向リンク２３５は、免許無線周波数スペクトル帯域における周波数Ｆ２に関連付けられ得る。第２の双方向リンク２３０は、第１の基地局２０５のためにダウンリンクおよびアップリンクの容量オフロードを提供し得る。上で説明された補助ダウンリンクのように、この状況は、免許無線周波数スペクトルを使用し、トラフィックまたはシグナリングの混雑の一部を緩和する必要がある、任意のサービスプロバイダ（例えば、ＭＮＯ）に対して生じ得る。
【００６４】
[0098]  ワイヤレス通信システム２００におけるキャリアアグリゲーションモードの別の例で、第１の基地局２０５は、第４の双方向リンク２４０を使用して第３のＵＥ２６５にＯＦＤＭＡ波形を送信でき、第４の双方向リンク２４０を使用して第３のＵＥ２６５からＯＦＤＭＡ波形、ＳＣ−ＦＤＭＡ波形、またはリソースブロックがインターリーブされた波形を受信できる。第４の双方向リンク２４０は、免許不要無線周波数スペクトル帯域における周波数Ｆ３に関連付けられ得る。第１の基地局２０５はまた、第５の双方向リンク２４５を使用して第３のＵＥ２６５にＯＦＤＭＡ波形を送信でき、第５の双方向リンク２４５を使用して第３のＵＥ２６５からＳＣ−ＦＤＭＡ波形を受信できる。第５の双方向リンク２４５は、免許無線周波数スペクトル帯域における周波数Ｆ２に関連付けられ得る。第４の双方向リンク２４０は、第１の基地局２０５のためにダウンリンクおよびアップリンクの容量オフロードを提供し得る。この例および上で与えられた例は説明の目的で提示され、容量オフロードのために、免許無線周波数スペクトルにおけるＬＴＥ／ＬＴＥ−Ａと免許不要アクセス無線周波数スペクトルにおけるＬＴＥ／ＬＴＥ−Ａとを組み合わせる他の同様の動作モードまたは展開状況があり得る。
【００６５】
[0099]  上で説明されたように、免許不要アクセス無線周波数スペクトルにおけるＬＴＥ／ＬＴＥ−Ａを使用することによって提供される容量オフロードから恩恵を受け得る１つのタイプのサービスプロバイダは、ＬＴＥ／ＬＴＥ−Ａ免許無線周波数スペクトル帯域へのアクセス権を有する従来のＭＮＯである。これらのサービスプロバイダについて、動作の例は、免許無線周波数スペクトル帯域上のＬＴＥ／ＬＴＥ−Ａ主要コンポーネントキャリア（ＰＣＣ）と免許不要無線周波数スペクトル帯域上の少なくとも１つの二次的コンポーネントキャリア（ＳＣＣ）とを使用するブートストラップモード（例えば、補助ダウンリンク、キャリアアグリゲーション）を含み得る。
【００６６】
[0100]  キャリアアグリゲーションモードでは、例えば、免許無線周波数スペクトルにおいて（例えば、第１の双方向リンク２２５、第３の双方向リンク２３５、および第５の双方向リンク２４５を介して）データおよび制御が通信され得るが、例えば、免許不要無線周波数スペクトル帯域において（例えば、第２の双方向リンク２３０および第４の双方向リンク２４０を介して）データが通信され得る。免許不要アクセス無線周波数スペクトルを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションに属し得る。
【００６７】
[0101]  ワイヤレス通信システム２００におけるスタンドアロンモードの一例で、第２の基地局２１０は、双方向リンク２５０を使用して第４のＵＥ２７０にＯＦＤＭＡ波形を送信でき、双方向リンク２５０を使用して第４のＵＥ２７０からＯＦＤＭＡ波形、ＳＣ−ＦＤＭＡ波形、またはリソースブロックがインターリーブされたＦＤＭＡ波形を受信できる。双方向リンク２５０は、免許不要無線周波数スペクトル帯域における周波数Ｆ３に関連付けられ得る。スタンドアロンモードは、スタジアム内アクセス（例えば、ユニキャスト、マルチキャスト）のような、非従来型のワイヤレスアクセスの状況において使用され得る。この動作モードのためのサービスプロバイダのタイプの例は、免許無線周波数スペクトル帯域へのアクセスを有しないスタジアム所有者、ケーブル会社、イベント主催者、ホテル、企業、または大企業であり得る。
【００６８】
[0102]  いくつかの例で、図１もしくは図２を参照して説明された基地局１０５、２０５もしくは２１０のうちの１つ、または図１もしくは図２を参照して説明されたＵＥ１１５、２５５、２６０、２６５もしくは２７０のうちの１つのような送信装置は、免許不要無線周波数スペクトル帯域のチャネルに（例えば、免許不要無線周波数スペクトル帯域の物理チャネルに）アクセスするためにゲーティング間隔を使用し得る。ゲーティング間隔は、欧州電気通信標準化機構（ＥＴＳＩ）（ＥＮ３０１  ８９３）において指定されているＬＢＴプロトコルに少なくとも部分的に基づくＬＢＴプロトコルのような、コンテンションベースのプロトコルの適用を定義し得る。ＬＢＴプロトコルの適用を定義するゲーティング間隔を使用するとき、ゲーティング間隔は、送信装置がクリアチャネルアセスメント（ＣＣＡ）のようなコンテンション手順を行う必要があるときを示し得る。ＣＣＡの結果は、免許不要無線周波数スペクトル帯域のチャネルが（ＬＢＴ無線フレームまたはＣＣＡフレームとも呼ばれる）ゲーティング間隔のために利用可能であるかまたは使用中であるかを送信デバイスに示し得る。対応するＬＢＴ無線フレームのためにチャネルが利用可能である（例えば、使用のために「空いている」）ことをＣＣＡが示すとき、送信装置は、ＬＢＴ無線フレームの一部または全ての間に免許不要無線周波数スペクトル帯域のチャネルを予約または使用し得る。チャネルが利用可能ではないこと（例えば、チャネルが別の装置によって使用中であるまたは予約されていること）をＣＣＡが示すとき、送信装置は、ＬＢＴ無線フレーム中にチャネルを使用するのを妨げられ得る。
【００６９】
[0103]  いくつかの場合、送信装置が周期的にゲーティング間隔を生成し、ゲーティング間隔の少なくとも１つの境界を周期的間隔の少なくとも１つの境界と同期させることが有用であり得る。例えば、免許不要無線周波数スペクトル帯域におけるセルラーダウンリンクのための周期的ゲーティング間隔を生成し、周期的ゲーティング間隔の少なくとも１つの境界を、セルラーダウンリンクに関連付けられる周期的間隔（例えば、周期的ＬＴＥ／ＬＴＥ−Ａ無線間隔）の少なくとも１つの境界と同期させることが有用であり得る。そのような同期の例が図３に示される。
【００７０】
[0104]  図３は、本開示の様々な態様による、免許不要無線周波数スペクトル帯域におけるセルラーダウンリンクのためのゲーティング間隔（またはＬＢＴ無線フレーム）の例３００を示す。第１のゲーティング間隔３０５、第２のゲーティング間隔３１５、または第３のゲーティング間隔３２５は、免許不要無線周波数スペクトル帯域を通じた送信をサポートするｅＮＢまたはＵＥによって周期的ゲーティング間隔として使用され得る。そのようなｅＮＢの例は、図１または図２を参照して説明された基地局１０５、２０５、または２１０を含んでよく、そのようなＵＥの例は、図１または図２を参照して説明されたＵＥ１１５、２５５、２６０、２６５、または２７０を含んでよい。いくつかの例で、第１のゲーティング間隔３０５、第２のゲーティング間隔３１５、または第３のゲーティング間隔３２５は、図１または図２を参照して説明されたワイヤレス通信システム１００または２００とともに使用され得る。
【００７１】
[0105]  例として、第１のゲーティング間隔３０５の持続時間は、セルラーダウンリンクに関連付けられる周期的間隔のＬＴＥ／ＬＴＥ−Ａ無線フレーム３１０の持続時間に等しい（またはそれにほぼ等しい）ことが示されている。いくつかの例で、「ほぼ等しい」は、第１のゲーティング間隔３０５の持続時間が、周期的間隔の持続時間のサイクリックプレフィックス（ＣＰ）持続時間内にあることを意味する。
【００７２】
[0106]  第１のゲーティング間隔３０５の少なくとも１つの境界は、ＬＴＥ／ＬＴＥ−Ａ無線フレームＮ−１〜Ｎ＋１を含む周期的間隔の少なくとも１つの境界と同期され得る。いくつかの場合、第１のゲーティング間隔３０５は、周期的間隔のフレーム境界と揃えられた境界を有し得る。他の場合には、第１のゲーティング間隔３０５は、周期的間隔のフレーム境界と同期されるが、それからオフセットされた境界を有し得る。例えば、第１のゲーティング間隔３０５の境界は、周期的間隔のサブフレーム境界と、または周期的間隔のサブフレーム中間点境界（例えば、特定のサブフレームの中間点）と揃えられ得る。
【００７３】
[0107]  いくつかの場合、周期的間隔は、ＬＴＥ／ＬＴＥ−Ａ無線フレームＮ−１〜Ｎ＋１を含み得る。各ＬＴＥ／ＬＴＥ−Ａ無線フレーム３１０は、例えば、１０ミリ秒の持続時間を有してよく、第１のゲーティング間隔３０５も１０ミリ秒の持続時間を有してよい。これらの場合、第１のゲーティング間隔３０５の境界は、ＬＴＥ／ＬＴＥ−Ａ無線フレームのうちの１つ（例えば、ＬＴＥ／ＬＴＥ−Ａ無線フレーム（Ｎ））の境界（例えば、フレーム境界、サブフレーム境界、またはサブフレーム中間点境界）と同期され得る。
【００７４】
[0108]  例として、第２のゲーティング間隔３１５および第３のゲーティング間隔３２５の持続時間は、セルラーダウンリンクに関連付けられる周期的間隔の持続時間の約数（または、その近似的な約数）であることが示されている。いくつかの例で、「の近似的な約数」は、第２のゲーティング間隔３１５または第３のゲーティング間隔３２５の持続時間が、周期的間隔の約数（例えば、１／２または１／５）の持続時間のサイクリックプレフィックス（ＣＰ）持続時間内にあることを意味する。例えば、第２のゲーティング間隔３１５は５ミリ秒の持続時間を有することがあり、第３のゲーティング間隔３２５は２ミリ秒の持続時間を有することがある。第２のゲーティング間隔３１５または第３のゲーティング間隔３２５は、そのより短い持続時間が免許不要無線周波数スペクトル帯域のより頻繁な共有を容易にし得るので、第１のゲーティング間隔３０５よりも有利であり得る。
【００７５】
[0109]  図４は、本開示の様々な態様による、免許不要無線周波数スペクトル帯域を通じたワイヤレス通信４１０の例４００を示す。図３を参照して説明された第１のゲーティング間隔３０５のようなゲーティング間隔に対応し得るＬＢＴ無線フレーム４１５は、１０ミリ秒の持続時間を有してよく、いくつかのダウンリンクサブフレーム４２０と、いくつかのアップリンクサブフレーム４２５と、２つのタイプの特別なサブフレーム、Ｓサブフレーム４３０およびＳ’サブフレーム４３５とを含んでよい。Ｓサブフレーム４３０は、ダウンリンクサブフレーム４２０とアップリンクサブフレーム４２５との間の遷移を提供でき、一方、Ｓ’サブフレーム５３５は、アップリンクサブフレーム４２５とダウンリンクサブフレーム４２０との間の遷移を提供できる。Ｓ’サブフレーム４３５中に、図１または図２を参照して説明された基地局１０５、２０５、または２１０のうちの１つまたは複数のような、１つまたは複数の基地局によって、ワイヤレス通信４１０が生じるチャネルをある時間期間の間予約するために、ダウンリンククリアチャネルアセスメント（ＤＣＣＡ）手順４４０が行われ得る。基地局による成功したＤＣＣＡ４４０に続いて、基地局は、基地局がチャネルを予約したという指示を他の基地局または装置（例えば、ＵＥ、Ｗｉ−Ｆｉアクセスポイントなど）に提供するために、チャネル使用ビーコン信号（ＣＵＢＳ）４４５を送信し得る。いくつかの例で、ＣＵＢＳ４４５は、複数のインターリーブされたリソースブロックを使用して送信され得る。この方式でＣＵＢＳ４４５を送信することで、ＣＵＢＳ４４５は、免許不要無線周波数スペクトル帯域中の利用可能な周波数帯域幅の少なくともある割合を占有し、１つまたは複数の規制上の要件（例えば、ＣＵＢＳ４４５が利用可能な周波数帯域幅の少なくとも８０％を占有するという要件）を満たすことが可能になり得る。ＣＵＢＳ４４５は、いくつかの例で、ＬＴＥ／ＬＴＥ−Ａセル固有基準信号（ＣＲＳ）またはチャネル状態情報基準信号（ＣＳＩ−ＲＳ）の形態と同様の形態をとり得る。ＤＣＣＡ４４０が失敗したとき、ＣＵＢＳ４４５は送信されない。
【００７６】
[0110]  Ｓ’サブフレーム４３５は、図４で０〜１３の番号を付された、１４個のＯＦＤＭシンボルを含み得る。Ｓ’サブフレーム４３５の第１の部分、この例でシンボル０〜５は、ＬＴＥ／ＬＴＥ−Ａ通信規格との互換性のために必要とされ得る、サイレントＤＬ期間として基地局によって使用され得る。従って、基地局は、サイレントＤＬ期間中にデータを送信しないことがあるが、ＵＥは、サイレントＤＬ期間中に何らか量のアップリンクデータを送信し得る。Ｓ’サブフレーム４３５の第２の部分は、ＤＣＣＡ４４０のために使用され得る。例４００で、Ｓ’サブフレーム４３５は、シンボル６〜１２中に含まれる７つのＤＣＣＡスロットを含む。様々なネットワーク事業者によるＤＣＣＡスロットの使用は、より効率的なシステム動作を提供するように協調させられ得る。いくつかの例で、ＤＣＣＡ４４０を行うために７つの可能なＤＣＣＡスロットのいずれを使用すべきかを決定するために、基地局１０５は、以下の形式のマッピング関数を評価し得る。
【００７７】
【数１】
0006622224.tif 000002
【００７８】
ここで、ＧｒｏｕｐＩＤは、基地局１０５に割り当てられた「展開グループｉｄ」であり、ｔは、ＤＣＣＡ４４０が行われるゲーティング間隔またはフレームに対応するＬＢＴ無線フレーム番号である。
【００７９】
[0111]  図５は、本開示の様々な態様による、免許不要無線周波数スペクトル帯域を通じたワイヤレス通信５１０の例５００を示す。図３を参照して説明された第１のゲーティング間隔３０５のようなゲーティング間隔または図４を参照して説明されたＬＢＴ無線フレーム４１５に対応し得るＬＢＴ無線フレーム５１５は、１０ミリ秒の持続時間を有してよく、いくつかのダウンリンクサブフレーム５２０と、いくつかのアップリンクサブフレーム５２５と、２つのタイプの特別なサブフレーム（例えば、Ｓサブフレーム５３０およびＳ’サブフレーム５３５とを含んでよい。Ｓサブフレーム５３０は、ダウンリンクサブフレーム５２０とアップリンクサブフレーム５２５との間の遷移を提供でき、一方、Ｓ’サブフレーム５３５は、アップリンクサブフレーム５２５とダウンリンクサブフレーム５２０との間の遷移を提供できる。Ｓサブフレーム５３０中に、図１または図２を参照して上で説明されたＵＥ１１５、２５５、２６０、２６５、または２７０のうちの１つまたは複数のような、１つまたは複数のＵＥによって、ワイヤレス通信５１０が生じるチャネルをある時間期間の間予約するために、アップリンクＣＣＡ（ＵＣＣＡ）手順５４０が行われ得る。ＵＥによる成功したＵＣＣＡ５４０に続いて、ＵＥは、ＵＥがチャネルを予約したという指示を他のＵＥまたは装置（例えば、基地局、Ｗｉ−Ｆｉアクセスポイントなど）に提供するために、ＣＵＢＳ５４５を送信し得る。いくつかの例で、ＣＵＢＳ５４５は、複数のインターリーブされたリソースブロックを使用して送信され得る。この方式でＣＵＢＳ５４５を送信することで、ＣＵＢＳ５４５は、免許不要無線周波数スペクトル帯域中の利用可能な周波数帯域幅の少なくともある割合を占有し、１つまたは複数の規制上の要件（例えば、ＣＵＢＳ５４５が利用可能な周波数帯域幅の少なくとも８０％を占有するという要件）を満たすことが可能になり得る。ＣＵＢＳ５４５は、いくつかの例で、ＬＴＥ／ＬＴＥ−Ａセル固有基準信号（ＣＲＳ）またはチャネル状態情報基準信号（ＣＳＩ−ＲＳ）の形態と同様の形態をとり得る。ＵＣＣＡ５４０が失敗したとき、ＣＵＢＳ５４５は送信されない。
【００８０】
[0112]  Ｓサブフレーム５３０は、図５で０〜１３の番号を付された、１４個のＯＦＤＭシンボルを含み得る。Ｓサブフレーム５３０の第１の部分、この例でシンボル０〜３は、ダウンリンクパイロットタイムスロット（ＤｗＰＴＳ）５５０として使用されてよく、Ｓサブフレーム５３０の第２の部分はガード期間（ＧＰ）５５５として使用されてよい。Ｓサブフレーム５３０の第３の部分は、ＵＣＣＡ５４０のために使用され得る。例５００で、Ｓサブフレーム５３０は、シンボル６〜１２中に含まれる７つのＵＣＣＡスロットを含む。様々なＵＥによるＵＣＣＡスロットの使用は、より効率的なシステム動作を提供するために協調させられ得る。いくつかの例で、ＵＣＣＡ５４０を行うために７つの可能なＵＣＣＡスロットのいずれを使用すべきかを決定するために、ＵＥは、以下の形式のマッピング関数を評価し得る。
【００８１】
【数２】
0006622224.tif 000003
【００８２】
ここで、ＧｒｏｕｐＩＤは、ＵＥに割り当てられた「展開グループｉｄ」であり、ｔは、ＵＣＣＡ５４０が行われるフレームに対応するＬＢＴ無線フレーム番号である。
【００８３】
[0113]  ＤＣＣＡ４４０またはＵＣＣＡ５４０のためのマッピング関数は、マッピング関数が直交の性質を有するか非直交の性質を有するかに応じて、異なる基準に少なくとも部分的に基づいて構成され得る。直交ＬＢＴアクセスを用いる例で、マッピング関数は、以下に従った直交の性質を有し得る。
【００８４】
【数３】
0006622224.tif 000004
【００８５】
【数４】
0006622224.tif 000005
【００８６】
全ての時間ｔに対して、ｘ≠ｙであるときは常に異なるグループｉｄを表す。この場合、異なるグループｉｄを有する基地局またはＵＥは、重複しないＣＣＡスロット中にＣＣＡ（例えば、ＤＣＣＡ４４０またはＵＣＣＡ５４０）を行い得る。干渉がない場合、より前のＣＣＡスロットにマッピングするグループｉｄを有する基地局またはＵＥは、ある時間期間の間チャネルを確保し得る。様々な展開によれば、このマッピング関数は、様々な時間インデックスｔにわたって、異なるグループｉｄが適切に長い時間間隔にわたってより前のＣＣＡスロットにマッピングする等しい機会を有する（従って、他の干渉がない場合にチャネルを確保する）ように、マッピング｛ＦD/U（ｘ，ｔ），ｔ＝１，２，３，．．．｝が変化するという意味で公平である。
【００８７】
[0114]  同じネットワーク事業者／サービスプロバイダによって展開される全ての基地局およびＵＥは、それらがコンテンションプロセスにおいて互いを先取りしないように、同じグループｉｄを割り当てられ得る。これにより、同じ展開の基地局とＵＥとの間で完全な周波数再利用が可能になり、システムスループットの向上につながる。異なる展開の基地局またはＵＥは、直交ＣＣＡスロットマッピングによって、チャネルへのアクセスが相互に排他的になるように、異なるグループｉｄを割り当てられ得る。
【００８８】
[0115]  直交しないＣＣＡスロットアクセスまたは重複するＣＣＡスロットアクセスを伴う例で、マッピング関数は、８つ以上のグループｉｄを許容し得る。いくつかの状況では、例えば、８つ以上の展開グループｉｄをサポートすることが有用であることがあり、その場合、ＣＣＡスロットマッピング関数の直交の性質を維持することが可能ではない。そのような場合、任意の２つのグループｉｄ間の競合の頻度を下げることが望ましいことがある。いくつかの例で、直交しないＣＣＡスロットマッピングシーケンスはまた、ＬＢＴの機会についての緊密な協調を伴わずに、複数の展開の間で公平なチャネルアクセスを与えるために使用され得る。直交しないＣＣＡスロットマッピングシーケンスの一例は、以下によって与えられる。
【００８９】
【数５】
0006622224.tif 000006
【００９０】
【数６】
0006622224.tif 000007
【００９１】
ここで、Ｒ1,7（ｘ，ｔ）は、ＧｒｏｕｐＩＤ  ｘについて独立して選ばれる１から７の間の擬似乱数生成器である。この場合、同じＬＢＴ無線フレームｔにおける異なるＧｒｏｕｐＩＤ’の基地局またはＵＥ間に潜在的な競合があり得る。
【００９２】
[0116]  従って、ＣＣＡスロットは、上記のマッピング関数に従って選択され、ＤＣＣＡ４４０またはＵＣＣＡ５４０のために使用され得る。
【００９３】
[0117]  図４および図５の各々において、ＤＣＣＡ４４０の成功裏の履行と、ＤＣＣＡ４４０が行われた送信期間の開始との間の期間（例えば、図４参照）、またはＵＣＣＡ５４０の成功裏の履行と、ＵＣＣＡ５４０が行われた送信期間の開始との間の期間（例えば、図５参照）が、プリアンブルと呼ばれ得る。ＤＣＣＡ４４０またはＵＣＣＡ５４０がいつ行われるかは可変であるので、プリアンブルの長さは変化し得る。しかしながら、図４および図５に示される例の各々において、プリアンブルは、ＣＵＢＳ４４５（例えば、図４参照）またはＣＵＢＳ５４５（例えば、図５参照）の後続の送信を終了させる。
【００９４】
[0118]  図６は、本開示の様々な態様による、免許不要無線周波数スペクトル帯域を通じて送信されるＬＢＴ無線フレームにおけるＬＴＥ／ＬＴＥ−Ａ通信のために使用され得る７つのＴＤＤ構成６０５を示す。いくつかの例で、ＴＤＤ構成６０５は、図４または図５を参照して説明されたＬＢＴ無線フレーム４１５または５１５とともに使用され得る。ＴＤＤ構成６０５の各々は、２つのＤＬ−ＵＬ間切替えポイント周期性６１０、すなわち、５ｍｓ切替えポイント周期性または１０ｍｓ切替えポイント周期性のうちの１つを有する。より詳細には、０、１、２、および６の番号を付けられたＴＤＤ構成は、５ｍｓ切替えポイント周期性（すなわち、ハーフフレーム切替えポイント周期性を有し、３、４、および５の番号を付けられたＴＤＤ構成は、１０ｍｓ切替えポイント周期性を有する。５ｍｓ切替えポイント周期性を有するＴＤＤ構成は、無線フレームごとにいくつかのＤＬサブフレームと、いくつかのＵＬサブフレームと、２つのＳサブフレームとを与える。１０ｍｓ切替えポイント周期性を有するＴＤＤ構成は、無線フレームごとにいくつかのＤＬサブフレームと、いくつかのＵＬサブフレームと、１つのＳサブフレームとを与える。
【００９５】
[0119]  図７は、本開示の様々な態様による、免許不要無線周波数スペクトル帯域における同期する事業者のＣＣＡ免除送信（ＣＥＴ）のためのリソース割振りの例７００を示す。ＣＥＴは、免許不要無線周波数スペクトル帯域に最初にアクセスするためにＣＣＡ（例えば、ＤＣＣＡまたはアップリンクＣＣＡ（ＵＣＣＡ））を行う必要なく、行われ得る。代わりに、事業者は、ＣＥＴを送信する目的でＣＣＡを行うことを免除される。
【００９６】
[0120]  図示されるように、ＣＥＴのためのリソース７０５の割振りは、例えば、８０ミリ秒（８０ｍｓ）に１回、またはＣＥＴ期間ごとに１回行われてよく、ここでＣＥＴ期間は設定可能な周期性を有し得る。免許不要スペクトル中のいくつかの事業者（例えば、異なるＰＬＭＮ）の各々は、ＣＥＴを送信するための別個の１つのサブフレーム（図示される）または複数のサブフレーム（図示されず）を与えられ得る。例として、図７は、７つの異なる事業者（例えば、事業者ＰＬＭＮ１、ＰＬＭＮ２、…、ＰＬＭＮ７）に対する隣接ＣＥＴサブフレームを示す。そのようなＣＥＴ送信フレームワークは、基地局とＵＥとの間のダウンリンクまたはアップリンクに適用可能であり得る。
【００９７】
[0121]  大半の条件下で、上で説明されたような、送信装置によるＬＢＴ−ＦＢＥプロトコルの使用は、免許不要無線周波数スペクトル帯域への十分なアクセスを提供する。ＬＢＴ−ＦＢＥプロトコルの使用は、同じ事業者に関連付けられる基地局またはｅＮＢの間で周波数の再使用１を可能にするという点で有利であり得る。しかしながら、いくつかの状況では、１つまたは複数のＷｉ−Ｆｉノードが、免許不要無線周波数スペクトル帯域のチャネルにＬＴＥ／ＬＴＥ−Ａノードがアクセスするのを妨げ得る。これらの状況で、ＬＢＴ−ＬＢＥプロトコルの使用は、送信装置がＬＢＴ−ＬＢＥプロトコルを利用するときに免許不要無線周波数スペクトル帯域にアクセスすることを継続的に試み得るという点で、（ＬＢＴ−ＬＢＥプロトコルの使用がいくつかの条件下では周波数の再使用１を妨げ得るという事実にもかかわらず）ＬＢＴ−ＦＢＥプロトコルよりも有利であり得る。例えば、送信装置は、Ｎ回のＣＣＡのランダムな持続時間の間、しかしパラメータｑによって制御される最大の持続時間の間、媒体にアクセスすることを試み得る。ｑのより小さい値は、最大の拡張ＣＣＡの持続時間がより短いことと、無線フレームの長さがより短いこととを示唆する。
【００９８】
[0122]  大半の条件下でＬＢＴ−ＦＢＥプロトコルを使用し、必要なときにＬＢＴ−ＬＢＥプロトコルを使用することが可能な送信装置は、いくつかのワイヤレス通信システムにおいて有用であり得る。そのような送信装置は、ＬＢＴ−ＦＢＥプロトコルまたはＬＢＴ−ＬＢＥプロトコルのいずれかを使用するときに同一または同様のＬＢＴ無線間隔を使用できるが、異なるプロトコルに対してはいくらか異なるＣＣＡを使用できる。
【００９９】
[0123]  ＬＢＴ−ＬＢＥプロトコルのいくつかの例で、送信装置はＣＣＡを行い、ＣＣＡが成功したときに、免許不要無線周波数スペクトル帯域のチャネルを通じた送信を直ちに開始できる。しかしながら、ＣＣＡが成功しなかったとき、送信装置は、１からｑの間のランダムな整数Ｎを選択することによって、拡張ＣＣＡ（ＥＣＣＡ）を行い得、ここでｑは、事業者またはベンダーによって告知される４≦ｑ≦３２の値を有する。ランダムな整数Ｎの値を選択すると、送信装置は、免許不要無線周波数スペクトル帯域のチャネルが空いていることが判明するＮ回のＣＣＡのために、免許不要無線周波数スペクトル帯域にアクセスするのを待機できる。Ｎ回のＣＣＡのために免許不要無線周波数スペクトル帯域のチャネルが空いていることが判明すると、送信装置は、別の拡張ＣＣＡを行わなければならなくなるまで、最大で（１３／３２）×ｑミリ秒（ｍｓ）の間、免許不要無線周波数スペクトル帯域を通じて送信できる。従って、（１３／３２）×ｑ  ｍｓの送信時間が、最大のチャネル占有時間（すなわち、ＭａｘＣｈａｎｎｅｌＯｃｃｕｐａｎｃｙＴｉｍｅ）である。ｑの値は、いくつかの例で、２つ以上のＴＤＤ構成（例えば、図６を参照して説明されたＴＤＤ構成６０５のうちの２つ以上）が立て続けに送信されるときに、最大数の連続するダウンリンクサブフレームに適合するように選択され得る。
【０１００】
[0124]  図８は、本開示の様々な態様による、免許不要無線周波数スペクトル帯域を通じたワイヤレス通信のタイミング図８００を示す。いくつかの例で、免許不要無線周波数スペクトル帯域は、免許不要の用途（例えば、免許不要無線周波数スペクトル帯域におけるＷｉ−Ｆｉ用途またはＬＴＥ／ＬＴＥ−Ａ用途）に少なくとも部分的に利用可能であるので装置がアクセスを争う必要があり得る無線周波数スペクトル帯域であり得る。
【０１０１】
[0125]  例として、図８に示されるワイヤレス通信は、事業者１、事業者２、およびＷｉ−Ｆｉノードによる通信（または送信（Ｔｘ））を含む。さらなる例として、事業者１および事業者２の送信機、さらにはＷｉ−Ｆｉノードは、互いにＣＣＡの範囲内にあり得る。事業者１は、免許不要無線周波数スペクトル帯域を通じてＣＣＡ免除送信（ＣＥＴ）８０５を、それに続いて、第１の数の無線フレーム（例えば、無線フレームＦＲ＿０１、ＦＲ＿１１、ＦＲ＿２１、またはＦＲ＿３１）を送信できる。事業者２は、免許不要無線周波数スペクトル帯域を通じてＣＥＴ８１０を、それに続いて、第２の数の無線フレーム（例えば、無線フレームＦＲ＿０２またはＦＲ＿１２）を送信できる。Ｗｉ−Ｆｉノードはまた、免許不要無線周波数スペクトル帯域を通じて送信できる（例えば、Ｗｉ−Ｆｉと呼ばれる送信）。事業者１に関連付けられる送信機が免許不要無線周波数スペクトル帯域のチャネルを通じて送信しているとき、事業者２およびＷｉ−Ｆｉノードは、免許不要無線周波数スペクトル帯域のチャネルにアクセスするのを妨げられ得る。事業者２に関連付けられる送信機が免許不要無線周波数スペクトル帯域のチャネルを通じて送信しているとき、事業者１の送信機およびＷｉ−Ｆｉノードは、免許不要無線周波数スペクトル帯域のチャネルにアクセスするのを妨げられ得る。Ｗｉ−Ｆｉノードが免許不要無線周波数スペクトル帯域のチャネルを通じて送信しているとき、事業者１および事業者２に関連付けられる送信機は、免許不要無線周波数スペクトル帯域のチャネルにアクセスするのを妨げられ得る。
【０１０２】
[0126]  いくつかの例で、事業者１および事業者２の送信機は、ＮｘＣＣＡと呼ばれるＥＣＣＡを行うことによって、免許不要無線周波数スペクトル帯域（またはそのチャネル）にアクセスできる。アクセスは、ＥＣＣＡが成功したとき（ＥＣＣＡ  Ｓｕｃｃｅｓｓと呼ばれる）だけ得られる。
【０１０３】
[0127]  いくつかの例で、事業者１または事業者２によって送信される各無線フレームは、１０個のサブフレームと１０ｍｓｅｃの持続時間とを有するＬＴＥ／ＬＴＥ−Ａ無線フレームであり得る。各サブフレームは、例えば１４個のＯＦＤＭシンボルを含み得る。サブフレームは、ダウンリンクサブフレーム、アップリンクサブフレーム、または特別なサブフレーム（例えば、制御情報、同期信号、一部のデータなどを送信するために使用されるサブフレーム）を様々に含み得る。
【０１０４】
[0128]  ＬＢＴ−ＬＢＥプロトコルに従って動作しているとき、事業者のセルの間のフレームレベル整列が意図的に確保され得る。しかしながら、異なるセルが異なる時間に拡張ＣＣＡを行うことに成功することがあり、異なる開始点または終了点を有する送信フレームが生じる可能性がある。図９は、異なるセルのフレームを揃えるための１つの技法を示す。
【０１０５】
[0129]  図９は、本開示の様々な態様による、免許不要無線周波数スペクトル帯域に関連付けられる基準の境界と第２の信号の開始点を揃えるように、免許不要無線周波数スペクトル帯域においてＬＢＴ−ＬＢＥモードで動作している間に第１の信号がどのように送信され得るかの例９００を示す。より詳細には、図９は、２ｍｓの持続時間を有するＬＢＴ−ＬＢＥ無線フレーム９０５を示す。ＬＢＴ−ＬＢＥ無線フレーム９０５は、各々が１ｍｓの持続時間を有する、第１のＬＴＥ／ＬＴＥ−Ａサブフレーム９１０と第２のＬＴＥ／ＬＴＥ−Ａサブフレーム９１５とを含み得る。第１のＬＴＥ／ＬＴＥ−Ａサブフレーム９１０および第２のＬＴＥ／ＬＴＥ−Ａサブフレーム９１５の各々は、複数のＯＦＤＭシンボル期間の境界９２５によって境界を接する複数のＯＦＤＭシンボル期間９２０（例えば、１４個のＯＦＤＭシンボル期間）を含み得る。
【０１０６】
[0130]  いくつかの例で、基地局は、ＬＢＴ−ＬＢＥ無線フレーム９０５の第１の部分の間に（例えば、ＬＢＴ−ＬＢＥ無線フレーム９０５の初めに、または初めの近くで）同期信号または整列信号を送信できる。例えば、ＬＢＴ−ＬＢＥ無線フレーム９０５の開始のタイミングが成功した拡張ＣＣＡの完了のタイミングに少なくとも部分的に基づいて変化し得る（例えば、成功した拡張ＣＣＡの完了のタイミングが、免許不要無線周波数スペクトル帯域上でのＬＢＴ−ＦＢＥ間隔のＯＦＤＭシンボル境界、スロット境界もしくはサブフレーム境界に関して、免許不要無線周波数スペクトル帯域を通じて送信される発見信号（例えば、ＣＥＴ）のタイミングに関して、または免許無線周波数スペクトル帯域を通じた送信のＯＦＤＭシンボル境界、スロット境界もしくはサブフレーム境界（例えば、免許無線周波数スペクトル帯域を通じた主要サービングセルからの送信のＯＦＤＭシンボル境界、スロット境界もしくはサブフレーム境界）に関して変化し得る）ので、あるいは、基地局またはｅＮＢの複数のダウンリンク送信の間でのＯＦＤＭシンボルレベルの同期が望ましいことがあるので、同期信号または整列信号が送信され得る。
【０１０７】
[0131]  いくつかの例で、同期信号または整列信号は、可変長訓練シーケンス９３０（例えば、ＯＦＤＭシンボル期間９２０の持続時間未満の持続時間を有する断片的ＣＵＢＳ）を含み得るが、固定長訓練シーケンス９３５を含まないことがある。他の例で、同期信号または整列信号は、可変長訓練シーケンス９３０と少なくとも１つの固定長訓練シーケンス９３５（例えば、各々があるＯＦＤＭシンボル期間にまたがる少なくとも１つのＣＵＢＳ）とを含み得る。他の例で、同期信号または整列信号は、固定長訓練シーケンス９３５を含み得るが、可変長訓練シーケンス９３０を含まないことがある。可変長訓練シーケンス９３０または固定長訓練シーケンス９３５（これらは個々にまたは集合的に第１の信号を構成し得る）は、いくつかの例で、ダウンリンク送信をＯＦＤＭシンボル期間９２０の境界９２５と揃えるために使用され得る。
【０１０８】
[0132]  例として、図９は、ＯＦＦ時間９４０で開始し、その後可変長訓練シーケンス９３０、固定長訓練シーケンス９３５、およびダウンリンク送信９４５が続く、第１のＬＴＥ／ＬＴＥ−Ａサブフレーム９１０を示す。いくつかの例で、ＯＦＦ時間９４０は、例えば、ＬＢＴ−ＦＢＥ送信のための１００マイクロ秒（μｓｅｃ）の最小のＯＦＦ時間およびＬＢＴ−ＬＢＥ送信のための１００μｓｅｃ（５×２０μｓｅｃ）の最大のＯＦＦ時間によって決定される、１００μｓｅｃの持続時間を有し得る。
【０１０９】
[0133]  図１０は、本開示の様々な態様による、基地局１００５（例えば、ｅＮＢの一部を形成する基地局）とＵＥ１０１５との間のメッセージフロー１０００を示す。いくつかの例で、ＵＥ１０１５は、キャリアアグリゲーションモードで動作するように構成されてよく、基地局１００５は、ＵＥ１０１５のために二次的サービングセルとして動作するように構成されてよい。いくつかの例で、メッセージフロー１０００は、免許不要無線周波数スペクトル帯域（例えば、免許不要の用途（例えば、免許不要無線周波数スペクトル帯域におけるＷｉ−Ｆｉ用途またはＬＴＥ／ＬＴＥ−Ａ用途）に少なくとも部分的に利用可能であるので装置がアクセスを争う必要があり得る無線周波数スペクトル帯域）を通じて生じ得る。
【０１１０】
[0134]  ブロック１０２０において、ＴＤＤ構成が基地局１００５によって、複数の所定の半静的ＴＤＤ構成から（例えば、図６を参照して説明された複数の所定の半静的ＴＤＤ構成６００から）選択され得る。
【０１１１】
[0135]  ブロック１０２５において、基地局１００５は、免許不要無線周波数スペクトル帯域に対してＣＣＡを行い得る。いくつかの例で、ＣＣＡはＥＣＣＡを含み得る。いくつかの例で、ＣＣＡは、免許不要無線周波数スペクトル帯域のために確立された周期的ゲーティング間隔（例えば、図３を参照して説明された周期的ゲーティング間隔のうちの１つ）と揃えられたフレームに関して行われ得る。他の例で、ＣＣＡは、周期的ゲーティング間隔と揃えられていないフレーム（例えば、連続数のアップリンクサブフレームが後続する連続数のダウンリンクサブフレームを含むフレーム）に関して行われ得る。
【０１１２】
[0136]  ブロック１０２５において行われたＣＣＡが成功したとき、基地局１００５はＵＥ１０１５に、免許不要無線周波数スペクトル帯域を通じて、ブロック１０２０において選択されたＴＤＤ構成の指示１０３０を送信できる。指示１０３０は、少なくとも部分的に、ＵＥ１０１５および他のサービングセルＵＥ（例えば、基地局１００５がサービングセルとして機能するＵＥ）と近隣基地局またはｅＮＢ（例えば、異なる事業者展開の基地局またはｅＮＢ）の両方に、ＴＤＤ構成に含まれるアップリンクサブフレームのタイミングを告知する働きをすることができる。ＴＤＤ構成に含まれるアップリンクサブフレームのタイミングの告知は、告知を受信する近隣基地局またはｅＮＢに、アップリンクサブフレームの送信中に免許不要無線周波数スペクトル帯域にアクセスするのを控えさせ得る。
【０１１３】
[0137]  いくつかの例で、ＴＤＤ構成の指示１０３０は、ブロック１０２５において行われたＣＣＡに後続する連続数のダウンリンクサブフレームおよび連続数のアップリンクサブフレームの指示を含み得る。
【０１１４】
[0138]  また、１０２５において行われたＣＣＡが成功したとき、基地局１００５は、ブロック１０２０において選択されたＴＤＤ構成に従って、ＵＥ１０１５に免許不要無線周波数スペクトル帯域を通じてダウンリンクデータ１０３５を送信できる。いくつかの例で、ＴＤＤ構成の指示１０３０は、ダウンリンクデータ１０３５の一部として送信され得る。
【０１１５】
[0139]  ブロック１０４０において、ＵＥ１０１５は、基地局１００５から受信されたＴＤＤ構成の指示１０３０に従って、アップリンク期間の初めに免許不要無線周波数スペクトル帯域に対してＣＣＡを行い得る。いくつかの例で、ＣＣＡはＥＣＣＡを含み得る。
【０１１６】
[0140]  ブロック１０４０において行われたＣＣＡが成功したとき、ＵＥ１０１５は、免許不要無線周波数スペクトル帯域を通じてプリアンブル１０４５を送信できる。プリアンブル１０４５は、ＴＤＤ構成に従ったアップリンクサブフレームの開始を示し得る。
【０１１７】
[0141]  また、ブロック１０４０において行われたＣＣＡが成功したとき、ＵＥ１０１５は、ＴＤＤ構成に従って免許不要無線周波数スペクトル帯域を通じてＵＥからアップリンクデータ１０５０を送信できる。
【０１１８】
[0142]  図１１は、本開示の様々な態様による、基地局１１０５（例えば、ｅＮＢの一部を形成する基地局）とＵＥ１１１５との間のメッセージフロー１１００を示す。いくつかの例で、ＵＥ１１１５は、キャリアアグリゲーションモードで動作するように構成されてよく、基地局１１０５は、ＵＥ１１１５のために二次的サービングセルとして動作するように構成されてよい。いくつかの例で、メッセージフロー１１００は、免許不要無線周波数スペクトル帯域（例えば、免許不要の用途（例えば、免許不要無線周波数スペクトル帯域におけるＷｉ−Ｆｉ用途またはＬＴＥ／ＬＴＥ−Ａ用途）に少なくとも部分的に利用可能であるので装置がアクセスを争う必要があり得る無線周波数スペクトル帯域）を通じて生じ得る。
【０１１９】
[0143]  ブロック１１２０において、基地局１１０５は、免許不要無線周波数スペクトル帯域に対してＣＣＡを行い得る。いくつかの例で、ＣＣＡはＥＣＣＡを含み得る。
【０１２０】
[0144]  ブロック１１２５において、基地局１１０５は、ＵＥに対する少なくとも１つの許可に少なくとも部分的に基づいて、ＣＣＡに後続する期間に関して、免許不要無線周波数スペクトル帯域を通じた通信のためのいくつかのアップリンクサブフレームのタイミングを動的に決定できる。いくつかの例で、少なくとも１つの許可は、複数のサブフレームを有するフレームに対応してよく、ＣＣＡに後続する期間における複数のサブフレームの第１の部分が、ダウンリンク使用のために半静的に構成され、ＣＣＡに後続する期間における複数のサブフレームの残存部分が、少なくとも１つの許可に少なくとも部分的に基づいてアップリンク使用またはダウンリンク使用のために動的に構成される。ＵＥに対する許可のうちの１つまたは複数を受信する近隣基地局またはｅＮＢは、１つまたは複数の許可を復号し、１つまたは複数の許可によって示されたアップリンクサブフレームの送信中に免許不要無線周波数スペクトル帯域にアクセスするのを控えることができる。いくつかの例で、ＵＥに対する少なくとも１つの許可は、アップリンク許可、ダウンリンク許可、または両方を含み得る。
【０１２１】
[0145]  ブロック１１２０において行われたＣＣＡが成功したとき、基地局１１０５は、ブロック１１２５において決定されたいくつかのアップリンクサブフレームのタイミングに従って、ＵＥ１１１５に免許不要無線周波数スペクトル帯域を通じてダウンリンクデータ１１３０を送信できる。
【０１２２】
[0146]  ブロック１１３５において、ＵＥ１１１５は、少なくとも１つの許可に少なくとも部分的に基づいて、免許不要無線周波数スペクトル帯域を通じた通信のためのいくつかのアップリンクサブフレームのタイミングを動的に決定できる。
【０１２３】
[0147]  ブロック１１４０において、ＵＥ１１１５は、いくつかのアップリンクサブフレームを含むアップリンク期間の初めに免許不要無線周波数スペクトル帯域に対してＣＣＡを行い得る。いくつかの例で、ＣＣＡはＥＣＣＡを含み得る。
【０１２４】
[0148]  ブロック１１４０において行われたＣＣＡが成功したとき、ＵＥ１１１５は、免許不要無線周波数スペクトル帯域を通じてプリアンブル１１４５を送信できる。プリアンブル１１４５は、いくつかのアップリンクサブフレームのタイミングに従ったアップリンクサブフレームの開始を示し得る。
【０１２５】
[0149]  また、ブロック１１４０において行われたＣＣＡが成功したとき、ＵＥ１１１５は、いくつかのアップリンクサブフレームのうちの少なくとも１つに従って免許不要無線周波数スペクトル帯域を通じてＵＥからアップリンクデータ１１５０を送信できる。
【０１２６】
[0150]  図１１に示されるメッセージフロー１１００は、より短いフレーム持続時間（例えば、２ｍｓまたは４ｍｓのフレーム持続時間）に有用であり得る。
【０１２７】
[0151]  図１２は、本開示の様々な態様による、免許不要無線周波数スペクトル帯域を通じた様々な送信の例１２００を示す。例として、送信は、ダウンリンク（Ｄ）サブフレームおよびアップリンク（Ｕ）サブフレームの送信を含む。ダウンリンクサブフレームは基地局またはｅＮＢによって、例えば、図１または図２を参照して説明された基地局１０５、２０５、または２１０のうちの１つによって送信され得る。アップリンクサブフレームはＵＥによって、例えば、図１または図２を参照して説明されたＵＥ１１５、２５５、２６０、２６５、または２７０のうちの１つによって送信され得る。
【０１２８】
[0152]  いくつかの例で、ダウンリンクサブフレームおよびアップリンクサブフレームの第１のセット１２０５は、キャリアアグリゲーションモードで動作する第１のＵＥのために二次的サービングセルとして動作する基地局またはｅＮＢによって、および第１のＵＥによってそれぞれ送信され得る。いくつかの例で、ダウンリンクサブフレームおよびアップリンクサブフレームの第２のセット１２１０は、キャリアアグリゲーションモードで動作する第２のＵＥのために二次的サービングセルとして動作する基地局またはｅＮＢによって、および第２のＵＥによってそれぞれ送信され得る。ダウンリンクサブフレームおよびアップリンクサブフレームは、複数のフレーム１２１５、１２２０、１２２５、１２３０、または１２３５にわたって送信され得る。複数のＷｉ−Ｆｉ送信１２４０、１２４５、または１２５０が、１つまたは複数のＷｉ−Ｆｉノードによって送信され得る。例として、Ｗｉ−Ｆｉ送信１２４０、１２４５、または１２５０は、第１のＵＥではなく第２のＵＥのＣＣＡの範囲内で行われ得る。Ｗｉ−Ｆｉ送信１２４０、１２４５、または１２５０は第２のＵＥのＣＣＡの範囲内にあるので、Ｗｉ−Ｆｉ送信１２４０、１２４５、または１２５０は、第２のＵＥとの間の送信に干渉し得る。
【０１２９】
[0153]  各連続数のダウンリンクサブフレームの前に、連続数のアップリンクリンクサブフレームが後続する連続数のダウンリンクサブフレームを含むフレームに関してＣＣＡ（例えば、ＥＣＣＡ）が行われ得る。ダウンリンクサブフレームのいくつか（例えば、ダウンリンクサブフレーム１２５５）は、ＵＥにＣＣＡ（例えば、ＥＣＣＡ）を行う機会を提供する特別なサブフレームの一部であり得る。基地局またはｅＮＢによって成功裏に行われたＥＣＣＡに続いて、基地局またはｅＮＢは、免許不要無線周波数スペクトル帯域を通じてＴＤＤ構成の指示（例えば、指示１２６０、１２６５、および１２７０）を送信でき、その後ダウンリンクデータの送信が続く。いくつかの例で、ＴＤＤ構成の指示は、成功裏に行われたＥＣＣＡに後続する連続数のダウンリンクサブフレームおよび連続数のアップリンクサブフレームの指示を含み得る。
【０１３０】
[0154]  いくつかの例で、ＴＤＤ構成の指示１２６０は、周期的ゲーティング間隔（例えば、図３を参照して説明された周期的ゲーティング間隔のうちの１つ）のフレーム境界１２７５と同期して送信され得る。いくつかの例で、ＴＤＤ構成の指示１２６５は、周期的ゲーティング間隔のフレーム境界１２８０の前に送信され得る。指示１２６５は、いくつかの連続するダウンリンクサブフレームが、第１の半静的ＴＤＤ構成の終わりに生じる第１の数のダウンリンクサブフレームと、第２の半静的ＴＤＤ構成の初めに生じる第２の数のダウンリンクサブフレームとを含むときに、周期的ゲーティング間隔のフレーム境界１２８０の前に送信され得る。これらの例で、ＴＤＤ構成の指示１２６５は、第１のＴＤＤ構成と第２のＴＤＤ構成の両方を示し得る。いくつかの例で、ＴＤＤ構成の指示１２７０は、周期的ゲーティング間隔のフレーム境界１２８０の後送信され得る。指示１２７０は、例えば、基地局またはｅＮＢが免許不要無線周波数スペクトル帯域へのアクセスを正常に争うのを妨げる、他のノードよって引き起こされた干渉を理由に（例えば、Ｗｉ−Ｆｉ送信１２４５を理由に）、周期的ゲーティング間隔のフレーム境界１２８０の後送信され得る。
【０１３１】
[0155]  各連続数のアップリンクサブフレームの前に、第１のＵＥまたは第２のＵＥによってＣＣＡ（例えば、ＵＬ  ＥＣＣＡ）が行われ得る。いくつかのフレームの場合、第１のＵＥおよび第２のＵＥの各々によって行われたＵＬ  ＥＣＣＡは、同じ時間またはほぼ同じ時間に成功することがあり、第１のＵＥおよび第２のＵＥの各々は、そのフレームに関する同じ数のアップリンクサブフレームを送信し得る。他のフレームの場合、第１のＵＥによって行われたＵＬ  ＥＣＣＡ１２８５は、第２のＵＥによって行われたＵＬ  ＥＣＣＡ１２９０とは異なる時間に成功することがあり、第１のＵＥおよび第２のＵＥは、そのフレームに関する異なる数のアップリンクサブフレームを送信し得る。いくつかの例では、別のノードによって引き起こされた干渉が、ＵＥがフレーム中にアップリンクサブフレームを送信するのを妨げ得る（例えば、Ｗｉ−Ｆｉ送信１２５０は、第２のＵＥがフレーム１２３０に関するアップリンクサブフレームを送信するのを妨げる）。
【０１３２】
[0156]  図１３は、本開示の様々な態様による、免許不要無線周波数スペクトル帯域を通じた様々な送信の例１３００を示す。例として、送信は、ダウンリンク（Ｄ）サブフレームおよびアップリンク（Ｕ）サブフレームの送信を含む。ダウンリンクサブフレームは基地局またはｅＮＢによって、例えば、図１または図２を参照して説明された基地局１０５、２０５、または２１０のうちの１つによって送信され得る。アップリンクサブフレームはＵＥによって、例えば、図１または図２を参照して説明されたＵＥ１１５、２５５、２６０、２６５、または２７０のうちの１つによって送信され得る。
【０１３３】
[0157]  いくつかの例で、ダウンリンクサブフレームおよびアップリンクサブフレームの第１のセット１３０５は、キャリアアグリゲーションモードで動作する第１のＵＥのために二次的サービングセルとして動作する基地局またはｅＮＢによって、および第１のＵＥによってそれぞれ送信され得る。いくつかの例で、ダウンリンクサブフレームおよびアップリンクサブフレームの第２のセット１３１０は、キャリアアグリゲーションモードで動作する第２のＵＥのために二次的サービングセルとして動作する基地局またはｅＮＢによって、および第２のＵＥによってそれぞれ送信され得る。ダウンリンクサブフレームおよびアップリンクサブフレームは、複数のフレーム１３１５、１３２０、１３２５、１３３０、または１３３５にわたって送信され得る。複数のＷｉ−Ｆｉ送信１３４０、１３４５、または１３５０が、１つまたは複数のＷｉ−Ｆｉノードによって送信され得る。例として、Ｗｉ−Ｆｉ送信１３４０、１３４５、または１３５０は、第１のＵＥではなく第２のＵＥのＣＣＡの範囲内で行われ得る。Ｗｉ−Ｆｉ送信１３４０、１３４５、または１３５０は第２のＵＥのＣＣＡの範囲内にあるので、Ｗｉ−Ｆｉ送信１３４０、１３４５、または１３５０は、第２のＵＥとの間の送信に干渉し得る。
【０１３４】
[0158]  周期的ゲーティング間隔（例えば、図３を参照して説明された周期的ゲーティング間隔のうちの１つ）の各フレーム境界（例えば、フレーム境界１３５５、１３６０、または１３６５）において、半静的ＴＤＤ構成（例えば、図６を参照して説明されたＴＤＤ構成６０５のうちの１つ）を有するフレームに関してＣＣＡ（例えば、ＥＣＣＡ）が行われ得る。基地局またはｅＮＢによって成功裏に行われたＥＣＣＡに続いて、基地局またはｅＮＢは、免許不要無線周波数スペクトル帯域を通じてＴＤＤ構成の指示（例えば、指示１３７０、１３７５、および１３８０）を送信でき、その後ダウンリンクデータの送信が続く。
【０１３５】
[0159]  いくつかの例で、ＴＤＤ構成の指示１３７０は、周期的ゲーティング間隔のフレーム境界１３５５と同期して送信され得る。いくつかの例で、ＴＤＤ構成の指示１３８０は、周期的ゲーティング間隔のフレーム境界１３６０の後送信され得る。指示１３８０は、例えば、基地局またはｅＮＢが免許不要無線周波数スペクトル帯域へのアクセスを正常に争うのを妨げる、他のノードよって引き起こされた干渉を理由に（例えば、Ｗｉ−Ｆｉ送信１３４５を理由に）、周期的ゲーティング間隔のフレーム境界１３６０の後送信され得る。
【０１３６】
[0160]  各連続数のアップリンクサブフレームの前に、第１のＵＥまたは第２のＵＥによってＣＣＡ（例えば、ＵＬ  ＥＣＣＡ）が行われ得る。いくつかのフレームの場合、第１のＵＥおよび第２のＵＥの各々によって行われたＵＬ  ＥＣＣＡは、同じ時間またはほぼ同じ時間に成功することがあり、第１のＵＥおよび第２のＵＥの各々は、そのフレームに関する同じ数のアップリンクサブフレームを送信し得る。他のフレームの場合、第１のＵＥによって行われたＵＬ  ＥＣＣＡ１３８５は、第２のＵＥによって行われたＵＬ  ＥＣＣＡ１３９０とは異なる時間に成功することがあり、第１のＵＥおよび第２のＵＥは、そのフレームに関する異なる数のアップリンクサブフレームを送信し得る。いくつかの例では、別のノードによって引き起こされた干渉が、ＵＥがフレーム中にアップリンクサブフレームを送信するのを妨げ得る（例えば、Ｗｉ−Ｆｉ送信１３５０は、第２のＵＥがフレーム１３３０に関するアップリンクサブフレームを送信するのを妨げる）。
【０１３７】
[0161]  図１４は、本開示の様々な態様による、免許不要無線周波数スペクトル帯域を通じた様々な送信の例１４００を示す。例として、送信は、ダウンリンク（Ｄ）サブフレームおよびアップリンク（Ｕ）サブフレームの送信を含む。ダウンリンクサブフレームは基地局またはｅＮＢによって、例えば、図１または図２を参照して説明された基地局１０５、２０５、または２１０のうちの１つによって送信され得る。アップリンクサブフレームはＵＥによって、例えば、図１または図２を参照して説明されたＵＥ１１５、２５５、２６０、２６５、または２７０のうちの１つによって送信され得る。
【０１３８】
[0162]  いくつかの例で、ダウンリンクサブフレームおよびアップリンクサブフレームは、キャリアアグリゲーションモードで動作するＵＥのために二次的サービングセルとして動作する基地局またはｅＮＢによって、およびＵＥによってそれぞれ送信され得る。ダウンリンクサブフレームおよびアップリンクサブフレームは、複数のフレーム１４０５、１４１０、１４１５、１４２０、１４２５、１４３０、１４３５、１４４０、または１４４５にわたって送信され得る。いくつかのＷｉ−Ｆｉ送信（例えば、Ｗｉ−Ｆｉ送信１４５０）が、１つまたは複数のＷｉ−Ｆｉノードによって送信され得る。例として、Ｗｉ−Ｆｉ送信１４５０は、ＵＥのＣＣＡの範囲内で行われ得る。Ｗｉ−Ｆｉ送信１４５０はＵＥのＣＣＡの範囲内にあるので、Ｗｉ−Ｆｉ送信１４５０は、ＵＥとの間の送信に干渉し得る。
【０１３９】
[0163]  ダウンリンクサブフレームが送信されるフレームに先行する各フレーム境界において、ＣＣＡ（例えば、ＥＣＣＡ）が行われ得る。基地局またはｅＮＢによって成功裏に行われたＣＣＡに続いて、基地局またはｅＮＢは、免許不要無線周波数スペクトル帯域を通じてダウンリンクデータを送信できる。
【０１４０】
[0164]  いくつかの例で、図１４に示されるダウンリンクサブフレームを送信する基地局またはｅＮＢ、並びに図１４に示されるアップリンクサブフレームを送信するＵＥは、ＵＥに対する少なくとも１つの許可（例えば、ダウンリンク許可、アップリンク許可、または両方を含む少なくとも１つの許可）に少なくとも部分的に基づいて、基地局またはｅＮＢによる成功したＣＣＡに後続する期間（例えば、１つまたは複数のフレーム）に関して、免許不要無線周波数スペクトル帯域を通じた通信のためのいくつかのアップリンクサブフレームのタイミングを動的に決定できる。
【０１４１】
[0165]  各連続数のアップリンクサブフレームの前に、ＵＥによってＣＣＡ（例えば、ＥＣＣＡ）が行われ得る。成功裏に行われたＣＣＡに続いて、ＵＥは、免許不要無線周波数スペクトル帯域を通じてプリアンブル１４５５を送信できる。プリアンブル１４５５は、いくつかのアップリンクサブフレームのタイミングに従ったアップリンクサブフレームの開始を示し得る。プリアンブル１４５５の送信に続いて、ＵＥは、いくつかのアップリンクサブフレームにおいてアップリンクデータを送信できる。
【０１４２】
[0166]  いくつかの例では、ダウンリンクサブフレームを送信する基地局またはｅＮＢのタイミングおよびアップリンクサブフレームを送信するＵＥのタイミングが同期され得る。いくつかの例で、同期は、いくつかの周期的同期ポイント１４６０のうちの１つにおいて行われてよく、同期ポイント１４６０が、例えば、シンボル境界、スロット境界、またはサブフレーム境界と一致し得る。同期ポイント間に、基地局またはｅＮＢ、並びにＵＥは、４ミリ秒のフレーム中におけるたった２つのアップリンク許可のＵＥの受信に続く、時間１４６５に始まるフレームによって示されるような、周期的ゲーティング間隔の１つまたは複数のフレーム境界と揃っていないフレームを送信し得る。
【０１４３】
[0167]  図１５は、本開示の様々な態様による、免許不要無線周波数スペクトル帯域を通じた様々な送信の例１５００を示す。例として、送信は、ダウンリンク（Ｄ）サブフレームおよびアップリンク（Ｕ）サブフレームの送信を含む。ダウンリンクサブフレームは基地局またはｅＮＢによって、例えば、図１または図２を参照して説明された基地局１０５、２０５、または２１０のうちの１つによって送信され得る。アップリンクサブフレームはＵＥによって、例えば、図１または図２を参照して説明されたＵＥ１１５、２５５、２６０、２６５、または２７０のうちの１つによって送信され得る。
【０１４４】
[0168]  いくつかの例で、ダウンリンクサブフレームおよびアップリンクサブフレームは、キャリアアグリゲーションモードで動作するＵＥのために二次的サービングセルとして動作する基地局またはｅＮＢによって、およびＵＥによってそれぞれ送信され得る。ダウンリンクサブフレームおよびアップリンクサブフレームは、複数のフレーム１５０５、１５１０、１５１５、１５２０、１５２５、１５３０、１５３５、１５４０、または１５４５にわたって送信され得る。いくつかのＷｉ−Ｆｉ送信（例えば、Ｗｉ−Ｆｉ送信１５５０）が、１つまたは複数のＷｉ−Ｆｉノードによって送信され得る。例として、Ｗｉ−Ｆｉ送信１５５０は、ＵＥのＣＣＡの範囲内で行われ得る。Ｗｉ−Ｆｉ送信１５５０はＵＥのＣＣＡの範囲内にあるので、Ｗｉ−Ｆｉ送信１５５０は、ＵＥとの間の送信に干渉し得る。
【０１４５】
[0169]  ダウンリンクサブフレームが送信されるフレームに先行する各フレーム境界において、ＣＣＡ（例えば、ＥＣＣＡ）が行われ得る。基地局またはｅＮＢによって成功裏に行われたＣＣＡに続いて、基地局またはｅＮＢは、免許不要無線周波数スペクトル帯域を通じてダウンリンクデータを送信できる。
【０１４６】
[0170]  いくつかの例で、図１５に示されるダウンリンクサブフレームを送信する基地局またはｅＮＢ、並びに図１５に示されるアップリンクサブフレームを送信するＵＥは、ＵＥに対する少なくとも１つの許可（例えば、ダウンリンク許可、アップリンク許可、または両方を含む少なくとも１つの許可）に少なくとも部分的に基づいて、基地局またはｅＮＢによる成功したＣＣＡに後続する期間（例えば、１つまたは複数のフレーム）に関して、免許不要無線周波数スペクトル帯域を通じた通信のためのいくつかのアップリンクサブフレームのタイミングを動的に決定できる。
【０１４７】
[0171]  各連続数のアップリンクサブフレームの前に、ＵＥによってＣＣＡ（例えば、ＥＣＣＡ）が行われ得る。成功裏に行われたＣＣＡに続いて、ＵＥは、免許不要無線周波数スペクトル帯域を通じてプリアンブル１５５５を送信できる。プリアンブル１５５５は、いくつかのアップリンクサブフレームのタイミングに従ったアップリンクサブフレームの開始を示し得る。プリアンブル１５５５の送信に続いて、ＵＥは、いくつかのアップリンクサブフレームにおいてアップリンクデータを送信できる。
【０１４８】
[0172]  いくつかの例では、ダウンリンクサブフレームを送信する基地局またはｅＮＢのタイミングおよびアップリンクサブフレームを送信するＵＥのタイミングが同期され得る。いくつかの例で、同期は、いくつかの周期的同期ポイント１５６０のうちの１つにおいて行われてよく、同期ポイント１５６０が、例えば、シンボル境界、スロット境界、またはサブフレーム境界と一致し得る。同期ポイント間に、基地局またはｅＮＢ、並びにＵＥは、１）４ミリ秒のフレーム中におけるたった３つのアップリンク許可のＵＥの受信に続く、時間１５６５に始まるフレーム、および２）４ミリ秒のフレーム中における２つのダウンリンクサブフレームの基地局またはｅＮＢの送信に続く、時間１５７０に始まるフレームによって示されるような、周期的ゲーティング間隔の１つまたは複数のフレーム境界と揃っていないフレームを送信し得る。
【０１４９】
[0173]  図１６は、本開示の様々な態様による、免許不要無線周波数スペクトル帯域を通じた様々な送信の例１６００を示す。例として、送信は、ダウンリンク（Ｄ）サブフレームおよびアップリンク（Ｕ）サブフレームの送信を含む。ダウンリンクサブフレームは基地局またはｅＮＢによって、例えば、図１または図２を参照して説明された基地局１０５、２０５、または２１０のうちの１つによって送信され得る。アップリンクサブフレームはＵＥによって、例えば、図１または図２を参照して説明されたＵＥ１１５、２５５、２６０、２６５、または２７０のうちの１つによって送信され得る。
【０１５０】
[0174]  いくつかの例で、ダウンリンクサブフレームおよびアップリンクサブフレームは、キャリアアグリゲーションモードで動作するＵＥのために二次的サービングセルとして動作する基地局またはｅＮＢによって、およびＵＥによってそれぞれ送信され得る。ダウンリンクサブフレームおよびアップリンクサブフレームは、複数のフレーム１６０５、１６１０、１６１５、１６２０、１６２５、１６３０、１６３５、１６４０、または１６４５にわたって送信され得る。いくつかのＷｉ−Ｆｉ送信（例えば、Ｗｉ−Ｆｉ送信１６５０または１６５５）が、１つまたは複数のＷｉ−Ｆｉノードによって送信され得る。例として、Ｗｉ−Ｆｉ送信１６５０および１６５５は、ＵＥのＣＣＡの範囲内で行われ得る。Ｗｉ−Ｆｉ送信１６５０および１６５５はＵＥのＣＣＡの範囲内にあるので、Ｗｉ−Ｆｉ送信１６５０および１６５５は、ＵＥとの間の送信に干渉し得る。
【０１５１】
[0175]  ダウンリンクサブフレームが送信されるフレームに先行する各フレーム境界において、ＣＣＡ（例えば、ＥＣＣＡ）が行われ得る。基地局またはｅＮＢによって成功裏に行われたＣＣＡに続いて、基地局またはｅＮＢは、免許不要無線周波数スペクトル帯域を通じてダウンリンクデータを送信できる。
【０１５２】
[0176]  いくつかの例で、図１６に示されるダウンリンクサブフレームを送信する基地局またはｅＮＢ、並びに図１６に示されるアップリンクサブフレームを送信するＵＥは、ＵＥに対する少なくとも１つの許可（例えば、ダウンリンク許可、アップリンク許可、または両方を含む少なくとも１つの許可）に少なくとも部分的に基づいて、基地局またはｅＮＢによる成功したＣＣＡに後続する期間（例えば、１つまたは複数のフレーム）に関して、免許不要無線周波数スペクトル帯域を通じた通信のためのいくつかのアップリンクサブフレームのタイミングを動的に決定できる。
【０１５３】
[0177]  各連続数のアップリンクサブフレームの前に、ＵＥによってＣＣＡ（例えば、ＥＣＣＡ）が行われ得る。成功裏に行われたＣＣＡに続いて、ＵＥは、免許不要無線周波数スペクトル帯域を通じてプリアンブル１６６０を送信できる。プリアンブル１６６０は、いくつかのアップリンクサブフレームのタイミングに従ったアップリンクサブフレームの開始を示し得る。プリアンブル１６６０の送信に続いて、ＵＥは、いくつかのアップリンクサブフレームにおいてアップリンクデータを送信できる。
【０１５４】
[0178]  いくつかの例では、ダウンリンクサブフレームを送信する基地局またはｅＮＢのタイミングおよびアップリンクサブフレームを送信するＵＥのタイミングが同期され得る。いくつかの例で、同期は、いくつかの周期的同期ポイント１６６５、１６７０、１６７５、または１６８０のうちの１つにおいて行われてよく、同期ポイント１６６５、１６７０、１６７５、または１６８０が、例えば、シンボル境界、スロット境界、またはサブフレーム境界と一致し得る。同期ポイント間に、基地局またはｅＮＢ、並びにＵＥは、周期的ゲーティング間隔の１つまたは複数のフレーム境界と揃っていないフレームを送信し得る。
【０１５５】
[0179]  いくつかの例では、例えば、Ｗｉ−Ｆｉ送信１６５０によって引き起こされた干渉が、アップリンク送信における第１のアップリンクサブフレームの開始過ぎまで、ＵＥによって行われるＣＣＡの成功を遅延させ得る。これらの例では、第１のアップリンクサブフレームに関するアップリンク許可が、アップリンク送信における第２のアップリンクサブフレームに関連付けられ得る。
【０１５６】
[0180]  いくつかの例では、例えば、Ｗｉ−Ｆｉ送信１６５５によって引き起こされた干渉が、アップリンク送信における第１のアップリンクサブフレームの開始過ぎまで、ＵＥによって行われるＣＣＡの成功を遅延させ得る（また、図示のように、ＣＣＡの不成功の原因となり得る）。これらの例では、第１のアップリンクサブフレームに関するアップリンク許可が失効することが可能になり得る。
【０１５７】
[0181]  図１７は、本開示の様々な態様による、免許不要無線周波数スペクトル帯域を通じた様々な送信の例１７００を示す。例として、送信は、ダウンリンク（Ｄ）サブフレームおよびアップリンク（Ｕ）サブフレームの送信を含む。ダウンリンクサブフレームは基地局またはｅＮＢによって、例えば、図１または図２を参照して説明された基地局１０５、２０５、または２１０のうちの１つによって送信され得る。アップリンクサブフレームはＵＥによって、例えば、図１または図２を参照して説明されたＵＥ１１５、２５５、２６０、２６５、または２７０のうちの１つによって送信され得る。
【０１５８】
[0182]  いくつかの例で、ダウンリンクサブフレームおよびアップリンクサブフレームは、キャリアアグリゲーションモードで動作するＵＥのために二次的サービングセルとして動作する基地局またはｅＮＢによって、およびＵＥによってそれぞれ送信され得る。ダウンリンクサブフレームおよびアップリンクサブフレームは、複数のフレーム１７０５、１７１０、１７１５、または１７２０にわたって送信され得る。いくつかのＷｉ−Ｆｉ送信（例えば、Ｗｉ−Ｆｉ送信１７２５）が、１つまたは複数のＷｉ−Ｆｉノードによって送信され得る。例として、Ｗｉ−Ｆｉ送信１７２５は、ＵＥのＣＣＡの範囲内で行われ得る。Ｗｉ−Ｆｉ送信１７２５はＵＥのＣＣＡの範囲内にあるので、Ｗｉ−Ｆｉ送信１７２５は、ＵＥとの間の送信に干渉し得る。
【０１５９】
[0183]  ダウンリンクサブフレームが送信されるフレームに先行する各フレーム境界において、ＣＣＡ（例えば、ＥＣＣＡ）が行われ得る。基地局またはｅＮＢによって成功裏に行われたＣＣＡに続いて、基地局またはｅＮＢは、免許不要無線周波数スペクトル帯域を通じてダウンリンクデータを送信できる。
【０１６０】
[0184]  いくつかの例で、図１７に示されるダウンリンクサブフレームを送信する基地局またはｅＮＢ、並びに図１７に示されるアップリンクサブフレームを送信するＵＥは、ＵＥに対する少なくとも１つの許可（例えば、ダウンリンク許可、アップリンク許可、または両方を含む少なくとも１つの許可）に少なくとも部分的に基づいて、基地局またはｅＮＢによる成功したＣＣＡに後続する期間（例えば、１つまたは複数のフレーム）に関して、免許不要無線周波数スペクトル帯域を通じた通信のためのいくつかのアップリンクサブフレームのタイミングを動的に決定できる。
【０１６１】
[0185]  各連続数のアップリンクサブフレームの前に、ＵＥによってＣＣＡ（例えば、ＥＣＣＡ）が行われ得る。成功裏に行われたＣＣＡに続いて、ＵＥは、免許不要無線周波数スペクトル帯域を通じてプリアンブル１７３０を送信できる。プリアンブル１７３０は、いくつかのアップリンクサブフレームのタイミングに従ったアップリンクサブフレームの開始を示し得る。プリアンブル１７３０の送信に続いて、ＵＥは、いくつかのアップリンクサブフレームにおいてアップリンクデータを送信できる。
【０１６２】
[0186]  いくつかの例では、ダウンリンクサブフレームを送信する基地局またはｅＮＢのタイミングおよびアップリンクサブフレームを送信するＵＥのタイミングが同期され得る。いくつかの例で、同期は、いくつかの周期的同期ポイント１７３５のうちの１つにおいて行われてよく、同期ポイント１７３５が、例えば、シンボル境界、スロット境界、またはサブフレーム境界と一致し得る。同期ポイント間に、基地局またはｅＮＢ、並びにＵＥは、周期的ゲーティング間隔の１つまたは複数のフレーム境界と揃っていないフレームを送信し得る。
【０１６３】
[0187]  いくつかの例で、干渉は、例えば、フレーム境界または同期ポイント１７３５の前に終了するＷｉ−Ｆｉ送信１７２５によって引き起こされ得る。一方、いくつかの例では、後のアップリンクサブフレームにアップリンク許可が適用されないことがあり、アップリンク許可に対応するアップリンクサブフレーム中にＵＥが送信できない場合に、ＵＥは送信しなくてよい。
【０１６４】
[0188]  図１８は、本開示の様々な態様による、ワイヤレス通信において使用するための装置１８０５のブロック図１８００を示す。いくつかの例で、装置１８０５は、図１、図２、図１０、または図１１を参照して説明された基地局１０５、２０５、２１０、１００５、または１１０５のうちの１つまたは複数の態様の例であり得る。いくつかの例で、装置１８０５は、一部であってよく、またはＬＴＥ／ＬＴＥ−Ａ基地局もしくはＬＴＥ／ＬＴＥ−Ａ  ｅＮＢを含み得る。装置１８０５はまた、プロセッサであり得る。装置１８０５は、受信機モジュール１８１０、ワイヤレス通信管理モジュール１８２０、または送信機モジュール１８３０を含み得る。これらの構成要素の各々は、互いに通信していることがある。
【０１６５】
[0189]  装置１８０５の構成要素は、ハードウェアにおいて適用可能な機能の一部または全てを行うように適応された１つまたは複数の特定用途向け集積回路（ＡＳＩＣ）を使用して、個々にまたは集合的に実装され得る。代替的に、機能は、１つまたは複数の他の処理ユニット（またはコア）によって、１つまたは複数の集積回路上で行われ得る。他の例では、当技術分野で知られている任意の方式でプログラムされ得る、他のタイプの集積回路（例えば、構造化／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって行われるようにフォーマットされた、メモリ中に具体化された命令を用いて実装され得る。
【０１６６】
[0190]  いくつかの例で、受信機モジュール１８１０は、免許無線周波数スペクトル帯域（例えば、特定の用途のために特定のユーザ（例えば、ＬＴＥ／ＬＴＥ−Ａユーザ）に免許されているので装置がアクセスを争わない無線周波数スペクトル帯域）、または免許不要無線周波数スペクトル帯域（例えば、免許不要の用途（例えば、免許不要無線周波数スペクトル帯域におけるＷｉ−Ｆｉ用途もしくはＬＴＥ／ＬＴＥ−Ａ用途）に少なくとも部分的に利用可能であるので装置がアクセスを争う必要があり得る無線周波数スペクトル帯域）を通じた送信を受信するように動作可能な少なくとも１つの無線周波数（ＲＦ）受信機のような、少なくとも１つのＲＦ受信機を含み得る。いくつかの例で、免許無線周波数スペクトル帯域または免許不要無線周波数スペクトル帯域は、例えば、図１〜図１７を参照して説明されたように、ＬＴＥ／ＬＴＥ−Ａ通信のために使用され得る。受信機モジュール１８１０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を受信するために使用され得る。通信リンクは、免許無線周波数スペクトル帯域または免許不要無線周波数スペクトル帯域上で確立され得る。
【０１６７】
[0191]  いくつかの例で、送信機モジュール１８３０は、免許無線周波数スペクトル帯域または免許不要無線周波数スペクトル帯域を通じて送信するように動作可能な少なくとも１つのＲＦ送信機のような、少なくとも１つのＲＦ送信機を含み得る。送信機モジュール１８３０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を送信するために使用され得る。通信リンクは、免許無線周波数スペクトル帯域または免許不要無線周波数スペクトル帯域上で確立され得る。
【０１６８】
[0192]  いくつかの例で、ワイヤレス通信管理モジュール１８２０は、他の装置とのワイヤレス通信の様々な態様を管理するように使用されてよく、ＣＣＡモジュール１８３５、ＴＤＤ構成管理モジュール１８４０、またはダウンリンク管理モジュール１８４５を含み得る。
【０１６９】
[0193]  いくつかの例で、ＣＣＡモジュール１８３５は、免許不要無線周波数スペクトル帯域に対してＣＣＡを行うために使用され得る。いくつかの例で、ＣＣＡはＥＣＣＡを含み得る。いくつかの例で、ＣＣＡは、免許不要無線周波数スペクトル帯域のために確立された周期的ゲーティング間隔（例えば、図３を参照して説明された周期的ゲーティング間隔のうちの１つ）と揃えられたフレームに関して行われ得る。他の例で、ＣＣＡは、周期的ゲーティング間隔と揃えられていないフレーム（例えば、連続数のアップリンクサブフレームが後続する連続数のダウンリンクサブフレームを含むフレーム）に関して行われ得る。
【０１７０】
[0194]  いくつかの例で、ＴＤＤ構成管理モジュール１８４０は、ＣＣＡモジュール１８３５によって行われたＣＣＡが成功したときに、免許不要無線周波数スペクトル帯域を通じてＴＤＤ構成の指示を送信するために使用され得る。指示は、少なくとも部分的に、サービングセルＵＥ（例えば、装置１８０５がサービングセルとして機能するＵＥ）と近隣基地局またはｅＮＢ（例えば、装置１９０５が関連付けられる事業者展開と比較して異なる事業者展開の基地局またはｅＮＢ）の両方に、ＴＤＤ構成に含まれるアップリンクサブフレームのタイミングを告知する働きをできる。ＴＤＤ構成に含まれるアップリンクサブフレームのタイミングの告知は、告知を受信する近隣基地局またはｅＮＢに、装置１８０５へのアップリンクサブフレームの送信中に免許不要無線周波数スペクトル帯域にアクセスするのを控えさせ得る。
【０１７１】
[0195]  いくつかの例で、ＴＤＤ構成の指示は、ＣＣＡモジュール１８３５によって行われたＣＣＡに後続する連続数のダウンリンクサブフレームおよび連続数のアップリンクサブフレームの指示を含み得る。
【０１７２】
[0196]  いくつかの例で、ダウンリンク管理モジュール１８４５は、ＣＣＡモジュール１８３５によって行われたＣＣＡが成功したときに、ＴＤＤ構成に従って、免許不要無線周波数スペクトル帯域を通じてダウンリンクデータを送信するために使用され得る。
【０１７３】
[0197]  図１９は、本開示の様々な態様による、ワイヤレス通信において使用するための装置１９０５のブロック図１９００を示す。いくつかの例で、装置１９０５は、図１、図２、図１０もしくは図１１を参照して説明された基地局１０５、２０５、２１０、１００５もしくは１１０５のうちの１つもしくは複数の態様、または図１８を参照して説明された装置１８０５の態様の例であり得る。いくつかの例で、装置１９０５は、一部であってよく、またはＬＴＥ／ＬＴＥ−Ａ基地局もしくはＬＴＥ／ＬＴＥ−Ａ  ｅＮＢを含み得る。装置１９０５はまた、プロセッサであり得る。装置１９０５は、受信機モジュール１９１０、ワイヤレス通信管理モジュール１９２０、または送信機モジュール１９３０を含み得る。これらの構成要素の各々は、互いに通信していることがある。
【０１７４】
[0198]  装置１９０５の構成要素は、ハードウェアにおいて適用可能な機能の一部または全てを行うように適応された１つまたは複数のＡＳＩＣを使用して、個々にまたは集合的に実装され得る。代替的に、機能は、１つまたは複数の他の処理ユニット（またはコア）によって、１つまたは複数の集積回路上で行われ得る。他の例では、当技術分野で知られている任意の方式でプログラムされ得る、他のタイプの集積回路（例えば、構造化／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【０１７５】
[0199]  いくつかの例で、受信機モジュール１９１０は、図１８を参照して説明された受信機モジュール１８１０の１つまたは複数の態様の例であり得る。いくつかの例で、受信機モジュール１９１０は、免許無線周波数スペクトル帯域（例えば、特定の用途のために特定のユーザ（例えば、ＬＴＥ／ＬＴＥ−Ａユーザ）に免許されているので装置がアクセスを争わない無線周波数スペクトル帯域）、または免許不要無線周波数スペクトル帯域（例えば、免許不要の用途（例えば、免許不要無線周波数スペクトル帯域におけるＷｉ−Ｆｉ用途もしくはＬＴＥ／ＬＴＥ−Ａ用途）に少なくとも部分的に利用可能であるので装置がアクセスを争う必要があり得る無線周波数スペクトル帯域）を通じた送信を受信するように動作可能な少なくとも１つのＲＦ受信機のような、少なくとも１つのＲＦ受信機を含み得る。いくつかの例で、免許無線周波数スペクトル帯域または免許不要無線周波数スペクトル帯域は、例えば、図１〜図１７を参照して説明されたように、ＬＴＥ／ＬＴＥ−Ａ通信のために使用され得る。いくつかの場合、受信機モジュール１９１０は、免許無線周波数スペクトル帯域および免許不要無線周波数スペクトル帯域のために別個の受信機を含み得る。別個の受信機は、いくつかの例で、免許無線周波数スペクトル帯域のためのＬＴＥ／ＬＴＥ−Ａ受信機モジュール１９１２、および免許不要無線周波数スペクトル帯域のためのＬＴＥ／ＬＴＥ−Ａ受信機モジュール１９１４の形態をとり得る。受信機モジュール１９１０はまた、装置１９０５を他の装置に（例えば、他のＬＴＥ／ＬＴＥ−Ａ基地局またはＬＴＥ／ＬＴＥ−Ａ  ｅＮＢに）接続する有線またはワイヤレスバックホールを通じて通信するためのバックホール受信機モジュールのような他の受信機モジュールを含み得る。免許無線周波数スペクトル帯域のためのＬＴＥ／ＬＴＥ−Ａ受信機モジュール１９１２および免許不要無線周波数スペクトル帯域のためのＬＴＥ／ＬＴＥ−Ａ受信機モジュール１９１４を含む、受信機モジュール１９１０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を受信するために使用され得る。通信リンクは、免許無線周波数スペクトル帯域または免許不要無線周波数スペクトル帯域上で確立され得る。
【０１７６】
[0200]  いくつかの例で、送信機モジュール１９３０は、図１８を参照して説明された送信機モジュール１８３０の１つまたは複数の態様の例であり得る。いくつかの例で、送信機モジュール１９３０は、免許無線周波数スペクトル帯域または免許不要無線周波数スペクトル帯域を通じて送信するように動作可能な少なくとも１つのＲＦ送信機のような、少なくとも１つのＲＦ送信機を含み得る。いくつかの場合、送信機モジュール１９３０は、免許無線周波数スペクトル帯域および免許不要無線周波数スペクトル帯域のために別個の送信機を含み得る。別個の送信機は、いくつかの例で、免許無線周波数スペクトル帯域のためのＬＴＥ／ＬＴＥ−Ａ送信機モジュール１９３２、および免許不要無線周波数スペクトル帯域のためのＬＴＥ／ＬＴＥ−Ａ送信機モジュール１９３４の形態をとり得る。送信機モジュール１９３０はまた、装置１９０５を他の装置に（例えば、他のＬＴＥ／ＬＴＥ−Ａ基地局またはＬＴＥ／ＬＴＥ−Ａ  ｅＮＢに）接続する有線またはワイヤレスバックホールを通じて通信するためのバックホール送信機モジュールのような他の送信機モジュールを含み得る。免許無線周波数スペクトル帯域のためのＬＴＥ／ＬＴＥ−Ａ送信機モジュール１９３２および免許不要無線周波数スペクトル帯域のためのＬＴＥ／ＬＴＥ−Ａ送信機モジュール１９３４を含む、送信機モジュール１９３０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を送信するために使用され得る。通信リンクは、免許無線周波数スペクトル帯域または免許不要無線周波数スペクトル帯域上で確立され得る。
【０１７７】
[0201]  いくつかの例で、ワイヤレス通信管理モジュール１９２０は、図１８を参照して説明されたワイヤレス通信管理モジュール１８２０の１つまたは複数の態様の例であり得る。ワイヤレス通信管理モジュール１９２０は、ＥＣＣＡモジュール１９３５、ＴＤＤ構成管理モジュール１９４０、ダウンリンク管理モジュール１９５５、アップリンク管理モジュール１９６０、または同期モジュール１９６５を含み得る。
【０１７８】
[0202]  いくつかの例で、ＥＣＣＡモジュール１９３５は、図１８を参照して説明されたＣＣＡモジュール１８３５の１つまたは複数の態様の例であり得る。いくつかの例で、ＥＣＣＡモジュール１９３５は、免許不要無線周波数スペクトル帯域に対してＥＣＣＡを行うために使用され得る。いくつかの例で、ＥＣＣＡは、免許不要無線周波数スペクトル帯域のために確立された周期的ゲーティング間隔（例えば、図３を参照して説明された周期的ゲーティング間隔のうちの１つ）と揃えられたフレームに関して行われ得る。他の例で、ＥＣＣＡは、周期的ゲーティング間隔と揃えられていないフレーム（例えば、連続数のアップリンクサブフレームが後続する連続数のダウンリンクサブフレームを含むフレーム）に関して行われ得る。
【０１７９】
[0203]  いくつかの例で、ＴＤＤ構成管理モジュール１９４０は、図１８を参照して説明されたＴＤＤ構成管理モジュール１８４０の１つまたは複数の態様の例であり得る。いくつかの例で、ＴＤＤ構成管理モジュール１９４０は、ＴＤＤ構成選択モジュール１９４５またはＴＤＤ遷移管理モジュール１９５０を含み得る。ＴＤＤ構成選択モジュール１９４５は、装置１９０５による使用のためのＴＤＤ構成を複数の所定の半静的ＴＤＤ構成から選択するために使用され得る。
【０１８０】
[0204]  いくつかの例で、ＴＤＤ構成管理モジュール１９４０は、ＥＣＣＡモジュール１９３５によって行われたＥＣＣＡが成功したときに、免許不要無線周波数スペクトル帯域を通じて、選択されたＴＤＤ構成の指示を送信するために使用され得る。指示は、少なくとも部分的に、サービングセルＵＥ（例えば、装置１９０５がサービングセルとして機能するＵＥ）と近隣基地局またはｅＮＢ（例えば、装置１９０５が関連付けられる事業者展開と比較して異なる事業者展開の基地局またはｅＮＢ）の両方に、ＴＤＤ構成に含まれるアップリンクサブフレームのタイミングを告知する働きをできる。ＴＤＤ構成に含まれるアップリンクサブフレームのタイミングの告知は、告知を受信する近隣基地局またはｅＮＢに、装置１９０５へのアップリンクサブフレームの送信中に免許不要無線周波数スペクトル帯域にアクセスするのを控えさせ得る。
【０１８１】
[0205]  いくつかの例で、ＴＤＤ構成の指示を送信することは、ＴＤＤ構成選択モジュール１９４５によって選択されたＴＤＤ構成に関連付けられるインデックスを送信することを含み得る。いくつかの例で、ＴＤＤ構成の指示を送信することは、ＥＣＣＡモジュール１９３５によって行われたＥＣＣＡに後続する連続数のダウンリンクサブフレームおよび連続数のアップリンクサブフレームの指示を送信することを含み得る。いくつかの例で、ＴＤＤ構成の指示は、第１のＴＤＤ構成と第２のＴＤＤ構成とを示すことによって、ＥＣＣＡに後続する連続数のダウンリンクサブフレームと連続数のアップリンクサブフレームとを示すことができ、そこから、第１のＴＤＤ構成および第２のＴＤＤ構成が複数の所定の半静的ＴＤＤ構成から選択され得る。
【０１８２】
[0206]  いくつかの例で、ＴＤＤ構成の指示は、ＥＣＣＡに関連付けられるフレームの第１のダウンリンクサブフレームにおいて免許不要無線周波数スペクトル帯域を通じて送信され得る。他の例で、ＴＤＤ構成の指示は、ＥＣＣＡに関連付けられるフレームの任意のダウンリンクサブフレームまたは各ダウンリンクサブフレームにおいて免許不要無線周波数スペクトル帯域を通じて送信され得る。
【０１８３】
[0207]  ＥＣＣＡモジュール１９３５が免許不要無線周波数スペクトル帯域のために確立された周期的ゲーティング間隔と揃えられていないフレームに関してＥＣＣＡを行う例で、ＴＤＤ遷移管理モジュール１９５０は、フレーム中に第１のＴＤＤ構成による動作から第２のＴＤＤ構成による動作にダウンリンク管理モジュール１９５５の動作を遷移させるために使用され得る。これらの例で、ＴＤＤ構成管理モジュール１９４０によって送信されたＴＤＤ構成の指示は、第１のＴＤＤ構成と第２のＴＤＤ構成の両方を示し得る。
【０１８４】
[0208]  いくつかの例で、ダウンリンク管理モジュール１９５５は、図１８を参照して説明されたダウンリンク管理モジュール１８４５の１つまたは複数の態様の例であり得る。いくつかの例で、ダウンリンク管理モジュール１９５５は、ＥＣＣＡモジュール１９３５によって行われたＥＣＣＡが成功したときに、ＴＤＤ構成に従って、免許不要無線周波数スペクトル帯域を通じてダウンリンクデータを送信するために使用され得る。いくつかの例で、ダウンリンク管理モジュール１９５５は、装置１９０５の送信タイミングを、免許不要無線周波数スペクトル帯域上で動作するように構成された少なくとも１つのＵＥのタイミングと同期させるために、ＥＣＣＡモジュール１９３５がＥＣＣＡを成功裏に行った後、およびＴＤＤ構成管理モジュール１９４０がＴＤＤ構成の指示を送信するか、またはダウンリンク管理モジュール１９５５がダウンリンクデータを送信する前に、少なくとも１つの完全または断片的な信号（例えば、完全または断片的なＲＳまたはＣＵＢＳ）を送信するために使用され得る。いくつかの例で、少なくとも１つの完全または断片的な信号は、装置１９０５の送信をシンボル境界（例えば、ＯＦＤＭシンボル境界）、スロット境界、またはサブフレーム境界と同期させるために送信され得る。
【０１８５】
[0209]  アップリンク管理モジュール１９６０は、ＵＥからプリアンブルを受信するために使用され得る。プリアンブルは、ＴＤＤ構成に従ったアップリンクサブフレームの開始を示し得る。アップリンク管理モジュール１９６０はまた、ＵＥからアップリンクデータを受信するために使用され得る。
【０１８６】
[0210]  同期モジュール１９６５は、免許不要無線周波数スペクトル帯域上で動作するように構成された少なくとも１つの基地局またはｅＮＢのタイミングを、免許不要無線周波数スペクトル帯域上で動作するように構成された少なくとも１つのＵＥのタイミングと周期的に同期させるために使用され得る。いくつかの例で、同期は、シンボル境界（例えば、ＯＦＤＭシンボル境界）、スロット境界、またはサブフレーム境界のうちの１つまたは複数において生じ得る。
【０１８７】
[0211]  図２０は、本開示の様々な態様による、ワイヤレス通信において使用するための装置２００５のブロック図２０００を示す。いくつかの例で、装置２００５は、図１、図２、図１０、または図１１を参照して説明された基地局１０５、２０５、２１０、１００５、または１１０５のうちの１つまたは複数の態様の例であり得る。いくつかの例で、装置２００５は、一部であってよく、またはＬＴＥ／ＬＴＥ−Ａ基地局もしくはＬＴＥ／ＬＴＥ−Ａ  ｅＮＢを含み得る。装置２００５はまた、プロセッサであり得る。装置２００５は、受信機モジュール２０１０、ワイヤレス通信管理モジュール２０２０、または送信機モジュール２０３０を含み得る。これらの構成要素の各々は、互いに通信していることがある。
【０１８８】
[0212]  装置２００５の構成要素は、ハードウェアにおいて適用可能な機能の一部または全てを行うように適応された１つまたは複数の特定用途向け集積回路（ＡＳＩＣ）を使用して、個々にまたは集合的に実装され得る。代替的に、機能は、１つまたは複数の他の処理ユニット（またはコア）によって、１つまたは複数の集積回路上で行われ得る。他の例では、当技術分野で知られている任意の方式でプログラムされ得る、他のタイプの集積回路（例えば、構造化／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【０１８９】
[0213]  いくつかの例で、受信機モジュール２０１０は、免許無線周波数スペクトル帯域（例えば、特定の用途のために特定のユーザ（例えば、ＬＴＥ／ＬＴＥ−Ａユーザ）に免許されているので装置がアクセスを争わない無線周波数スペクトル帯域）、または免許不要無線周波数スペクトル帯域（例えば、免許不要の用途（例えば、免許不要無線周波数スペクトル帯域におけるＷｉ−Ｆｉ用途もしくはＬＴＥ／ＬＴＥ−Ａ用途）に少なくとも部分的に利用可能であるので装置がアクセスを争う必要があり得る無線周波数スペクトル帯域）を通じた送信を受信するように動作可能な少なくとも１つの無線周波数（ＲＦ）受信機のような、少なくとも１つのＲＦ受信機を含み得る。いくつかの例で、免許無線周波数スペクトル帯域または免許不要無線周波数スペクトル帯域は、例えば、図１〜図１７を参照して説明されたように、ＬＴＥ／ＬＴＥ−Ａ通信のために使用され得る。受信機モジュール２０１０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を受信するために使用され得る。通信リンクは、免許無線周波数スペクトル帯域または免許不要無線周波数スペクトル帯域上で確立され得る。
【０１９０】
[0214]  いくつかの例で、送信機モジュール２０３０は、免許無線周波数スペクトル帯域または免許不要無線周波数スペクトル帯域を通じて送信するように動作可能な少なくとも１つのＲＦ送信機のような、少なくとも１つのＲＦ送信機を含み得る。送信機モジュール２０３０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を送信するために使用され得る。通信リンクは、免許無線周波数スペクトル帯域または免許不要無線周波数スペクトル帯域上で確立され得る。
【０１９１】
[0215]  いくつかの例で、ワイヤレス通信管理モジュール２０２０は、他の装置とのワイヤレス通信の様々な態様を管理するように使用されてよく、ＣＣＡモジュール２０３５、アップリンクサブフレームタイミング決定モジュール２０４０、またはダウンリンク管理モジュール２０４５を含み得る。
【０１９２】
[0216]  いくつかの例で、ＣＣＡモジュール２０３５は、免許不要無線周波数スペクトル帯域に対してＣＣＡを行うために使用され得る。いくつかの例で、ＣＣＡはＥＣＣＡを含み得る。いくつかの例で、ＣＣＡは、免許不要無線周波数スペクトル帯域のために確立された１つまたは複数の周期的ゲーティング間隔（例えば、図３を参照して説明された周期的ゲーティング間隔のうちの１つまたは複数）と揃えられた期間（例えば、１つまたは複数のフレーム）に関して行われ得る。他の例で、ＣＣＡは、周期的ゲーティング間隔と揃えられていない期間（例えば、１つまたは複数のフレーム）（例えば、連続数のアップリンクサブフレームが後続する連続数のダウンリンクサブフレームを含む１つまたは複数のフレーム）に関して行われ得る。
【０１９３】
[0217]  いくつかの例で、アップリンクサブフレームタイミング決定モジュール２０４０は、ＵＥに対する少なくとも１つの許可に少なくとも部分的に基づいて、ＣＣＡに後続する期間に関して、免許不要無線周波数スペクトル帯域を通じた通信のためのいくつかのアップリンクサブフレームのタイミングを動的に決定するために使用され得る。いくつかの例で、少なくとも１つの許可は、複数のサブフレームを有する期間（例えば、１つまたは複数のフレーム）に対応してよく、その期間における複数のサブフレームの第１の部分が、ダウンリンク使用のために半静的に構成され、その期間における複数のサブフレームの残存部分が、少なくとも１つの許可に少なくとも部分的に基づいてアップリンク使用またはダウンリンク使用のために動的に構成される。ＵＥに対する許可のうちの１つまたは複数を受信する近隣基地局またはｅＮＢは、１つまたは複数の許可を復号し、１つまたは複数の許可によって示されたアップリンクサブフレームの送信中に免許不要無線周波数スペクトル帯域にアクセスするのを控えることができる。いくつかの例で、ＵＥに対する少なくとも１つの許可は、アップリンク許可、ダウンリンク許可、または両方を含み得る。
【０１９４】
[0218]  いくつかの例で、ダウンリンク管理モジュール２０４５は、ＣＣＡモジュール２０３５によって行われたＣＣＡが成功したときに、いくつかのアップリンクサブフレームのタイミングに従って、免許不要無線周波数スペクトル帯域を通じてダウンリンクデータを送信するために使用され得る。
【０１９５】
[0219]  図２１は、本開示の様々な態様による、ワイヤレス通信において使用するための装置２１０５のブロック図２１００を示す。いくつかの例で、装置２１０５は、図１、図２、図１０もしくは図１１を参照して説明された基地局１０５、２０５、２１０、１００５もしくは１１０５のうちの１つもしくは複数の態様、または図２０を参照して説明された装置２００５の態様の例であり得る。いくつかの例で、装置２１０５は、一部であってよく、またはＬＴＥ／ＬＴＥ−Ａ基地局もしくはＬＴＥ／ＬＴＥ−Ａ  ｅＮＢを含み得る。装置２１０５はまた、プロセッサであり得る。装置２１０５は、受信機モジュール２１１０、ワイヤレス通信管理モジュール２１２０、または送信機モジュール２１３０を含み得る。これらの構成要素の各々は、互いに通信していることがある。
【０１９６】
[0220]  装置２１０５の構成要素は、ハードウェアにおいて適用可能な機能の一部または全てを行うように適応された１つまたは複数のＡＳＩＣを使用して、個々にまたは集合的に実装され得る。代替的に、機能は、１つまたは複数の他の処理ユニット（またはコア）によって、１つまたは複数の集積回路上で行われ得る。他の例では、当技術分野で知られている任意の方式でプログラムされ得る、他のタイプの集積回路（例えば、構造化／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【０１９７】
[0221]  いくつかの例で、受信機モジュール２１１０は、図２０を参照して説明された受信機モジュール２０１０の１つまたは複数の態様の例であり得る。いくつかの例で、受信機モジュール２１１０は、免許無線周波数スペクトル帯域（例えば、特定の用途のために特定のユーザ（例えば、ＬＴＥ／ＬＴＥ−Ａユーザ）に免許されているので装置がアクセスを争わない無線周波数スペクトル帯域）、または免許不要無線周波数スペクトル帯域（例えば、免許不要の用途（例えば、免許不要無線周波数スペクトル帯域におけるＷｉ−Ｆｉ用途もしくはＬＴＥ／ＬＴＥ−Ａ用途）に少なくとも部分的に利用可能であるので装置がアクセスを争う必要があり得る無線周波数スペクトル帯域）を通じた送信を受信するように動作可能な少なくとも１つのＲＦ受信機のような、少なくとも１つのＲＦ受信機を含み得る。いくつかの例で、免許無線周波数スペクトル帯域または免許不要無線周波数スペクトル帯域は、例えば、図１〜図１７を参照して説明されたように、ＬＴＥ／ＬＴＥ−Ａ通信のために使用され得る。いくつかの場合、受信機モジュール２１１０は、免許無線周波数スペクトル帯域および免許不要無線周波数スペクトル帯域のために別個の受信機を含み得る。別個の受信機は、いくつかの例で、免許無線周波数スペクトル帯域のためのＬＴＥ／ＬＴＥ−Ａ受信機モジュール２１１２、および免許不要無線周波数スペクトル帯域のためのＬＴＥ／ＬＴＥ−Ａ受信機モジュール２１１４の形態をとり得る。受信機モジュール２１１０はまた、装置２１０５を他の装置に（例えば、他のＬＴＥ／ＬＴＥ−Ａ基地局またはＬＴＥ／ＬＴＥ−Ａ  ｅＮＢに）接続する有線またはワイヤレスバックホールを通じて通信するためのバックホール受信機モジュールのような他の受信機モジュールを含み得る。免許無線周波数スペクトル帯域のためのＬＴＥ／ＬＴＥ−Ａ受信機モジュール２１１２および免許不要無線周波数スペクトル帯域のためのＬＴＥ／ＬＴＥ−Ａ受信機モジュール２１１４を含む、受信機モジュール２１１０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を受信するために使用され得る。通信リンクは、免許無線周波数スペクトル帯域または免許不要無線周波数スペクトル帯域上で確立され得る。
【０１９８】
[0222]  いくつかの例で、送信機モジュール２１３０は、図２０を参照して説明された送信機モジュール２０３０の１つまたは複数の態様の例であり得る。いくつかの例で、送信機モジュール２１３０は、免許無線周波数スペクトル帯域または免許不要無線周波数スペクトル帯域を通じて送信するように動作可能な少なくとも１つのＲＦ送信機のような、少なくとも１つのＲＦ送信機を含み得る。いくつかの場合、送信機モジュール２１３０は、免許無線周波数スペクトル帯域および免許不要無線周波数スペクトル帯域のために別個の送信機を含み得る。別個の送信機は、いくつかの例で、免許無線周波数スペクトル帯域のためのＬＴＥ／ＬＴＥ−Ａ送信機モジュール２１３２、および免許不要無線周波数スペクトル帯域のためのＬＴＥ／ＬＴＥ−Ａ送信機モジュール２１３４の形態をとり得る。送信機モジュール２１３０はまた、装置２１０５を他の装置に（例えば、他のＬＴＥ／ＬＴＥ−Ａ基地局またはＬＴＥ／ＬＴＥ−Ａ  ｅＮＢに）接続する有線またはワイヤレスバックホールを通じて通信するためのバックホール送信機モジュールのような他の送信機モジュールを含み得る。免許無線周波数スペクトル帯域のためのＬＴＥ／ＬＴＥ−Ａ送信機モジュール２１３２および免許不要無線周波数スペクトル帯域のためのＬＴＥ／ＬＴＥ−Ａ送信機モジュール２１３４を含む、送信機モジュール２１３０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を送信するために使用され得る。通信リンクは、免許無線周波数スペクトル帯域または免許不要無線周波数スペクトル帯域上で確立され得る。
【０１９９】
[0223]  いくつかの例で、ワイヤレス通信管理モジュール２１２０は、図２０を参照して説明されたワイヤレス通信管理モジュール２０２０の１つまたは複数の態様の例であり得る。ワイヤレス通信管理モジュール２１２０は、ＥＣＣＡモジュール２１３５、許可送信モジュール２１４０、アップリンクサブフレームタイミング決定モジュール２１４５、ダウンリンク管理モジュール２１５５、アップリンク管理モジュール２１６０、または同期モジュール２１６５を含み得る。
【０２００】
[0224]  いくつかの例で、ＥＣＣＡモジュール２１３５は、図２０を参照して説明されたＣＣＡモジュール２０３５の１つまたは複数の態様の例であり得る。いくつかの例で、ＥＣＣＡモジュール２１３５は、免許不要無線周波数スペクトル帯域に対してＥＣＣＡを行うために使用され得る。
【０２０１】
[0225]  いくつかの例で、許可送信モジュール２１４０は、ＵＥに対する少なくとも１つの許可を送信するために使用され得る。少なくとも１つの許可は、免許不要無線周波数スペクトル帯域に関連付けられ得る。いくつかの例で、少なくとも１つの許可は、複数のサブフレームを有する期間（例えば、１つまたは複数のフレーム）に対応してよく、その期間における複数のサブフレームの第１の部分が、ダウンリンク使用のために半静的に構成され、その期間における複数のサブフレームの残存部分が、少なくとも１つの許可に少なくとも部分的に基づいてアップリンク使用またはダウンリンク使用のために動的に構成される。ＵＥに対する許可のうちの１つまたは複数を受信する近隣基地局またはｅＮＢは、１つまたは複数の許可を復号し、１つまたは複数の許可によって示されたアップリンクサブフレームの送信中に免許不要無線周波数スペクトル帯域にアクセスするのを控えることができる。いくつかの例で、ＵＥに対する少なくとも１つの許可は、アップリンク許可、ダウンリンク許可、または両方を含み得る。
【０２０２】
[0226]  いくつかの例で、アップリンクサブフレームタイミング決定モジュール２１４５は、図２０を参照して説明されたアップリンクサブフレームタイミング決定モジュール２０４０の１つまたは複数の態様の例であり得る。いくつかの例で、アップリンクサブフレームタイミング決定モジュール２１４５は、ＵＥに対する少なくとも１つの許可に少なくとも部分的に基づいて、成功したＣＣＡに後続する期間に関して、免許不要無線周波数スペクトル帯域を通じた通信のためのいくつかのアップリンクサブフレームのタイミングを動的に決定するために使用され得る。
【０２０３】
[0227]  いくつかの例で、ダウンリンク管理モジュール２１５５は、図２０を参照して説明されたダウンリンク管理モジュール２０４５の１つまたは複数の態様の例であり得る。いくつかの例で、ダウンリンク管理モジュール２１５５は、ＥＣＣＡモジュール２１３５によって行われたＥＣＣＡが成功したときに、いくつかのアップリンクサブフレームのタイミングに従って、免許不要無線周波数スペクトル帯域を通じてダウンリンクデータを送信するために使用され得る。いくつかの例で、ダウンリンク管理モジュール２１５５は、装置２１０５の送信タイミングを、免許不要無線周波数スペクトル帯域上で動作するように構成された少なくとも１つのＵＥのタイミングと同期させるために、ＥＣＣＡモジュール２１３５がＥＣＣＡを成功裏に行った後、およびダウンリンク管理モジュール２１５５がダウンリンクデータを送信する前に、少なくとも１つの完全または断片的な信号（例えば、完全または断片的なＲＳまたはＣＵＢＳ）を送信するために使用され得る。いくつかの例で、少なくとも１つの完全または断片的な信号は、装置２１０５の送信をシンボル境界（例えば、ＯＦＤＭシンボル境界）、スロット境界、またはサブフレーム境界と同期させるために送信され得る。
【０２０４】
[0228]  アップリンク管理モジュール２１６０は、ＵＥからプリアンブルを受信するために使用され得る。プリアンブルは、成功したＣＣＡに後続する期間中のアップリンクサブフレームの開始を示し得る。アップリンク管理モジュール２１６０はまた、ＵＥからアップリンクデータを受信するために使用され得る。
【０２０５】
[0229]  同期モジュール２１６５は、免許不要無線周波数スペクトル帯域上で動作するように構成された少なくとも１つの基地局またはｅＮＢのタイミングを、免許不要無線周波数スペクトル帯域上で動作するように構成された少なくとも１つのＵＥのタイミングと周期的に同期させるために使用される。いくつかの例で、同期は、シンボル境界（例えば、ＯＦＤＭシンボル境界）、スロット境界、またはサブフレーム境界のうちの１つまたは複数において生じ得る。
【０２０６】
[0230]  図２２は、本開示の様々な態様による、ワイヤレス通信において使用するための装置２２１５のブロック図２２００を示す。いくつかの例で、装置２２１５は、図１、図２、図１０、または図１１を参照して説明されたＵＥ１１５、２５５、２６０、２６５、２７０、１０１５、または１１１５のうちの１つまたは複数の態様の例であり得る。いくつかの例で、装置２２１５は、一部であってよく、またはＬＴＥ／ＬＴＥ−Ａ基地局もしくはＬＴＥ／ＬＴＥ−Ａ  ｅＮＢを含み得る。装置２２１５はまた、プロセッサであり得る。装置２２１５は、受信機モジュール２２１０、ワイヤレス通信管理モジュール２２２０、または送信機モジュール２２３０を含み得る。これらの構成要素の各々は、互いに通信していることがある。
【０２０７】
[0231]  装置２２１５の構成要素は、ハードウェアにおいて適用可能な機能の一部または全てを行うように適応された１つまたは複数のＡＳＩＣを使用して、個々にまたは集合的に実装され得る。代替的に、機能は、１つまたは複数の他の処理ユニット（またはコア）によって、１つまたは複数の集積回路上で行われ得る。他の例では、当技術分野で知られている任意の方式でプログラムされ得る、他のタイプの集積回路（例えば、構造化／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【０２０８】
[0232]  いくつかの例で、受信機モジュール２２１０は、免許無線周波数スペクトル帯域（例えば、特定の用途のために特定のユーザ（例えば、ＬＴＥ／ＬＴＥ−Ａユーザ）に免許されているので装置がアクセスを争わない無線周波数スペクトル帯域）、または免許不要無線周波数スペクトル帯域（例えば、免許不要の用途（例えば、免許不要無線周波数スペクトル帯域におけるＷｉ−Ｆｉ用途もしくはＬＴＥ／ＬＴＥ−Ａ用途）に少なくとも部分的に利用可能であるので装置がアクセスを争う必要があり得る無線周波数スペクトル帯域）を通じた送信を受信するように動作可能な少なくとも１つのＲＦ受信機のような、少なくとも１つのＲＦ受信機を含み得る。いくつかの例で、免許無線周波数スペクトル帯域または免許不要無線周波数スペクトル帯域は、例えば、図１〜図１７を参照して説明されたように、ＬＴＥ／ＬＴＥ−Ａ通信のために使用され得る。受信機モジュール２２１０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を受信するために使用され得る。通信リンクは、免許無線周波数スペクトル帯域または免許不要無線周波数スペクトル帯域上で確立され得る。
【０２０９】
[0233]  いくつかの例で、送信機モジュール２２３０は、免許無線周波数スペクトル帯域または免許不要無線周波数スペクトル帯域を通じて送信するように動作可能な少なくとも１つのＲＦ送信機のような、少なくとも１つのＲＦ送信機を含み得る。送信機モジュール２２３０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を送信するために使用され得る。通信リンクは、免許無線周波数スペクトル帯域または免許不要無線周波数スペクトル帯域上で確立され得る。
【０２１０】
[0234]  いくつかの例で、ワイヤレス通信管理モジュール２２２０は、他の装置とのワイヤレス通信の様々な態様を管理するように使用されてよく、ＴＤＤ構成管理モジュール２２３５、ＣＣＡモジュール２２４０、またはアップリンク管理モジュール２２４５を含み得る。
【０２１１】
[0235]  いくつかの例で、ＴＤＤ構成管理モジュール２２３５は、免許不要無線周波数スペクトル帯域を通じてＴＤＤ構成の指示を受信するために使用され得る。いくつかの例で、ＴＤＤ構成の指示は、フレーム（例えば、免許不要無線周波数スペクトル帯域を通じたワイヤレス通信のフレーム）中の連続数のダウンリンクサブフレームおよび連続数のアップリンクサブフレームの指示を含み得る。
【０２１２】
[0236]  いくつかの例で、ＣＣＡモジュール２２４０は、ＴＤＤ構成に従ってアップリンク期間の初めに免許不要無線周波数スペクトル帯域に対してＣＣＡを行うために使用され得る。いくつかの例で、ＣＣＡはＥＣＣＡを含み得る。
【０２１３】
[0237]  いくつかの例で、アップリンク管理モジュール２２４５は、ＣＣＡモジュール２２４０によって行われたＣＣＡが成功したときに、受信されたＴＤＤ構成に従って、免許不要無線周波数スペクトル帯域を通じて装置２２１５からアップリンクデータを送信するために使用され得る。
【０２１４】
[0238]  いくつかの例で、ＣＣＡモジュール２２４０またはアップリンク管理モジュール２２４５によって行われる動作は、装置２２１５のために二次的サービングセルとして動作する基地局またはｅＮＢが、免許不要無線周波数スペクトル帯域を通じた基地局またはｅＮＢへの送信を行うように装置２２１５をスケジュールしたときのみ、装置２２１５によって行われ得る。いくつかの例で、装置２２１５は、主要サービングセルにＢＳＲを送信し、それによって装置２２１５が送信することになるデータの量を主要サービングセルに示すことによって、免許不要無線周波数スペクトル帯域を通じた送信を行うように装置２２１５をスケジュールすることを基地局またはｅＮＢに行わせることができる。主要サービングセルは、装置２２１５のために二次的サービングセルとして動作する同じ基地局もしくはｅＮＢによって、または異なる基地局もしくはｅＮＢによって提供され得る。
【０２１５】
[0239]  図２３は、本開示の様々な態様による、ワイヤレス通信において使用するための装置２３１５のブロック図２３００を示す。いくつかの例で、装置２３１５は、図１、図２、図１０、または図１１を参照して説明されたＵＥ１１５、２５５、２６０、２６５、２７０、１０１５、または１１１５のうちの１つまたは複数の態様の例であり得る。いくつかの例で、装置２３１５は、一部であってよく、またはＬＴＥ／ＬＴＥ−Ａ基地局もしくはＬＴＥ／ＬＴＥ−Ａ  ｅＮＢを含み得る。装置２３１５はまた、プロセッサであり得る。装置２３１５は、受信機モジュール２３１０、ワイヤレス通信管理モジュール２３２０、または送信機モジュール２３３０を含み得る。これらの構成要素の各々は、互いに通信していることがある。
【０２１６】
[0240]  装置２３１５の構成要素は、ハードウェアにおいて適用可能な機能の一部または全てを行うように適応された１つまたは複数のＡＳＩＣを使用して、個々にまたは集合的に実装され得る。代替的に、機能は、１つまたは複数の他の処理ユニット（またはコア）によって、１つまたは複数の集積回路上で行われ得る。他の例では、当技術分野で知られている任意の方式でプログラムされ得る、他のタイプの集積回路（例えば、構造化／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【０２１７】
[0241]  いくつかの例で、受信機モジュール２３１０は、図２２を参照して説明された受信機モジュール２２１０の１つまたは複数の態様の例であり得る。いくつかの例で、受信機モジュール２３１０は、免許無線周波数スペクトル帯域（例えば、特定の用途のために特定のユーザ（例えば、ＬＴＥ／ＬＴＥ−Ａユーザ）に免許されているので装置がアクセスを争わない無線周波数スペクトル帯域）、または免許不要無線周波数スペクトル帯域（例えば、免許不要の用途（例えば、免許不要無線周波数スペクトル帯域におけるＷｉ−Ｆｉ用途もしくはＬＴＥ／ＬＴＥ−Ａ用途）に少なくとも部分的に利用可能であるので装置がアクセスを争う必要があり得る無線周波数スペクトル帯域）を通じた送信を受信するように動作可能な少なくとも１つのＲＦ受信機のような、少なくとも１つのＲＦ受信機を含み得る。いくつかの例で、免許無線周波数スペクトル帯域または免許不要無線周波数スペクトル帯域は、例えば、図１〜図１７を参照して説明されたように、ＬＴＥ／ＬＴＥ−Ａ通信のために使用され得る。いくつかの場合、受信機モジュール２３１０は、免許無線周波数スペクトル帯域および免許不要無線周波数スペクトル帯域のために別個の受信機を含み得る。別個の受信機は、いくつかの例で、免許無線周波数スペクトル帯域のためのＬＴＥ／ＬＴＥ−Ａ受信機モジュール２３１２、および免許不要無線周波数スペクトル帯域のためのＬＴＥ／ＬＴＥ−Ａ受信機モジュール２３１４の形態をとり得る。受信機モジュール２３１０はまた、装置２３１５を他の装置に（例えば、他のＬＴＥ／ＬＴＥ−Ａ基地局またはＬＴＥ／ＬＴＥ−Ａ  ｅＮＢに）接続する有線またはワイヤレスバックホールを通じて通信するためのバックホール受信機モジュールのような他の受信機モジュールを含み得る。免許無線周波数スペクトル帯域のためのＬＴＥ／ＬＴＥ−Ａ受信機モジュール２３１２および免許不要無線周波数スペクトル帯域のためのＬＴＥ／ＬＴＥ−Ａ受信機モジュール２３１４を含む、受信機モジュール２３１０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を受信するために使用され得る。通信リンクは、免許無線周波数スペクトル帯域または免許不要無線周波数スペクトル帯域上で確立され得る。
【０２１８】
[0242]  いくつかの例で、送信機モジュール２３３０は、図２２を参照して説明された送信機モジュール２２３０の１つまたは複数の態様の例であり得る。いくつかの例で、送信機モジュール２３３０は、免許無線周波数スペクトル帯域または免許不要無線周波数スペクトル帯域を通じて送信するように動作可能な少なくとも１つのＲＦ送信機のような、少なくとも１つのＲＦ送信機を含み得る。いくつかの場合、送信機モジュール２３３０は、免許無線周波数スペクトル帯域および免許不要無線周波数スペクトル帯域のために別個の送信機を含み得る。別個の送信機は、いくつかの例で、免許無線周波数スペクトル帯域のためのＬＴＥ／ＬＴＥ−Ａ送信機モジュール２３３２、および免許不要無線周波数スペクトル帯域のためのＬＴＥ／ＬＴＥ−Ａ送信機モジュール２３３４の形態をとり得る。送信機モジュール２３３０はまた、装置２３１５を他の装置に（例えば、他のＬＴＥ／ＬＴＥ−Ａ基地局またはＬＴＥ／ＬＴＥ−Ａ  ｅＮＢに）接続する有線またはワイヤレスバックホールを通じて通信するためのバックホール送信機モジュールのような他の送信機モジュールを含み得る。免許無線周波数スペクトル帯域のためのＬＴＥ／ＬＴＥ−Ａ送信機モジュール２３３２および免許不要無線周波数スペクトル帯域のためのＬＴＥ／ＬＴＥ−Ａ送信機モジュール２３３４を含む、送信機モジュール２３３０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を送信するために使用され得る。通信リンクは、免許無線周波数スペクトル帯域または免許不要無線周波数スペクトル帯域上で確立され得る。
【０２１９】
[0243]  いくつかの例で、ワイヤレス通信管理モジュール２３２０は、図２２を参照して説明されたワイヤレス通信管理モジュール２２２０の１つまたは複数の態様の例であり得る。ワイヤレス通信管理モジュール２３２０は、ＴＤＤ構成管理モジュール２３３５、ダウンリンク管理モジュール２３５０、ＥＣＣＡモジュール２３５５、アップリンク管理モジュール２３６０、または同期モジュール２３６５を含み得る。
【０２２０】
[0244]  いくつかの例で、ＴＤＤ構成管理モジュール２３３５は、図２２を参照して説明されたＴＤＤ構成管理モジュール２２３５の１つまたは複数の態様の例であり得る。いくつかの例で、ＴＤＤ構成管理モジュール２３３５は、ＴＤＤ構成指示処理モジュール２３４０またはＴＤＤ遷移管理モジュール２３４５を含み得る。ＴＤＤ構成指示処理モジュール２３４０は、免許不要無線周波数スペクトル帯域を通じてＴＤＤ構成の指示を受信するために使用され得る。いくつかの例で、ＴＤＤ構成の指示は、フレーム（例えば、免許不要無線周波数スペクトル帯域を通じたワイヤレス通信のフレーム）中の連続数のダウンリンクサブフレームおよび連続数のアップリンクサブフレームの指示を含み得る。
【０２２１】
[0245]  いくつかの例で、ＴＤＤ構成指示処理モジュール２３４０は、ＴＤＤ構成の指示が適用されるフレームの第１のダウンリンクサブフレームにおいてＴＤＤ構成の指示を受信できる。いくつかの例で、ＴＤＤ構成指示処理モジュール２３４０は、ＴＤＤ構成の指示が適用されるフレームの任意のダウンリンクサブフレームまたは各ダウンリンクサブフレームにおいてＴＤＤ構成の指示を受信できる。
【０２２２】
[0246]  いくつかの例で、ＴＤＤ構成指示処理モジュール２３４０によって受信されたＴＤＤ構成の指示は、ＴＤＤ構成の指示が適用されるフレームに関する第１のＴＤＤ構成と第２のＴＤＤ構成とを示し得る。これらの例で、ＴＤＤ遷移管理モジュール２３４５は、ＴＤＤ構成の指示が適用されるフレーム中の第１のＴＤＤ構成から第２のＴＤＤ構成への装置２３１５の遷移を管理できる。
【０２２３】
[0247]  いくつかの例で、ダウンリンク管理モジュール２３５０は、ＴＤＤ構成に従って免許不要無線周波数スペクトル帯域を通じてダウンリンクデータを受信するために使用され得る。
【０２２４】
[0248]  いくつかの例で、ＥＣＣＡモジュール２３５５は、図２２を参照して説明されたＣＣＡモジュール２２４０の１つまたは複数の態様の例であり得る。いくつかの例で、ＥＣＣＡモジュール２３５５は、ＴＤＤ構成に従ってアップリンク期間の初めに免許不要無線周波数スペクトル帯域に対してＥＣＣＡを行うために使用され得る。
【０２２５】
[0249]  いくつかの例で、アップリンク管理モジュール２３６０は、ＥＣＣＡモジュール２３５５によって行われたＥＣＣＡが成功したときに、免許不要無線周波数スペクトル帯域を通じてプリアンブルを送信するために使用され得る。プリアンブルは、ＴＤＤ構成に従ったアップリンクサブフレームの開始を示し得る。アップリンク管理モジュール２３６０はまた、ＥＣＣＡモジュール２３５５によって行われたＣＣＡが成功したときに、受信されたＴＤＤ構成に従って、免許不要無線周波数スペクトル帯域を通じて装置２３１５からアップリンクデータを送信するために使用され得る。いくつかの例では、プリアンブルは、アップリンクデータの一部または全てとともにアップリンクサブフレームにおいて送信され得る。
【０２２６】
[0250]  いくつかの例で、アップリンク管理モジュール２３６０は、装置２３１５の送信タイミングを、免許不要無線周波数スペクトル帯域上で動作するように構成された基地局またはｅＮＢのタイミングと同期させるために、ＥＣＣＡモジュール２３５５がＥＣＣＡを成功裏に行った後、およびアップリンク管理モジュール２３６０がプリアンブルまたはアップリンクデータを送信する前に、少なくとも１つの完全または断片的な信号（例えば、完全または断片的なＲＳまたはＣＵＢＳ）を送信するために使用され得る。いくつかの例で、少なくとも１つの完全または断片的な信号は、装置２３１５の送信をシンボル境界（例えば、ＳＣ−ＦＤＭシンボル境界もしくはＯＦＤＭシンボル境界）、スロット境界、またはサブフレーム境界と同期させるために送信され得る。
【０２２７】
[0251]  いくつかの例で、ＥＣＣＡモジュール２３５５またはアップリンク管理モジュール２３６０によって行われる動作は、装置２３１５のために二次的サービングセルとして動作する基地局またはｅＮＢが、免許不要無線周波数スペクトル帯域を通じた基地局またはｅＮＢへの送信を行うように装置２３１５をスケジュールしたときのみ、行われ得る２３１５。いくつかの例で、装置２３１５は、主要サービングセルにＢＳＲを送信し、それによって装置２３１５が送信することになるデータの量を主要サービングセルに示すことによって、免許不要無線周波数スペクトル帯域を通じた送信を行うように装置２３１５をスケジュールすることを基地局またはｅＮＢに行わせることができる。主要サービングセルは、装置２３１５のために二次的サービングセルとして動作する同じ基地局もしくはｅＮＢによって、または異なる基地局もしくはｅＮＢによって提供され得る。
【０２２８】
[0252]  いくつかの例で、同期モジュール２３６５は、装置２３１５のための第１の擬似乱数生成器と別の装置（例えば、別のＵＥ）のための第２の擬似乱数生成器とを、アップリンク期間の初めに、装置２３１５によって行われるＥＣＣＡが他方の装置によって行われるＥＣＣＡと同期されるように、整合させるために使用され得る。いくつかの例で、フレーム中の免許不要無線周波数スペクトル帯域を通じた基地局またはｅＮＢへの送信のためにスケジュールされる、同じ事業者展開内の複数のＵＥの各々は、ＥＣＣＡを行うときにＵＥによって使用される擬似乱数生成器と複数のＵＥにおける各々の他のＵＥによって使用される擬似乱数生成器とを整合または同期させることができる。擬似乱数生成器の同期は、複数のＵＥの各々に、同時に免許不要無線周波数スペクトル帯域へのアクセスを争わせることができる。いくつかの例で、整合は、システム時間に少なくとも部分的に基づいて行われ得る。
【０２２９】
[0253]  いくつかの例で、同期モジュール２３６５は、同じくまたは代替的に、装置２３１５のタイミングを、免許不要無線周波数スペクトル帯域上で動作するように構成された基地局またはｅＮＢのタイミングと周期的に同期させるために使用され得る。いくつかの例で、同期は、シンボル境界（例えば、ＳＣ−ＦＤＭシンボル境界もしくはＯＦＤＭシンボル境界）、スロット境界、またはサブフレーム境界のうちの１つまたは複数において生じ得る。
【０２３０】
[0254]  図２４は、本開示の様々な態様による、ワイヤレス通信において使用するための装置２４１５のブロック図２４００を示す。いくつかの例で、装置２４１５は、図１、図２、図１０、または図１１を参照して説明されたＵＥ１１５、２５５、２６０、２６５、２７０、１０１５、または１１１５のうちの１つまたは複数の態様の例であり得る。いくつかの例で、装置２４１５は、一部であってよく、またはＬＴＥ／ＬＴＥ−Ａ基地局もしくはＬＴＥ／ＬＴＥ−Ａ  ｅＮＢを含み得る。装置２４１５はまた、プロセッサであり得る。装置２４１５は、受信機モジュール２４１０、ワイヤレス通信管理モジュール２４２０、または送信機モジュール２４３０を含み得る。これらの構成要素の各々は、互いに通信していることがある。
【０２３１】
[0255]  装置２４１５の構成要素は、ハードウェアにおいて適用可能な機能の一部または全てを行うように適応された１つまたは複数のＡＳＩＣを使用して、個々にまたは集合的に実装され得る。代替的に、機能は、１つまたは複数の他の処理ユニット（またはコア）によって、１つまたは複数の集積回路上で行われ得る。他の例では、当技術分野で知られている任意の方式でプログラムされ得る、他のタイプの集積回路（例えば、構造化／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【０２３２】
[0256]  いくつかの例で、受信機モジュール２４１０は、免許無線周波数スペクトル帯域（例えば、特定の用途のために特定のユーザ（例えば、ＬＴＥ／ＬＴＥ−Ａユーザ）に免許されているので装置がアクセスを争わない無線周波数スペクトル帯域）、または免許不要無線周波数スペクトル帯域（例えば、免許不要の用途（例えば、免許不要無線周波数スペクトル帯域におけるＷｉ−Ｆｉ用途もしくはＬＴＥ／ＬＴＥ−Ａ用途）に少なくとも部分的に利用可能であるので装置がアクセスを争う必要があり得る無線周波数スペクトル帯域）を通じた送信を受信するように動作可能な少なくとも１つのＲＦ受信機のような、少なくとも１つのＲＦ受信機を含み得る。いくつかの例で、免許無線周波数スペクトル帯域または免許不要無線周波数スペクトル帯域は、例えば、図１〜図１７を参照して説明されたように、ＬＴＥ／ＬＴＥ−Ａ通信のために使用され得る。受信機モジュール２４１０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を受信するために使用され得る。通信リンクは、免許無線周波数スペクトル帯域または免許不要無線周波数スペクトル帯域上で確立され得る。
【０２３３】
[0257]  いくつかの例で、送信機モジュール２４３０は、免許無線周波数スペクトル帯域または免許不要無線周波数スペクトル帯域を通じて送信するように動作可能な少なくとも１つのＲＦ送信機のような、少なくとも１つのＲＦ送信機を含み得る。送信機モジュール２４３０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を送信するために使用され得る。通信リンクは、免許無線周波数スペクトル帯域または免許不要無線周波数スペクトル帯域上で確立され得る。
【０２３４】
[0258]  いくつかの例で、ワイヤレス通信管理モジュール２４２０は、他の装置とのワイヤレス通信の様々な態様を管理するように使用されてよく、アップリンクサブフレームタイミング決定モジュール２４３５、ＣＣＡモジュール２４４０、またはアップリンク管理モジュール２４４５を含み得る。
【０２３５】
[0259]  いくつかの例で、アップリンクサブフレームタイミング決定モジュール２４３５は、ＵＥにおいて、免許不要無線周波数スペクトル帯域に関連付けられる少なくとも１つの許可を受信するために使用され得る。いくつかの例で、少なくとも１つの許可は、複数のサブフレームを有するフレームに対応してよく、フレームにおける複数のサブフレームの第１の部分が、ダウンリンク使用のために半静的に構成され、フレームにおける複数のサブフレームの残存部分が、少なくとも１つの許可に少なくとも部分的に基づいてアップリンク使用またはダウンリンク使用のために動的に構成される。ＵＥに対する許可のうちの１つまたは複数を受信する近隣基地局またはｅＮＢは、１つまたは複数の許可を復号し、１つまたは複数の許可によって示されたアップリンクサブフレームの送信中に免許不要無線周波数スペクトル帯域にアクセスするのを控えることができる。いくつかの例で、ＵＥに対する少なくとも１つの許可は、アップリンク許可、ダウンリンク許可、または両方を含み得る。
【０２３６】
[0260]  いくつかの例で、アップリンクサブフレームタイミング決定モジュール２４３５はまた、少なくとも１つの許可に少なくとも部分的に基づいて、免許不要無線周波数スペクトル帯域を通じた通信のためのフレームにおけるいくつかのアップリンクサブフレームのタイミングを決定することを含み得る。
【０２３７】
[0261]  いくつかの例で、ＣＣＡモジュール２４４０は、いくつかのアップリンクサブフレームを含むアップリンク期間の初めに免許不要無線周波数スペクトル帯域に対してＣＣＡを行うために使用され得る。いくつかの例で、ＣＣＡはＥＣＣＡを含み得る。
【０２３８】
[0262]  いくつかの例で、アップリンク管理モジュール２４４５は、ＣＣＡモジュール２４４０によって行われたＣＣＡが成功したときに、いくつかのアップリンクサブフレームのうちの少なくとも１つに従って、免許不要無線周波数スペクトル帯域を通じて装置２４１５からアップリンクデータを送信するために使用され得る。
【０２３９】
[0263]  いくつかの例で、ＣＣＡモジュール２４４０またはアップリンク管理モジュール２４４５によって行われる動作は、装置２４１５のために二次的サービングセルとして動作する基地局またはｅＮＢが、免許不要無線周波数スペクトル帯域を通じた基地局またはｅＮＢへの送信を行うように装置２４１５をスケジュールしたときのみ、行われ得る２４１５。いくつかの例で、装置２４１５は、主要サービングセルにＢＳＲを送信し、それによって装置２４１５が送信することになるデータの量を主要サービングセルに示すことによって、免許不要無線周波数スペクトル帯域を通じた送信を行うように装置２４１５をスケジュールすることを基地局またはｅＮＢに行わせることができる。主要サービングセルは、装置２４１５のために二次的サービングセルとして動作する同じ基地局もしくはｅＮＢによって、または異なる基地局もしくはｅＮＢによって提供され得る。
【０２４０】
[0264]  図２５は、本開示の様々な態様による、ワイヤレス通信において使用するための装置２５１５のブロック図２５００を示す。いくつかの例で、装置２５１５は、図１、図２、図１０、または図１１を参照して説明されたＵＥ１１５、２５５、２６０、２６５、２７０、１０１５、または１１１５のうちの１つまたは複数の態様の例であり得る。いくつかの例で、装置２５１５は、一部であってよく、またはＬＴＥ／ＬＴＥ−Ａ基地局もしくはＬＴＥ／ＬＴＥ−Ａ  ｅＮＢを含み得る。装置２５１５はまた、プロセッサであり得る。装置２５１５は、受信機モジュール２５１０、ワイヤレス通信管理モジュール２５２０、または送信機モジュール２５３０を含み得る。これらの構成要素の各々は、互いに通信していることがある。
【０２４１】
[0265]  装置２５１５の構成要素は、ハードウェアにおいて適用可能な機能の一部または全てを行うように適応された１つまたは複数のＡＳＩＣを使用して、個々にまたは集合的に実装され得る。代替的に、機能は、１つまたは複数の他の処理ユニット（またはコア）によって、１つまたは複数の集積回路上で行われ得る。他の例では、当技術分野で知られている任意の方式でプログラムされ得る、他のタイプの集積回路（例えば、構造化／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【０２４２】
[0266]  いくつかの例で、受信機モジュール２５１０は、図２４を参照して説明された受信機モジュール２４１０の１つまたは複数の態様の例であり得る。いくつかの例で、受信機モジュール２５１０は、免許無線周波数スペクトル帯域（例えば、特定の用途のために特定のユーザ（例えば、ＬＴＥ／ＬＴＥ−Ａユーザ）に免許されているので装置がアクセスを争わない無線周波数スペクトル帯域）、または免許不要無線周波数スペクトル帯域（例えば、免許不要の用途（例えば、免許不要無線周波数スペクトル帯域におけるＷｉ−Ｆｉ用途もしくはＬＴＥ／ＬＴＥ−Ａ用途）に少なくとも部分的に利用可能であるので装置がアクセスを争う必要があり得る無線周波数スペクトル帯域）を通じた送信を受信するように動作可能な少なくとも１つのＲＦ受信機のような、少なくとも１つのＲＦ受信機を含み得る。いくつかの例で、免許無線周波数スペクトル帯域または免許不要無線周波数スペクトル帯域は、例えば、図１〜図１７を参照して説明されたように、ＬＴＥ／ＬＴＥ−Ａ通信のために使用され得る。いくつかの場合、受信機モジュール２５１０は、免許無線周波数スペクトル帯域および免許不要無線周波数スペクトル帯域のために別個の受信機を含み得る。別個の受信機は、いくつかの例で、免許無線周波数スペクトル帯域のためのＬＴＥ／ＬＴＥ−Ａ受信機モジュール２５１２、および免許不要無線周波数スペクトル帯域のためのＬＴＥ／ＬＴＥ−Ａ受信機モジュール２５１４の形態をとり得る。受信機モジュール２５１０はまた、装置２５１５を他の装置に（例えば、他のＬＴＥ／ＬＴＥ−Ａ基地局またはＬＴＥ／ＬＴＥ−Ａ  ｅＮＢに）接続する有線またはワイヤレスバックホールを通じて通信するためのバックホール受信機モジュールのような他の受信機モジュールを含み得る。免許無線周波数スペクトル帯域のためのＬＴＥ／ＬＴＥ−Ａ受信機モジュール２５１２および免許不要無線周波数スペクトル帯域のためのＬＴＥ／ＬＴＥ−Ａ受信機モジュール２５１４を含む、受信機モジュール２５１０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を受信するために使用され得る。通信リンクは、免許無線周波数スペクトル帯域または免許不要無線周波数スペクトル帯域上で確立され得る。
【０２４３】
[0267]  いくつかの例で、送信機モジュール２５３０は、図２４を参照して説明された送信機モジュール２４３０の１つまたは複数の態様の例であり得る。いくつかの例で、送信機モジュール２５３０は、免許無線周波数スペクトル帯域または免許不要無線周波数スペクトル帯域を通じて送信するように動作可能な少なくとも１つのＲＦ送信機のような、少なくとも１つのＲＦ送信機を含み得る。いくつかの場合、送信機モジュール２５３０は、免許無線周波数スペクトル帯域および免許不要無線周波数スペクトル帯域のために別個の送信機を含み得る。別個の送信機は、いくつかの例で、免許無線周波数スペクトル帯域のためのＬＴＥ／ＬＴＥ−Ａ送信機モジュール２５３２、および免許不要無線周波数スペクトル帯域のためのＬＴＥ／ＬＴＥ−Ａ送信機モジュール２５３４の形態をとり得る。送信機モジュール２５３０はまた、装置２５１５を他の装置に（例えば、他のＬＴＥ／ＬＴＥ−Ａ基地局またはＬＴＥ／ＬＴＥ−Ａ  ｅＮＢに）接続する有線またはワイヤレスバックホールを通じて通信するためのバックホール送信機モジュールのような他の送信機モジュールを含み得る。免許無線周波数スペクトル帯域のためのＬＴＥ／ＬＴＥ−Ａ送信機モジュール２５３２および免許不要無線周波数スペクトル帯域のためのＬＴＥ／ＬＴＥ−Ａ送信機モジュール２５３４を含む、送信機モジュール２５３０は、図１または図２を参照して説明されたワイヤレス通信システム１００または２００の１つまたは複数の通信リンクのような、ワイヤレス通信システムの１つまたは複数の通信リンクを通じて様々なタイプのデータまたは制御信号（すなわち、送信）を送信するために使用され得る。通信リンクは、免許無線周波数スペクトル帯域または免許不要無線周波数スペクトル帯域上で確立され得る。
【０２４４】
[0268]  いくつかの例で、ワイヤレス通信管理モジュール２５２０は、図２４を参照して説明されたワイヤレス通信管理モジュール２４２０の１つまたは複数の態様の例であり得る。ワイヤレス通信管理モジュール２５２０は、アップリンクサブフレームタイミング決定モジュール２５３５、ダウンリンク管理モジュール２５４５、ＥＣＣＡモジュール２５５０、アップリンク管理モジュール２５５５、または同期モジュール２５６０を含み得る。
【０２４５】
[0269]  いくつかの例で、アップリンクサブフレームタイミング決定モジュール２５３５は、図２４を参照して説明されたアップリンクサブフレームタイミング決定モジュール２４３５の１つまたは複数の態様の例であり得る。いくつかの例で、アップリンクサブフレームタイミング決定モジュール２５３５は、第１のＵＥにおいて、免許不要無線周波数スペクトル帯域に関連付けられる少なくとも１つの許可を受信するために使用され得る。いくつかの例で、少なくとも１つの許可は、複数のサブフレームを有するフレームに対応してよく、フレームにおける複数のサブフレームの第１の部分が、ダウンリンク使用のために半静的に構成され、フレームにおける複数のサブフレームの残存部分が、少なくとも１つの許可に少なくとも部分的に基づいてアップリンク使用またはダウンリンク使用のために動的に構成される。ＵＥに対する許可のうちの１つまたは複数を受信する近隣基地局またはｅＮＢは、１つまたは複数の許可を復号し、１つまたは複数の許可によって示されたアップリンクサブフレームの送信中に免許不要無線周波数スペクトル帯域にアクセスするのを控えることができる。いくつかの例で、ＵＥに対する少なくとも１つの許可は、アップリンク許可、ダウンリンク許可、または両方を含み得る。
【０２４６】
[0270]  いくつかの例で、アップリンクサブフレームタイミング決定モジュール２５３５は、アップリンク許可処理モジュール２５４０を含み得る。アップリンク許可処理モジュール２５４０は、少なくとも１つの許可に少なくとも部分的に基づいて、免許不要無線周波数スペクトル帯域を通じた通信のためのフレームにおけるいくつかのアップリンクサブフレームのタイミングを動的に決定するために使用され得る。
【０２４７】
[0271]  いくつかの例で、ダウンリンク管理モジュール２５４５は、免許不要無線周波数スペクトル帯域を通じてダウンリンクデータを受信するために使用され得る。
【０２４８】
[0272]  いくつかの例で、ＥＣＣＡモジュール２５５０は、図２４を参照して説明されたＣＣＡモジュール２４４０の１つまたは複数の態様の例であり得る。いくつかの例で、ＥＣＣＡモジュール２５５０は、いくつかのアップリンクサブフレームを含むアップリンク期間の初めに免許不要無線周波数スペクトル帯域に対してＥＣＣＡを行うために使用され得る。
【０２４９】
[0273]  いくつかの例で、アップリンク管理モジュール２５５５は、ＥＣＣＡモジュール２５５０によって行われたＥＣＣＡが成功したときに、免許不要無線周波数スペクトル帯域を通じてプリアンブルを送信するために使用され得る。プリアンブルは、いくつかのアップリンクサブフレームのタイミングに従ったアップリンクサブフレームの開始を示し得る。アップリンク管理モジュール２５５５はまた、ＥＣＣＡモジュール２５５０によって行われたＥＣＣＡが成功したときに、少なくとも１つの許可に従って、免許不要無線周波数スペクトル帯域を通じて装置２５１５からアップリンクデータを送信するために使用され得る。いくつかの例で、プリアンブルは、アップリンクデータの一部または全てとともにアップリンクサブフレームにおいて送信され得る。
【０２５０】
[0274]  アップリンクサブフレームタイミング決定モジュール２５３５によって受信された少なくとも１つの許可が第１のアップリンクサブフレームに関するアップリンク許可を含むとき、およびＥＣＣＡモジュール２５５０によって行われたＥＣＣＡが第１のアップリンクサブフレームの開始過ぎまで成功しなかったとき、アップリンク管理モジュール２５５５は、１）アップリンク許可を第２のアップリンクサブフレームに関連付けること、または２）アップリンク許可が失効するのを可能にできる。第２のアップリンクサブフレームは、第１のアップリンクサブフレームの直後にくること、または１つもしくは複数の他のサブフレームによって第１のアップリンクサブフレームから分離されることがある。
【０２５１】
[0275]  いくつかの例で、アップリンク管理モジュール２５５５は、装置２５１５の送信タイミングを、免許不要無線周波数スペクトル帯域上で動作するように構成された基地局またはｅＮＢのタイミングと同期させるために、ＥＣＣＡモジュール２５５０がＥＣＣＡを成功裏に行った後、およびアップリンク管理モジュール２５５５がプリアンブルまたはアップリンクデータを送信する前に、少なくとも１つの完全または断片的な信号（例えば、完全または断片的なＲＳまたはＣＵＢＳ）を送信するために使用され得る。いくつかの例で、少なくとも１つの完全または断片的な信号は、装置２５１５の送信をシンボル境界（例えば、ＳＣ−ＦＤＭシンボル境界もしくはＯＦＤＭシンボル境界）、スロット境界、またはサブフレーム境界と同期させるために送信され得る。
【０２５２】
[0276]  いくつかの例で、ＥＣＣＡモジュール２５５０またはアップリンク管理モジュール２５５５によって行われる動作は、装置２５１５のために二次的サービングセルとして動作する基地局またはｅＮＢが、免許不要無線周波数スペクトル帯域を通じた基地局またはｅＮＢへの送信を行うように装置２５１５をスケジュールしたときのみ、行われ得る。いくつかの例で、装置２５１５は、主要サービングセルにＢＳＲを送信し、それによって装置２５１５が送信することになるデータの量を主要サービングセルに示すことによって、免許不要無線周波数スペクトル帯域を通じた送信を行うように装置２５１５をスケジュールすることを基地局またはｅＮＢに行わせることができる。主要サービングセルは、装置２５１５のために二次的サービングセルとして動作する同じ基地局もしくはｅＮＢによって、または異なる基地局もしくはｅＮＢによって提供され得る。
【０２５３】
[0277]  いくつかの例で、同期モジュール２５６０は、装置２５１５のための第１の擬似乱数生成器と別の装置（例えば、別のＵＥ）のための第２の擬似乱数生成器とを、アップリンク期間の初めに、装置２５１５によって行われるＥＣＣＡが他方の装置によって行われるＥＣＣＡと同期されるように、整合させるために使用され得る。いくつかの例で、フレーム中の免許不要無線周波数スペクトル帯域を通じた基地局またはｅＮＢへの送信のためにスケジュールされる、同じ事業者展開内の複数のＵＥの各々は、ＥＣＣＡを行うときにＵＥによって使用される擬似乱数生成器と複数のＵＥにおける各々の他のＵＥによって使用される擬似乱数生成器とを整合または同期させることができる。擬似乱数生成器の同期は、複数のＵＥの各々に、同時に免許不要無線周波数スペクトル帯域へのアクセスを争わせることができる。いくつかの例で、整合は、システム時間に少なくとも部分的に基づいて行われ得る。
【０２５４】
[0278]  いくつかの例で、同期モジュール２５６５は、同じくまたは代替的に、装置２５１５のタイミングを、免許不要無線周波数スペクトル帯域上で動作するように構成された基地局またはｅＮＢのタイミングと周期的に同期させるために使用され得る。いくつかの例で、同期は、シンボル境界（例えば、ＳＣ−ＦＤＭシンボル境界もしくはＯＦＤＭシンボル境界）、スロット境界、またはサブフレーム境界のうちの１つまたは複数において生じ得る。
【０２５５】
[0279]  図２６は、本開示の様々な態様による、ワイヤレス通信において使用するための基地局２６０５（例えば、ｅＮＢの一部または全てを形成する基地局）のブロック図２６００を示す。いくつかの例で、装置２６０５は、図１、図２、図１０もしくは図１１を参照して説明された基地局１０５、２０５、２１０、１００５もしくは１１０５の１つもしくは複数の態様、または図１８、図１９、図２０もしくは図２１を参照して説明された装置１８０５、１９０５、２００５もしくは２１０５の１つもしくは複数の態様の例であり得る。基地局２６０５は、図１〜図２１を参照して説明された基地局または装置の特徴および機能のうちの少なくともいくつかを実装または容易にするように構成され得る。
【０２５６】
[0280]  基地局２６０５は、基地局プロセッサモジュール２６１０、基地局メモリモジュール２６２０、（基地局トランシーバモジュール２６５０によって表される）少なくとも１つの基地局トランシーバモジュール、（基地局アンテナ２６５５によって表される）少なくとも１つの基地局アンテナ、または基地局ワイヤレス通信管理モジュール２６６０を含み得る。基地局２６０５はまた、基地局通信モジュール２６３０またはネットワーク通信モジュール２６４０のうちの１つまたは複数を含み得る。これらの構成要素の各々は、１つまたは複数のバス２６３５を通じて、直接または間接的に互いと通信していることがある。
【０２５７】
[0281]  基地局メモリモジュール２６２０は、ランダムアクセスメモリ（ＲＡＭ）または読取り専用メモリ（ＲＯＭ）を含み得る。基地局メモリモジュール２６２０は、実行されたときに、ワイヤレス通信に関する本明細書で説明される様々な機能（例えば、ＬＢＴ−ＬＢＥモードで動作するときに基地局２６０５によって使用されるＴＤＤ構成に含まれるアップリンクサブフレームのタイミングを告知することに関する機能）を行うことを基地局プロセッサモジュール２６１０にさせるように構成される命令を含む、コンピュータ可読のコンピュータ実行可能コード２６２５を記憶し得る。代替的に、コード２６２５は、基地局プロセッサモジュール２６１０によって直接的に実行可能ではないことがあるが、（例えば、コンパイルされ実行されると）本明細書で説明される様々な機能を行うことを基地局２６０５にさせるように構成され得る。
【０２５８】
[0282]  基地局プロセッサモジュール２６１０は、インテリジェントハードウェアデバイス、例えば、中央処理装置（ＣＰＵ）、マイクロコントローラ、ＡＳＩＣなどを含み得る。基地局プロセッサモジュール２６１０は、基地局トランシーバモジュール２６５０、基地局通信モジュール２６３０、またはネットワーク通信モジュール２６４０を通じて受信された情報を処理し得る。基地局プロセッサモジュール２６１０はまた、アンテナ２６５５を通じた送信のためにトランシーバモジュール２６５０に、１つもしくは複数の他の基地局２６８０および２６８５への送信のために基地局通信モジュール２６３０に、または図１を参照して説明されたコアネットワーク１３０の１つもしくは複数の態様の例であり得るコアネットワーク２６４５への送信のためにネットワーク通信モジュール２６４０に送られるべき情報を処理し得る。基地局プロセッサモジュール２６１０は、単独でまたは基地局ワイヤレス通信管理モジュール２６６０とともに、第１の無線周波数スペクトル帯域（例えば、ＬＴＥ／ＬＴＥ−Ａ通信のために使用可能な免許無線周波数スペクトル帯域のような、特定の用途のために特定のユーザに免許されているので装置がアクセスを争わない無線周波数スペクトル帯域）、または第２の無線周波数スペクトル帯域（例えば、免許不要無線周波数スペクトル帯域におけるＷｉ−Ｆｉ用途もしくはＬＴＥ／ＬＴＥ−Ａ用途のような、免許不要の用途に少なくとも部分的に利用可能であるので装置がアクセスを争う必要があり得る無線周波数スペクトル帯域）を通じて通信すること（またはその帯域を通じた通信を管理すること）の様々な態様を扱い得る。
【０２５９】
[0283]  基地局トランシーバモジュール２６５０は、パケットを変調し、変調されたパケットを送信のために基地局アンテナ２６５５に与え、基地局アンテナ２６５５から受信されたパケットを復調するように構成されたモデムを含み得る。基地局トランシーバモジュール２６５０は、いくつかの例で、１つまたは複数の基地局送信機モジュールおよび１つまたは複数の別個の基地局受信機モジュールとして実装され得る。基地局トランシーバモジュール２６５０は、第１の無線周波数スペクトル帯域または第２の無線周波数スペクトル帯域における通信をサポートし得る。基地局トランシーバモジュール２６５０は、図１、図２、図１０もしくは図１１を参照して説明されたＵＥ１１５、２５５、２６０、２６５、２７０、１０１５もしくは１１１５のうちの１つもしくは複数、または図２２、図２３、図２４もしくは図２５を参照して説明された装置２２１５、２３１５、２４１５もしくは２５１５のうちの１つもしくは複数のような、１つまたは複数の移動局または装置と、アンテナ２６５５を介して双方向に通信するように構成され得る。基地局２６０５は、例えば、複数の基地局アンテナ２６５５（例えば、アンテナアレイ）を含み得る。基地局２６０５は、ネットワーク通信モジュール２６４０を通じてコアネットワーク２６４５と通信し得る。基地局２６０５はまた、基地局通信モジュール２６３０を使用して、基地局２６８０および２６８５のような他の基地局と通信し得る。
【０２６０】
[0284]  基地局ワイヤレス通信管理モジュール２６６０は、第１の無線周波数スペクトル帯域または第２の無線周波数スペクトル帯域を通じたワイヤレス通信に関する図１〜図２１を参照して説明された特徴または機能の一部または全てを行うか、または制御するように構成され得る。例えば、基地局ワイヤレス通信管理モジュール２６６０は、第１の無線周波数スペクトル帯域または第２の無線周波数スペクトル帯域を使用して、補助ダウンリンクモード、キャリアアグリゲーションモード、またはスタンドアロンモードをサポートするように構成され得る。基地局ワイヤレス通信管理モジュール２６６０は、第１の無線周波数スペクトル帯域におけるＬＴＥ／ＬＴＥ−Ａ通信を扱うように構成された第１の無線周波数スペクトル帯域のための基地局ＬＴＥ／ＬＴＥ−Ａモジュール２６６５と、第２の無線周波数スペクトル帯域におけるＬＴＥ／ＬＴＥ−Ａ通信を扱うように構成された第２の無線周波数スペクトル帯域のための基地局ＬＴＥ／ＬＴＥ−Ａモジュール２６７０とを含み得る。基地局ワイヤレス通信管理モジュール２６６０もしくはその一部は、プロセッサを含んでよく、または基地局ワイヤレス通信管理モジュール２６６０の機能の一部もしくは全ては、基地局プロセッサモジュール２６１０によって、もしくは基地局プロセッサモジュール２６１０とともに行われ得る。いくつかの例で、基地局ワイヤレス通信管理モジュール２６６０は、図１８、図１９、図２０、または図２１を参照して説明されたワイヤレス通信管理モジュール１８２０、１９２０、２０２０、または２１２０の例であり得る。
【０２６１】
[0285]  図２７は、本開示の様々な態様による、ワイヤレス通信において使用するためのＵＥ２７１５のブロック図２７００を示す。ＵＥ２７１５は様々な構成を有してよく、含まれてよく、またはパーソナルコンピュータ（例えば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどの一部であり得る。いくつかの例で、ＵＥ２７１５は、モバイル動作を容易にするために、小型バッテリーのような内部電源（図示されず）を有し得る。いくつかの例で、ＵＥ２７１５は、図１、図２、図１０もしくは図１１を参照して説明されたＵＥ１１５、２５５、２６０、２６５、２７０、１０１５もしくは１１１５の１つもしくは複数の態様、または図２２、図２３、図２４もしくは図２５を参照して説明された装置２２１５、２３１５、２４１５もしくは２５１５の１つもしくは複数の態様の例であり得る。ＵＥ２７１５は、図１〜図１７および図２２〜図２５を参照して説明されたＵＥまたは装置の特徴および機能のうちの少なくともいくつかを実装するように構成され得る。
【０２６２】
[0286]  ＵＥ２７１５は、ＵＥプロセッサモジュール２７１０、ＵＥメモリモジュール２７２０、（ＵＥトランシーバモジュール２７３０によって表される）少なくとも１つのＵＥトランシーバモジュール、（ＵＥアンテナ２７４０によって表される）少なくとも１つのＵＥアンテナ、またはＵＥワイヤレス通信管理モジュール２７６０を含み得る。これらの構成要素の各々は、１つまたは複数のバス２７３５を通じて、直接または間接的に互いと通信していることがある。
【０２６３】
[0287]  ＵＥメモリモジュール２７２０は、ＲＡＭまたはＲＯＭを含み得る。ＵＥメモリモジュール２７２０は、実行されると、ワイヤレス通信に関する本明細書で説明される様々な機能（例えば、ＬＢＴ−ＬＢＥモードで動作している間にアップリンクデータを送信することに関する機能）をＵＥプロセッサモジュール２７１０に行わせるように構成される命令を含む、コンピュータ可読のコンピュータ実行可能コード２７２５を記憶し得る。代替的に、コード２７２５は、ＵＥプロセッサモジュール２７１０によって直接的に実行可能ではないことがあるが、（例えば、コンパイルされ実行されると）本明細書で説明される様々な機能をＵＥ２７１５に行わせるように構成され得る。
【０２６４】
[0288]  ＵＥプロセッサモジュール２７１０は、インテリジェントハードウェアデバイス、例えば、ＣＰＵ、マイクロコントローラ、ＡＳＩＣなどを含み得る。ＵＥプロセッサモジュール２７１０は、ＵＥトランシーバモジュール２７３０を通じて受信された情報、またはＵＥアンテナ２７４０を通じた送信のためにＵＥトランシーバモジュール２７３０に送られるべき情報を処理し得る。ＵＥプロセッサモジュール２７１０は、単独でまたはＵＥワイヤレス通信管理モジュール２７６０とともに、第１の無線周波数スペクトル帯域（例えば、ＬＴＥ／ＬＴＥ−Ａ通信のために使用可能な免許無線周波数スペクトル帯域のような、特定の用途のために特定のユーザに免許されているので装置がアクセスを争わない無線周波数スペクトル帯域）、または第２の無線周波数スペクトル帯域（例えば、免許不要無線周波数スペクトル帯域におけるＷｉ−Ｆｉ用途もしくはＬＴＥ／ＬＴＥ−Ａ用途のような、免許不要の用途に少なくとも部分的に利用可能であるので装置がアクセスを争う必要があり得る無線周波数スペクトル帯域）を通じて通信すること（またはその帯域を通じた通信を管理すること）の様々な態様を扱い得る。
【０２６５】
[0289]  ＵＥトランシーバモジュール２７３０は、パケットを変調し、変調されたパケットを送信のためにＵＥアンテナ２７４０に与え、ＵＥアンテナ２７４０から受信されたパケットを復調するように構成されたモデムを含み得る。ＵＥトランシーバモジュール２７３０は、いくつかの例で、１つまたは複数のＵＥ送信機モジュールおよび１つまたは複数の別個のＵＥ受信機モジュールとして実装され得る。ＵＥトランシーバモジュール２７３０は、第１の無線周波数スペクトル帯域または第２の無線周波数スペクトル帯域における通信をサポートし得る。ＵＥトランシーバモジュール２７３０は、図１、図２、図１０、図１１もしくは図２６を参照して説明された基地局１０５、２０５、２１０、１００５、１１０５もしくは２６０５のうちの１つもしくは複数、または図１８、図１９、図２０もしくは図２１を参照して説明された装置１８０５、１９０５、２００５もしくは２１０５のうちの１つもしくは複数と、ＵＥアンテナ２７４０を介して双方向に通信するように構成され得る。ＵＥ２７１５は単一のＵＥアンテナを含み得るが、ＵＥ２７１５が複数のＵＥアンテナ２７４０を含み得る例があり得る。
【０２６６】
[0290]  ＵＥ状態モジュール２７５０は、例えば、ＲＲＣアイドル状態とＲＲＣ接続状態との間のＵＥ２７１５の遷移を管理するために使用されてよく、１つまたは複数のバス２７３５を通じて、直接または間接的に、ＵＥ２７１５の他の構成要素と通信していることがある。ＵＥ状態モジュール２７５０もしくはその一部は、プロセッサを含んでよく、またはＵＥ状態モジュール２７５０の機能の一部もしくは全ては、ＵＥプロセッサモジュール２７１０によって、もしくはＵＥプロセッサモジュール２７１０とともに行われ得る。
【０２６７】
[0291]  ＵＥワイヤレス通信管理モジュール２７６０は、第１の無線周波数スペクトル帯域または第２の無線周波数スペクトル帯域を通じたワイヤレス通信に関する図１〜図１７および図２２〜図２５を参照して説明された特徴または機能の一部または全てを行うまたは制御するように構成され得る。例えば、ＵＥワイヤレス通信管理モジュール２７６０は、第１の無線周波数スペクトル帯域または第２の無線周波数スペクトル帯域を使用して、補助ダウンリンクモード、キャリアアグリゲーションモード、またはスタンドアロンモードをサポートするように構成され得る。ＵＥワイヤレス通信管理モジュール２７６０は、第１の無線周波数スペクトル帯域におけるＬＴＥ／ＬＴＥ−Ａ通信を扱うように構成された第１の無線周波数スペクトル帯域のためのＵＥ  ＬＴＥ／ＬＴＥ−Ａモジュール２７６５と、第２の無線周波数スペクトル帯域におけるＬＴＥ／ＬＴＥ−Ａ通信を扱うように構成された第２の無線周波数スペクトル帯域のためのＵＥ  ＬＴＥ／ＬＴＥ−Ａモジュール２７７０とを含み得る。ＵＥワイヤレス通信管理モジュール２７６０もしくはその一部は、プロセッサを含んでよく、またはＵＥワイヤレス通信管理モジュール２７６０の機能の一部もしくは全ては、ＵＥプロセッサモジュール２７１０によって、もしくはＵＥプロセッサモジュール２７１０とともに行われ得る。いくつかの例で、ＵＥワイヤレス通信管理モジュール２７６０は、図２２、図２３、図２４、または図２５を参照して説明されたワイヤレス通信管理モジュール２２２０、２３２０、２４２０、または２５２０の例であり得る。
【０２６８】
[0292]  図２８は、本開示の様々な態様による、ワイヤレス通信のための方法２８００の例を示すフローチャートである。明快のために、方法２８００は、図１、図２、図１０、図１１または図２６を参照して説明された基地局１０５、２０５、２１０、１００５、１１０５もしくは２６０５またはｅＮＢのうちの１つまたは複数の態様、あるいは図１８または図１９を参照して説明された装置１８０５または１９０５の態様を参照して以下で説明される。いくつかの例で、基地局、ｅＮＢ、または装置は、以下で説明される機能を行うように基地局、ｅＮＢ、または装置の機能要素を制御するためのコードの１つまたは複数のセットを実行し得る。いくつかの例で、基地局、ｅＮＢ、または装置は、免許不要無線周波数スペクトル帯域上でＬＢＴ−ＬＢＥモードで動作している間に以下で説明される機能を行い得る。いくつかの例で、基地局、ｅＮＢ、または装置は、ＵＥのためにキャリアアグリゲーションモードで二次的サービングセルとして動作している間に以下で説明される機能を行い得る。
【０２６９】
[0293]  ブロック２８０５において、方法２８００は、免許不要無線周波数スペクトル帯域に対してＣＣＡを行うことを含み得る。いくつかの例で、免許不要無線周波数スペクトル帯域は、免許不要の用途（例えば、免許不要無線周波数スペクトル帯域におけるＷｉ−Ｆｉ用途またはＬＴＥ／ＬＴＥ−Ａ用途）に少なくとも部分的に利用可能であるので装置がアクセスを争う必要があり得る無線周波数スペクトル帯域であり得る。いくつかの例で、ＣＣＡはＥＣＣＡを含み得る。いくつかの例で、ＣＣＡは、免許不要無線周波数スペクトル帯域のために確立された周期的ゲーティング間隔（例えば、図３を参照して説明された周期的ゲーティング間隔のうちの１つ）と揃えられたフレームに関して行われ得る。他の例で、ＣＣＡは、周期的ゲーティング間隔と揃えられていないフレーム（例えば、連続数のアップリンクサブフレームが後続する連続数のダウンリンクサブフレームを含むフレーム）に関して行われ得る。ブロック２８０５における動作は、図１８、図１９もしくは図２６を参照して説明されたワイヤレス通信管理モジュール１８２０、１９２０もしくは２６６０、または図１８もしくは図１９を参照して説明されたＣＣＡモジュール１８３５もしくはＥＣＣＡモジュール１９３５を使用して行われ得る。
【０２７０】
[0294]  ブロック２８１０において、方法２８００は、ＣＣＡに後続する期間に関して、ＣＣＡが成功したときに免許不要無線周波数スペクトル帯域を通じてＴＤＤ構成の指示を送信することを含み得る。指示は、少なくとも部分的に、サービングセルＵＥ（例えば、方法２８００を行う基地局またはｅＮＢがサービングセルとして機能するＵＥ）と近隣基地局またはｅＮＢ（例えば、異なる事業者展開の基地局またはｅＮＢ）の両方に、ＴＤＤ構成に含まれるアップリンクサブフレームのタイミングを告知する働きをすることができる。ＴＤＤ構成に含まれるアップリンクサブフレームのタイミングの告知は、告知を受信する近隣基地局またはｅＮＢに、アップリンクサブフレームの送信中に免許不要無線周波数スペクトル帯域にアクセスするのを控えさせ得る。
【０２７１】
[0295]  いくつかの例で、ＴＤＤ構成の指示は、ＣＣＡに後続する連続数のダウンリンクサブフレームの指示、連続数のアップリンクサブフレームの指示、またはブロック２８０５において行われたＵＥに対する許可を含み得る。
【０２７２】
[0296]  ブロック２８１０における動作は、図１８、図１９または図２６を参照して説明されたワイヤレス通信管理モジュール１８２０、１９２０または２６６０、あるいは図１８または図１９を参照して説明されたＴＤＤ構成管理モジュール１８４０もしくは１９４０またはダウンリンク管理モジュール１８４５もしくは１９５５を使用して行われ得る。
【０２７３】
[0297]  ブロック２８１５において、方法２８００は、ブロック１６０５において行われたＣＣＡが成功したときに、ＴＤＤ構成に従って、免許不要無線周波数スペクトル帯域を通じてダウンリンクデータを送信することを含み得る。ブロック２８１５における動作は、図１８、図１９もしくは図２６を参照して説明されたワイヤレス通信管理モジュール１８２０、１９２０もしくは２６６０、または図１８もしくは図１９を参照して説明されたダウンリンク管理モジュール１８４５もしくは１９５５を使用して行われ得る。
【０２７４】
[0298]  従って、方法２８００はワイヤレス通信を提供できる。方法２８００は一実装形態にすぎず、方法２８００の動作は、他の実装形態が可能であるように再構成されるか、または場合によっては修正され得ることに留意されたい。
【０２７５】
[0299]  図２９は、本開示の様々な態様による、ワイヤレス通信のための方法２９００の例を示すフローチャートである。明快のために、方法２９００は、図１、図２、図１０、図１１または図２６を参照して説明された基地局１０５、２０５、２１０、１００５、１１０５もしくは２６０５またはｅＮＢのうちの１つまたは複数の態様、あるいは図１８または図１９を参照して説明された装置１８０５または１９０５の態様を参照して以下で説明される。いくつかの例で、基地局、ｅＮＢ、または装置は、以下で説明される機能を行うように基地局、ｅＮＢ、または装置の機能要素を制御するためのコードの１つまたは複数のセットを実行し得る。いくつかの例で、基地局、ｅＮＢ、または装置は、免許不要無線周波数スペクトル帯域上でＬＢＴ−ＬＢＥモードで動作している間に以下で説明される機能を行い得る。いくつかの例で、基地局、ｅＮＢ、または装置は、ＵＥのためにキャリアアグリゲーションモードで二次的サービングセルとして動作している間に以下で説明される機能を行い得る。
【０２７６】
[0300]  ブロック２９０５において、方法２９００は、ＴＤＤ構成を複数の所定の半静的ＴＤＤ構成から選択することを含み得る。ブロック２９０５における動作は、図１８、図１９もしくは図２６を参照して説明されたワイヤレス通信管理モジュール１８２０、１９２０もしくは２６６０、図１８もしくは図１９を参照して説明されたＴＤＤ構成管理モジュール１８４０もしくは１９４０、または図１９を参照して説明されたＴＤＤ構成選択モジュール１９４５を使用して行われ得る。
【０２７７】
[0301]  ブロック２９１０において、方法２９００は、免許不要無線周波数スペクトル帯域に対してＥＣＣＡを行うことを含み得る。いくつかの例で、免許不要無線周波数スペクトル帯域は、免許不要の用途（例えば、免許不要無線周波数スペクトル帯域におけるＷｉ−Ｆｉ用途またはＬＴＥ／ＬＴＥ−Ａ用途）に少なくとも部分的に利用可能であるので装置がアクセスを争う必要があり得る無線周波数スペクトル帯域であり得る。いくつかの例で、ＥＣＣＡは、免許不要無線周波数スペクトル帯域のために確立された周期的ゲーティング間隔（例えば、図３を参照して説明された周期的ゲーティング間隔のうちの１つ）と揃えられたフレームに関して行われ得る。他の例で、ＥＣＣＡは、周期的ゲーティング間隔と揃えられていないフレーム（例えば、連続数のアップリンクサブフレームが後続する連続数のダウンリンクサブフレームを含むフレーム）に関して行われ得る。ブロック２９０５における動作は、図１８、図１９もしくは図２６を参照して説明されたワイヤレス通信管理モジュール１８２０、１９２０もしくは２６６０、または図１８もしくは図１９を参照して説明されたＣＣＡモジュール１８３５もしくはＥＣＣＡモジュール１９３５を使用して行われ得る。
【０２７８】
[0302]  ブロック２９１５において、方法２９００は、ＥＣＣＡが成功したときに免許不要無線周波数スペクトル帯域を通じてＴＤＤ構成の指示を送信することを含み得る。指示は、少なくとも部分的に、サービングセルＵＥ（例えば、方法２９００を行う基地局またはｅＮＢがサービングセルとして機能するＵＥ）と近隣基地局またはｅＮＢ（例えば、異なる事業者展開の基地局またはｅＮＢ）の両方に、ＴＤＤ構成に含まれるアップリンクサブフレームのタイミングを告知する働きをすることができる。ＴＤＤ構成に含まれるアップリンクサブフレームのタイミングの告知は、告知を受信する近隣基地局またはｅＮＢに、アップリンクサブフレームの送信中に免許不要無線周波数スペクトル帯域にアクセスするのを控えさせ得る。
【０２７９】
[0303]  いくつかの例で、ＴＤＤ構成の指示を送信することは、ブロック２９０５において選択されたＴＤＤ構成に関連付けられるインデックスを送信することを含み得る。いくつかの例で、ＴＤＤ構成の指示を送信することは、ブロック２９１０において行われたＥＣＣＡに後続する連続数のダウンリンクサブフレームおよび連続数のアップリンクサブフレームの指示を送信することを含み得る。いくつかの例で、ＴＤＤ構成の指示は、第１のＴＤＤ構成と第２のＴＤＤ構成とを示すことによって、ブロック２９１０において行われたＥＣＣＡに後続する連続数のダウンリンクサブフレームと連続数のアップリンクサブフレームとを示すことができ、そこから、第１のＴＤＤ構成および第２のＴＤＤ構成が複数の所定の半静的ＴＤＤ構成から選択され得る。
【０２８０】
[0304]  いくつかの例で、ＴＤＤ構成の指示は、ＥＣＣＡに関連付けられるフレームの第１のダウンリンクサブフレームにおいて免許不要無線周波数スペクトル帯域を通じて送信され得る。他の例で、ＴＤＤ構成の指示は、ＥＣＣＡに関連付けられるフレームの任意のダウンリンクサブフレームまたは各ダウンリンクサブフレームにおいて免許不要無線周波数スペクトル帯域を通じて送信され得る。
【０２８１】
[0305]  ブロック２９１５における動作は、図１８、図１９または図２６を参照して説明されたワイヤレス通信管理モジュール１８２０、１９２０または２６６０、あるいは図１８または図１９を参照して説明されたＴＤＤ構成管理モジュール１８４０もしくは１９４０またはダウンリンク管理モジュール１８４５もしくは１９５５を使用して行われ得る。
【０２８２】
[0306]  ブロック２９２０において、方法２９００は、ブロック２９１０において行われたＥＣＣＡが成功したときに、ＴＤＤ構成に従って、免許不要無線周波数スペクトル帯域を通じてダウンリンクデータを送信することを含み得る。いくつかの例で、基地局またはｅＮＢは、基地局またはｅＮＢの送信タイミングを、免許不要無線周波数スペクトル帯域上で動作するように構成された少なくとも１つのＵＥのタイミングと同期させるために、ブロック２９１０においてＥＣＣＡを成功裏に行った後、およびブロック２９１５または２９２０においてＴＤＤ構成の指示またはダウンリンクデータを送信する前に、少なくとも１つの完全または断片的な信号（例えば、完全または断片的なＲＳまたはＣＵＢＳ）を送信できる。いくつかの例で、少なくとも１つの完全または断片的な信号は、基地局またはｅＮＢの送信をシンボル境界、スロット境界、またはサブフレーム境界と同期させるために送信され得る。ブロック２９２０における動作は、図１８、図１９もしくは図２６を参照して説明されたワイヤレス通信管理モジュール１８２０、１９２０もしくは２６６０、または図１８もしくは図１９を参照して説明されたダウンリンク管理モジュール１８４５もしくは１９５５を使用して行われ得る。
【０２８３】
[0307]  ブロック２９２５において、およびブロック２９１０において行われるＥＣＣＡが、免許不要無線周波数スペクトル帯域のために確立された周期的ゲーティング間隔と揃えられていないフレームに関して行われる方法２９００の例で、方法２９００は、フレーム中に第１のＴＤＤ構成から第２のＴＤＤ構成に遷移することを含み得る。ブロック２９１０において行われたＥＣＣＡに関連付けられるフレーム中に第１のＴＤＤ構成から第２のＴＤＤ構成に遷移することを含む方法２９００の例で、ブロック２９１５において送信された指示は、第１のＴＤＤ構成と第２のＴＤＤ構成の両方を示し得る。ブロック２９２５における動作は、図１８、図１９もしくは図２６を参照して説明されたワイヤレス通信管理モジュール１８２０、１９２０もしくは２６６０、図１８もしくは図１９を参照して説明されたＴＤＤ構成管理モジュール１８４０もしくは１９４０、または図１９を参照して説明されたＴＤＤ遷移管理モジュール１９５０を使用して行われ得る。ブロック２９１０において行われるＥＣＣＡが、免許不要無線周波数スペクトル帯域のために確立された周期的ゲーティング間隔と揃えられたフレームに関して行われる方法２９００の例で、ブロック２９２５における動作は行われなくてよい。
【０２８４】
[0308]  ブロック２９３０において、方法２９００は、ＵＥからプリアンブルを受信することを含み得る。プリアンブルは、ＴＤＤ構成に従ったアップリンクサブフレームの開始を示し得る。ブロック２９３０における動作は、図１８、図１９もしくは図２６を参照して説明されたワイヤレス通信管理モジュール１８２０、１９２０もしくは２６６０、または図１９を参照して説明されたアップリンク管理モジュール１９６０を使用して行われ得る。
【０２８５】
[0309]  ブロック２９３５において、方法２９００は、免許不要無線周波数スペクトル帯域上で動作するように構成された少なくとも１つの基地局またはｅＮＢのタイミングを、免許不要無線周波数スペクトル帯域上で動作するように構成された少なくとも１つのＵＥのタイミングと周期的に同期させることを含み得る。いくつかの例で、同期は、シンボル境界（例えば、ＯＦＤＭシンボル境界）、スロット境界、またはサブフレーム境界のうちの１つまたは複数において生じ得る。図２９で、同期は、ブロック２９３０における動作の後生じることが示されている。他の例で、同期は、方法２９００の動作の前、間、または後の他の時間に生じ得る。ブロック２９３５における動作は、図１８、図１９もしくは図２６を参照して説明されたワイヤレス通信管理モジュール１８２０、１９２０もしくは２６６０、または図１９を参照して説明された同期モジュール１９６５を使用して行われ得る。
【０２８６】
[0310]  従って、方法２９００はワイヤレス通信を提供できる。方法２９００は一実装形態にすぎず、方法２９００の動作は、他の実装形態が可能であるように再構成されるか、または場合によっては修正され得ることに留意されたい。
【０２８７】
[0311]  図３０は、本開示の様々な態様による、ワイヤレス通信のための方法３０００の例を示すフローチャートである。明快のために、方法３０００は、図１、図２、図１０、図１１もしくは図２７を参照して説明されたＵＥ１１５、２５５、２６０、２６５、２７０、１０１５、１１１５もしくは２７１５のうちの１つもしくは複数の態様、または図２２もしくは図２３を参照して説明された装置２２１５もしくは２３１５の態様を参照して以下で説明される。いくつかの例で、ＵＥまたは装置は、以下で説明される機能を行うようにＵＥまたは装置の機能要素を制御するためのコードの１つまたは複数のセットを実行し得る。いくつかの例で、ＵＥまたは装置は、免許不要無線周波数スペクトル帯域上でＬＢＴ−ＬＢＥモードで動作している間に以下で説明される機能を行い得る。いくつかの例で、ＵＥまたは装置は、ＵＥのためにキャリアアグリゲーションモードで二次的サービングセルとして動作する基地局またはｅＮＢと通信する間に以下で説明される機能を行い得る。
【０２８８】
[0312]  ブロック３００５において、方法３０００は、ＵＥにおいて、免許不要無線周波数スペクトル帯域を通じてＴＤＤ構成の指示を受信することを含み得る。いくつかの例で、免許不要無線周波数スペクトル帯域は、免許不要の用途（例えば、免許不要無線周波数スペクトル帯域におけるＷｉ−Ｆｉ用途またはＬＴＥ／ＬＴＥ−Ａ用途）に少なくとも部分的に利用可能であるので装置がアクセスを争う必要があり得る無線周波数スペクトル帯域であり得る。いくつかの例で、ＴＤＤ構成の指示は、フレーム中の連続数のダウンリンクサブフレームの指示、連続数のアップリンクサブフレームの指示、または免許不要無線周波数スペクトル帯域に関連付けられる許可を含み得る。ブロック３０１０における動作は、図２２、図２３もしくは図２７を参照して説明されたワイヤレス通信管理モジュール２２２０、２３２０もしくは２７６０、または図２２もしくは図２３を参照して説明されたＴＤＤ構成管理モジュール２２３５もしくは２３３５を使用して行われ得る。
【０２８９】
[0313]  ブロック３０１０において、方法３０００は、ＴＤＤ構成に従ってアップリンク期間の初めに免許不要無線周波数スペクトル帯域に対してＣＣＡを行うことを含み得る。いくつかの例で、ＣＣＡはＥＣＣＡを含み得る。ブロック３０１０における動作は、図２２、図２３もしくは図２７を参照して説明されたワイヤレス通信管理モジュール２２２０、２３２０もしくは２７６０、または図２２もしくは図２３を参照して説明されたＣＣＡモジュール２２４０もしくはＥＣＣＡモジュール２３５５を使用して行われ得る。
【０２９０】
[0314]  ブロック３０１５において、方法３０００は、ＣＣＡが成功したときにＴＤＤ構成に従って免許不要無線周波数スペクトル帯域を通じてＵＥからアップリンクデータを送信することを含み得る。ブロック３０１５における動作は、図２２、図２３もしくは図２７を参照して説明されたワイヤレス通信管理モジュール２２２０、２３２０もしくは２７６０、または図２２もしくは図２３を参照して説明されたアップリンク管理モジュール２２４５もしくは２３６０を使用して行われ得る。
【０２９１】
[0315]  いくつかの例で、ブロック３０１０または３０１５において行われる動作は、ＵＥのために二次的サービングセルとして動作する基地局またはｅＮＢが、免許不要無線周波数スペクトル帯域を通じた基地局またはｅＮＢへの送信を行うようにＵＥをスケジュールしたときのみ、ＵＥによって行われ得る。いくつかの例で、ＵＥは、主要サービングセルにＢＳＲを送信し、それによってＵＥが送信することになるデータの量を主要サービングセルに示すことによって、免許不要無線周波数スペクトル帯域を通じた送信を行うようにＵＥをスケジュールすることを基地局またはｅＮＢに行わせることができる。主要サービングセルは、ＵＥのために二次的サービングセルとして動作する同じ基地局もしくはｅＮＢによって、または異なる基地局もしくはｅＮＢによって提供され得る。
【０２９２】
[0316]  従って、方法３０００はワイヤレス通信を提供できる。方法３０００は一実装形態にすぎず、方法３０００の動作は、他の実装形態が可能であるように再構成されるか、または場合によっては修正され得ることに留意されたい。
【０２９３】
[0317]  図３１は、本開示の様々な態様による、ワイヤレス通信のための方法３１００の例を示すフローチャートである。明快のために、方法２８００は、図１、図２、図１０、図１１もしくは図２７を参照して説明されたＵＥ１１５、２５５、２６０、２６５、２７０、１０１５、１１１５もしくは２７１５のうちの１つもしくは複数の態様、または図２２もしくは図２３を参照して説明された装置２２１５もしくは２３１５の態様を参照して以下で説明される。いくつかの例で、ＵＥまたは装置は、以下で説明される機能を行うようにＵＥまたは装置の機能要素を制御するためのコードの１つまたは複数のセットを実行し得る。いくつかの例で、ＵＥまたは装置は、免許不要無線周波数スペクトル帯域上でＬＢＴ−ＬＢＥモードで動作している間に以下で説明される機能を行い得る。
【０２９４】
[0318]  ブロック３１０５において、方法３１００は、第１のＵＥのための第１の擬似乱数生成器と第２のＵＥのための第２の擬似乱数生成器とを、アップリンク期間の初めに、第１のＵＥによって行われるＥＣＣＡが第２のＵＥによって行われるＥＣＣＡと同期されるように、整合させることを含み得る。いくつかの例で、フレーム中の免許不要無線周波数スペクトル帯域を通じた基地局またはｅＮＢへの送信のためにスケジュールされる、同じ事業者展開内の複数のＵＥの各々は、ＥＣＣＡを行うときにＵＥによって使用される擬似乱数生成器と複数のＵＥにおける各々の他のＵＥによって使用される擬似乱数生成器とを整合または同期させることができる。擬似乱数生成器の同期は、複数のＵＥの各々に、同時に免許不要無線周波数スペクトル帯域へのアクセスを争わせることができる。いくつかの例で、整合は、システム時間に少なくとも部分的に基づいて行われ得る。ブロック３１０５における動作は、図２２、図２３もしくは図２７を参照して説明されたワイヤレス通信管理モジュール２２２０、２３２０もしくは２７６０、または図２３を参照して説明された同期モジュール２３６５を使用して行われ得る。
【０２９５】
[0319]  ブロック３１１０において、方法３１００は、第１のＵＥにおいて、免許不要無線周波数スペクトル帯域を通じてＴＤＤ構成の指示を受信することを含み得る。いくつかの例で、ＴＤＤ構成は、（例えば、基地局またはｅＮＢによって）複数の所定の半静的ＴＤＤ構成から選択された半静的ＴＤＤ構成を含み得る。いくつかの例で、ＴＤＤ構成の指示は、半静的ＴＤＤ構成に関連付けられるインデックスを含み得る。いくつかの例で、ＴＤＤ構成の指示は、フレーム（例えば、免許不要無線周波数スペクトル帯域を通じたワイヤレス通信のフレーム）中の連続数のダウンリンクサブフレームおよび連続数のアップリンクサブフレームの指示を含み得る。いくつかの例で、免許不要無線周波数スペクトル帯域は、免許不要の用途（例えば、免許不要無線周波数スペクトル帯域におけるＷｉ−Ｆｉ用途またはＬＴＥ／ＬＴＥ−Ａ用途）に少なくとも部分的に利用可能であるので装置がアクセスを争う必要があり得る無線周波数スペクトル帯域であり得る。いくつかの例で、ＴＤＤ構成の指示は、ＴＤＤ構成の指示が適用されるフレームの第１のダウンリンクサブフレームにおいて免許不要無線周波数スペクトル帯域を通じて受信され得る。いくつかの例で、ＴＤＤ構成の指示は、ＴＤＤ構成の指示が適用されるフレームの任意のダウンリンクサブフレームまたは各ダウンリンクサブフレームにおいて免許不要無線周波数スペクトル帯域を通じて受信され得る。ブロック３１１０における動作は、図２２、図２３もしくは図２７を参照して説明されたワイヤレス通信管理モジュール２２２０、２３２０もしくは２７６０、図２２もしくは図２３を参照して説明されたＴＤＤ構成管理モジュール２２３５もしくは２３３５、または図２３を参照して説明されたＴＤＤ構成指示処理モジュール２３４０を使用して行われ得る。
【０２９６】
[0320]  ブロック３１１５において、方法３１００は、ＴＤＤ構成に従って免許不要無線周波数スペクトル帯域を通じてダウンリンクデータを受信することを含み得る。ブロック３１１５における動作は、図２２、図２３もしくは図２７を参照して説明されたワイヤレス通信管理モジュール２２２０、２３２０もしくは２７６０、または図２３を参照して説明されたダウンリンク管理モジュール２３５０を使用して行われ得る。
【０２９７】
[0321]  いくつかの例で、ブロック３１１０において受信されたＴＤＤ構成の指示は、ＴＤＤ構成の指示が適用されるフレームに関する第１のＴＤＤ構成と第２のＴＤＤ構成とを示し得る。これらの例で、またブロック３１２０において、方法３１００は、ＴＤＤ構成の指示が適用されるフレーム中に第１のＴＤＤ構成から第２のＴＤＤ構成に遷移することを含み得る。ブロック３１２０における動作は、図２２、図２３もしくは図２７を参照して説明されたワイヤレス通信管理モジュール２２２０、２３２０もしくは２７６０、図２２もしくは図２３を参照して説明されたＴＤＤ構成管理モジュール２２３５もしくは２３３５、または図２３を参照して説明されたＴＤＤ遷移管理モジュール２３４５を使用して行われ得る。
【０２９８】
[0322]  ブロック３１２５において、方法３１００は、ＴＤＤ構成に従ってアップリンク期間の初めに免許不要無線周波数スペクトル帯域に対してＥＣＣＡを行うことを含み得る。ブロック３１２５における動作は、図２２、図２３もしくは図２７を参照して説明されたワイヤレス通信管理モジュール２２２０、２３２０もしくは２７６０、または図２２もしくは図２３を参照して説明されたＣＣＡモジュール２２４０もしくはＥＣＣＡモジュール２３５５を使用して行われ得る。
【０２９９】
[0323]  ブロック３１３０において、方法３１００は、ＥＣＣＡが成功したときに免許不要無線周波数スペクトル帯域を通じてプリアンブルを送信することを含み得る。プリアンブルは、ＴＤＤ構成に従ったアップリンクサブフレームの開始を示し得る。
【０３００】
[0324]  ブロック３１３５において、方法３１００は、ＥＣＣＡが成功したときにＴＤＤ構成に従って免許不要無線周波数スペクトル帯域を通じてＵＥからアップリンクデータを送信することを含み得る。いくつかの例で、ブロック３１３０において送信されるプリアンブルは、アップリンクデータの一部または全てとともにアップリンクサブフレームにおいて送信され得る。
【０３０１】
[0325]  いくつかの例で、ＵＥは、ＵＥの送信タイミングを、免許不要無線周波数スペクトル帯域上で動作するように構成された基地局またはｅＮＢのタイミングと同期させるために、ブロック３１２５においてＥＣＣＡを成功裏に行った後、およびブロック３１３０または３１３５においてプリアンブルまたはアップリンクデータを送信する前に、少なくとも１つの完全または断片的な信号（例えば、完全または断片的なＲＳまたはＣＵＢＳ）を送信できる。いくつかの例で、少なくとも１つの完全または断片的な信号は、ＵＥの送信をシンボル境界（例えば、ＳＣ−ＦＤＭシンボル境界もしくはＯＦＤＭシンボル境界）、スロット境界、またはサブフレーム境界と同期させるために送信され得る。ブロック３１３０または３１３５における動作は、図２２、図２３もしくは図２７を参照して説明されたワイヤレス通信管理モジュール２２２０、２３２０もしくは２７６０、または図２２もしくは図２３を参照して説明されたアップリンク管理モジュール２２４５もしくは２３６０を使用して行われ得る。
【０３０２】
[0326]  いくつかの例で、ブロック３１２５、３１３０、または３１３５において行われる動作は、ＵＥのために二次的サービングセルとして動作する基地局またはｅＮＢが、免許不要無線周波数スペクトル帯域を通じた基地局またはｅＮＢへの送信を行うようにＵＥをスケジュールしたときのみ、ＵＥによって行われ得る。いくつかの例で、ＵＥは、主要サービングセルにＢＳＲを送信し、それによってＵＥが送信することになるデータの量を主要サービングセルに示すことによって、免許不要無線周波数スペクトル帯域を通じた送信を行うようにＵＥをスケジュールすることを基地局またはｅＮＢに行わせることができる。主要サービングセルは、ＵＥのために二次的サービングセルとして動作する同じ基地局もしくはｅＮＢによって、または異なる基地局もしくはｅＮＢによって提供され得る。
【０３０３】
[0327]  ブロック３１４０において、方法３１００は、第１のＵＥのタイミングを、免許不要無線周波数スペクトル帯域上で動作するように構成されたｅＮＢのタイミングと周期的に同期させることを含み得る。いくつかの例で、同期は、シンボル境界（例えば、ＳＣ−ＦＤＭシンボル境界もしくはＯＦＤＭシンボル境界）、スロット境界、またはサブフレーム境界のうちの１つまたは複数において生じ得る。図３１で、同期は、ブロック３１３５における動作の後生じることが示されている。他の例で、同期は、方法３１００の動作の前、間、または後の他の時間に生じ得る。ブロック３１４０における動作は、図２２、図２３もしくは図２７を参照して説明されたワイヤレス通信管理モジュール２２２０、２３２０もしくは２７６０、または図２３を参照して説明された同期モジュール２３６５を使用して行われ得る。
【０３０４】
[0328]  従って、方法３１００はワイヤレス通信を提供できる。方法３１００は一実装形態にすぎず、方法３１００の動作は、他の実装形態が可能であるように再構成されるか、または場合によっては修正され得ることに留意されたい。
【０３０５】
[0329]  図３２は、本開示の様々な態様による、ワイヤレス通信のための方法３２００の例を示すフローチャートである。明快のために、方法３２００は、図１、図２、図１０、図１１または図２６を参照して説明された基地局１０５、２０５、２１０、１００５、１１０５もしくは２６０５またはｅＮＢのうちの１つまたは複数の態様、あるいは図２０または図２１を参照して説明された装置２００５または２１０５の態様を参照して以下で説明される。いくつかの例で、基地局、ｅＮＢ、または装置は、以下で説明される機能を行うように基地局、ｅＮＢ、または装置の機能要素を制御するためのコードの１つまたは複数のセットを実行し得る。いくつかの例で、基地局、ｅＮＢ、または装置は、免許不要無線周波数スペクトル帯域上でＬＢＴ−ＬＢＥモードで動作している間に以下で説明される機能を行い得る。いくつかの例で、基地局、ｅＮＢ、または装置は、ＵＥのためにキャリアアグリゲーションモードで二次的サービングセルとして動作している間に以下で説明される機能を行い得る。
【０３０６】
[0330]  ブロック３２０５において、方法３２００は、免許不要無線周波数スペクトル帯域に対してＣＣＡを行うことを含み得る。いくつかの例で、免許不要無線周波数スペクトル帯域は、免許不要の用途（例えば、免許不要無線周波数スペクトル帯域におけるＷｉ−Ｆｉ用途またはＬＴＥ／ＬＴＥ−Ａ用途）に少なくとも部分的に利用可能であるので装置がアクセスを争う必要があり得る無線周波数スペクトル帯域であり得る。いくつかの例で、ＣＣＡはＥＣＣＡを含み得る。ブロック３２０５における動作は、図２０、図２１もしくは図２６を参照して説明されたワイヤレス通信管理モジュール２０２０、２１２０もしくは２６６０、または図２０もしくは図２１を参照して説明されたＣＣＡモジュール２０３５もしくはＥＣＣＡモジュール２１３５を使用して行われ得る。
【０３０７】
[0331]  ブロック３２１０において、方法３２００は、ＵＥに対する少なくとも１つの許可に少なくとも部分的に基づいて、免許不要無線周波数スペクトル帯域を通じた通信のためのいくつかのアップリンクサブフレームのタイミングを動的に決定することを含み得る。いくつかの例で、少なくとも１つの許可は、複数のサブフレームを有する期間（例えば、１つまたは複数のフレーム）に対応してよく、その期間における複数のサブフレームの第１の部分が、ダウンリンク使用のために半静的に構成され、その期間における複数のサブフレームの残存部分が、少なくとも１つの許可に少なくとも部分的に基づいてアップリンク使用またはダウンリンク使用のために動的に構成される。ＵＥに対する許可のうちの１つまたは複数を受信する近隣基地局またはｅＮＢは、１つまたは複数の許可を復号し、１つまたは複数の許可によって示されたアップリンクサブフレームの送信中に免許不要無線周波数スペクトル帯域にアクセスするのを控えることができる。いくつかの例で、ＵＥに対する少なくとも１つの許可は、アップリンク許可、ダウンリンク許可、または両方を含み得る。ブロック３２１０における動作は、図２０、図２１もしくは図２６を参照して説明されたワイヤレス通信管理モジュール２０２０、２１２０もしくは２６６０、または図２０もしくは図２１を参照して説明されたアップリンクサブフレームタイミング決定モジュール２０４０もしくは２１４５を使用して行われ得る。
【０３０８】
[0332]  ブロック３２１５において、方法３２００は、ブロック３２０５において行われたＣＣＡが成功したときに、いくつかのアップリンクサブフレームのタイミングに従って、免許不要無線周波数スペクトル帯域を通じてダウンリンクデータを送信することを含み得る。ブロック３２１５における動作は、図２０、図２１もしくは図２６を参照して説明されたワイヤレス通信管理モジュール２０２０、２１２０もしくは２６６０、または図２０もしくは図２１を参照して説明されたダウンリンク管理モジュール２０４５もしくは２１５５を使用して行われ得る。
【０３０９】
[0333]  従って、方法３２００はワイヤレス通信を提供できる。方法３２００は一実装形態にすぎず、方法３２００の動作は、他の実装形態が可能であるように再構成されるか、または場合によっては修正され得ることに留意されたい。
【０３１０】
[0334]  図３３は、本開示の様々な態様による、ワイヤレス通信のための方法３３００の例を示すフローチャートである。明快のために、方法３３００は、図１、図２、図１０、図１１または図２６を参照して説明された基地局１０５、２０５、２１０、１００５、１１０５もしくは２６０５またはｅＮＢのうちの１つまたは複数の態様、あるいは図２０または図２１を参照して説明された装置２００５または２１０５の態様を参照して以下で説明される。いくつかの例で、基地局、ｅＮＢ、または装置は、以下で説明される機能を行うように基地局、ｅＮＢ、または装置の機能要素を制御するためのコードの１つまたは複数のセットを実行し得る。いくつかの例で、基地局、ｅＮＢ、または装置は、免許不要無線周波数スペクトル帯域上でＬＢＴ−ＬＢＥモードで動作している間に以下で説明される機能を行い得る。いくつかの例で、基地局、ｅＮＢ、または装置は、ＵＥのためにキャリアアグリゲーションモードで二次的サービングセルとして動作している間に以下で説明される機能を行い得る。
【０３１１】
[0335]  ブロック３３０５において、方法３３００は、免許不要無線周波数スペクトル帯域に対してＥＣＣＡを行うことを含み得る。いくつかの例で、免許不要無線周波数スペクトル帯域は、免許不要の用途（例えば、免許不要無線周波数スペクトル帯域におけるＷｉ−Ｆｉ用途またはＬＴＥ／ＬＴＥ−Ａ用途）に少なくとも部分的に利用可能であるので装置がアクセスを争う必要があり得る無線周波数スペクトル帯域であり得る。ブロック３３０５における動作は、図２０、図２１もしくは図２６を参照して説明されたワイヤレス通信管理モジュール２０２０、２１２０もしくは２６６０、または図２０もしくは図２１を参照して説明されたＣＣＡモジュール２０３５もしくはＥＣＣＡモジュール２１３５を使用して行われ得る。
【０３１２】
[0336]  ブロック３３１０において、方法３３００は、ＵＥに対する少なくとも１つの許可を送信することを含み得る。少なくとも１つの許可は、免許不要無線周波数スペクトル帯域に関連付けられ得る。いくつかの例で、少なくとも１つの許可は、複数のサブフレームを有する期間（例えば、１つまたは複数のフレーム）に対応してよく、その期間における複数のサブフレームの第１の部分が、ダウンリンク使用のために半静的に構成され、その期間における複数のサブフレームの残存部分が、少なくとも１つの許可に少なくとも部分的に基づいてアップリンク使用またはダウンリンク使用のために動的に構成される。ＵＥに対する許可のうちの１つまたは複数を受信する近隣基地局またはｅＮＢは、１つまたは複数の許可を復号し、１つまたは複数の許可によって示されたアップリンクサブフレームの送信中に免許不要無線周波数スペクトル帯域にアクセスするのを控えることができる。いくつかの例で、ＵＥに対する少なくとも１つの許可は、アップリンク許可、ダウンリンク許可、または両方を含み得る。ブロック３３１０における動作は、図２０、図２１もしくは図２６を参照して説明されたワイヤレス通信管理モジュール２０２０、２１２０もしくは２６６０、または図２１を参照して説明された許可送信モジュール２１４０を使用して行われ得る。
【０３１３】
[0337]  ブロック３３１５において、方法３３００は、ＵＥに対する少なくとも１つの許可に少なくとも部分的に基づいて、ＣＣＡに後続する期間に関して、免許不要無線周波数スペクトル帯域を通じた通信のためのいくつかのアップリンクサブフレームのタイミングを動的に決定することを含み得る。ブロック３３１５における動作は、図２０、図２１もしくは図２６を参照して説明されたワイヤレス通信管理モジュール２０２０、２１２０もしくは２６６０、または図２０もしくは図２１を参照して説明されたアップリンクサブフレームタイミング決定モジュール２０４０もしくは２１４５を使用して行われ得る。
【０３１４】
[0338]  ブロック３３２０において、方法３３００は、ブロック３３０５において行われたＣＣＡが成功したときに、いくつかのアップリンクサブフレームのタイミングに従って、免許不要無線周波数スペクトル帯域を通じてダウンリンクデータを送信することを含み得る。いくつかの例で、基地局またはｅＮＢは、基地局またはｅＮＢの送信タイミングを、免許不要無線周波数スペクトル帯域上で動作するように構成された少なくとも１つのＵＥのタイミングと同期させるために、ブロック３３０５においてＥＣＣＡを成功裏に行った後、およびブロック３３２０においてダウンリンクデータを送信する前に、少なくとも１つの完全または断片的な信号（例えば、完全または断片的なＲＳまたはＣＵＢＳ）を送信できる。いくつかの例で、少なくとも１つの完全または断片的な信号は、基地局またはｅＮＢの送信をシンボル境界、スロット境界、またはサブフレーム境界と同期させるために送信され得る。ブロック３３２０における動作は、図２０、図２１もしくは図２６を参照して説明されたワイヤレス通信管理モジュール２０２０、２１２０もしくは２６６０、または図２０もしくは図２１を参照して説明されたダウンリンク管理モジュール２０４５もしくは２１５５を使用して行われ得る。
【０３１５】
[0339]  ブロック３３２５において、方法３３００は、ＵＥからプリアンブルを受信することを含み得る。プリアンブルは、ＣＣＡに後続する期間中のアップリンクサブフレームの開始を示し得る。ブロック３３２５における動作は、図２０、図２１もしくは図２６を参照して説明されたワイヤレス通信管理モジュール２０２０、２１２０もしくは２６６０、または図２１を参照して説明されたアップリンク管理モジュール２１６０を使用して行われ得る。
【０３１６】
[0340]  ブロック３３３０において、方法３３００は、免許不要無線周波数スペクトル帯域上で動作するように構成された少なくとも１つの基地局またはｅＮＢのタイミングを、免許不要無線周波数スペクトル帯域上で動作するように構成された少なくとも１つのＵＥのタイミングと周期的に同期させることを含み得る。いくつかの例で、同期は、シンボル境界（例えば、ＯＦＤＭシンボル境界）、スロット境界、またはサブフレーム境界のうちの１つまたは複数において生じ得る。図３３で、同期は、ブロック３３２５における動作の後生じることが示されている。他の例で、同期は、方法３３００の動作の前、間、または後の他の時間に生じ得る。ブロック３３３０における動作は、図２０、図２１もしくは図２６を参照して説明されたワイヤレス通信管理モジュール２０２０、２１２０もしくは２６６０、または図２１を参照して説明された同期モジュール２１６５を使用して行われ得る。
【０３１７】
[0341]  従って、方法３３００はワイヤレス通信を提供できる。方法３３００は一実装形態にすぎず、方法３３００の動作は、他の実装形態が可能であるように再構成されるか、または場合によっては修正され得ることに留意されたい。
【０３１８】
[0342]  図３４は、本開示の様々な態様による、ワイヤレス通信のための方法３４００の例を示すフローチャートである。明快のために、方法３４００は、図１、図２、図１０、図１１もしくは図２７を参照して説明されたＵＥ１１５、２５５、２６０、２６５、２７０、１０１５、１１１５もしくは２７１５のうちの１つもしくは複数の態様、または図２４もしくは図２５を参照して説明された装置２４１５もしくは２５１５の態様を参照して以下で説明される。いくつかの例で、ＵＥまたは装置は、以下で説明される機能を行うようにＵＥまたは装置の機能要素を制御するためのコードの１つまたは複数のセットを実行し得る。いくつかの例で、ＵＥまたは装置は、免許不要無線周波数スペクトル帯域上でＬＢＴ−ＬＢＥモードで動作している間に以下で説明される機能を行い得る。いくつかの例で、ＵＥまたは装置は、ＵＥのためにキャリアアグリゲーションモードで二次的サービングセルとして動作する基地局またはｅＮＢと通信する間に以下で説明される機能を行い得る。
【０３１９】
[0343]  ブロック３４０５において、方法３４００は、ＵＥにおいて、免許不要無線周波数スペクトル帯域に関連付けられる少なくとも１つの許可を受信することを含み得る。いくつかの例で、免許不要無線周波数スペクトル帯域は、免許不要の用途（例えば、免許不要無線周波数スペクトル帯域におけるＷｉ−Ｆｉ用途またはＬＴＥ／ＬＴＥ−Ａ用途）に少なくとも部分的に利用可能であるので装置がアクセスを争う必要があり得る無線周波数スペクトル帯域であり得る。いくつかの例で、少なくとも１つの許可は、複数のサブフレームを有するフレームに対応してよく、フレームにおける複数のサブフレームの第１の部分が、ダウンリンク使用のために半静的に構成され、フレームにおける複数のサブフレームの残存部分が、少なくとも１つの許可に少なくとも部分的に基づいてアップリンク使用またはダウンリンク使用のために動的に構成される。ＵＥに対する許可のうちの１つまたは複数を受信する近隣基地局またはｅＮＢは、１つまたは複数の許可を復号し、１つまたは複数の許可によって示されたアップリンクサブフレームの送信中に免許不要無線周波数スペクトル帯域にアクセスするのを控えることができる。いくつかの例で、ＵＥに対する少なくとも１つの許可は、アップリンク許可、ダウンリンク許可、または両方を含み得る。ブロック３４０５における動作は、図２４、図２５もしくは図２７を参照して説明されたワイヤレス通信管理モジュール２４２０、２５２０もしくは２７６０、または図２４もしくは図２５を参照して説明されたＴＤＤ構成管理モジュール２４３５もしくは２５３５を使用して行われ得る。
【０３２０】
[0344]  ブロック３４１０において、方法３４００は、少なくとも１つの許可に少なくとも部分的に基づいて、免許不要無線周波数スペクトル帯域を通じた通信のためのいくつかのアップリンクサブフレームのタイミングを動的に決定することを含み得る。ブロック３４１０における動作は、図２４、図２５もしくは図２７を参照して説明されたワイヤレス通信管理モジュール２４２０、２５２０もしくは２７６０、または図２４もしくは図２５を参照して説明されたアップリンクサブフレームタイミング決定モジュール２４３５もしくは２５３５を使用して行われ得る。
【０３２１】
[0345]  ブロック３４１５において、方法３４００は、いくつかのアップリンクサブフレームを含むアップリンク期間の初めに免許不要無線周波数スペクトル帯域に対してＣＣＡを行うことを含み得る。いくつかの例で、ＣＣＡはＥＣＣＡを含み得る。ブロック３４１５における動作は、図２４、図２５もしくは図２７を参照して説明されたワイヤレス通信管理モジュール２４２０、２５２０もしくは２７６０、または図２４もしくは図２５を参照して説明されたＣＣＡモジュール２４４０もしくはＥＣＣＡモジュール２５５０を使用して行われ得る。
【０３２２】
[0346]  ブロック３４２０において、方法３４００は、ＣＣＡが成功したときにいくつかのアップリンクサブフレームのうちの少なくとも１つに従って免許不要無線周波数スペクトル帯域を通じてＵＥからアップリンクデータを送信することを含み得る。ブロック３４２０における動作は、図２４、図２５もしくは図２７を参照して説明されたワイヤレス通信管理モジュール２４２０、２５２０もしくは２７６０、または図２４もしくは図２５を参照して説明されたアップリンク管理モジュール２４４５もしくは２５５５を使用して行われ得る。
【０３２３】
[0347]  いくつかの例で、ブロック３４１５または３４２０において行われる動作は、ＵＥのために二次的サービングセルとして動作する基地局またはｅＮＢが、免許不要無線周波数スペクトル帯域を通じた基地局またはｅＮＢへの送信を行うようにＵＥをスケジュールしたときのみ、ＵＥによって行われ得る。いくつかの例で、ＵＥは、主要サービングセルにＢＳＲを送信し、それによってＵＥが送信することになるデータの量を主要サービングセルに示すことによって、免許不要無線周波数スペクトル帯域を通じた送信を行うようにＵＥをスケジュールすることを基地局またはｅＮＢに行わせることができる。主要サービングセルは、ＵＥのために二次的サービングセルとして動作する同じ基地局もしくはｅＮＢによって、または異なる基地局もしくはｅＮＢによって提供され得る。
【０３２４】
[0348]  従って、方法３４００はワイヤレス通信を提供できる。方法３４００は一実装形態にすぎず、方法３４００の動作は、他の実装形態が可能であるように再構成されるか、または場合によっては修正され得ることに留意されたい。
【０３２５】
[0349]  図３５は、本開示の様々な態様による、ワイヤレス通信のための方法３５００の例を示すフローチャートである。明快のために、方法２８００は、図１、図２、図１０、図１１もしくは図２７を参照して説明されたＵＥ１１５、２５５、２６０、２６５、２７０、１０１５、１１１５もしくは２７１５のうちの１つもしくは複数の態様、または図２４もしくは図２５を参照して説明された装置２４１５もしくは２５１５の態様を参照して以下で説明される。いくつかの例で、ＵＥまたは装置は、以下で説明される機能を行うようにＵＥまたは装置の機能要素を制御するためのコードの１つまたは複数のセットを実行し得る。いくつかの例で、ＵＥまたは装置は、免許不要無線周波数スペクトル帯域上でＬＢＴ−ＬＢＥモードで動作している間に以下で説明される機能を行い得る。
【０３２６】
[0350]  ブロック３５０５において、方法３５００は、第１のＵＥのための第１の擬似乱数生成器と第２のＵＥのための第２の擬似乱数生成器とを、アップリンク期間の初めに、第１のＵＥによって行われるＥＣＣＡが第２のＵＥによって行われるＥＣＣＡと同期されるように、整合させることを含み得る。いくつかの例で、フレーム中の免許不要無線周波数スペクトル帯域を通じた基地局またはｅＮＢへの送信のためにスケジュールされる、同じ事業者展開内の複数のＵＥの各々は、ＥＣＣＡを行うときにＵＥによって使用される擬似乱数生成器と複数のＵＥにおける各々の他のＵＥによって使用される擬似乱数生成器とを整合または同期させることができる。擬似乱数生成器の同期は、複数のＵＥの各々に、同時に免許不要無線周波数スペクトル帯域へのアクセスを争わせることができる。いくつかの例で、整合は、システム時間に少なくとも部分的に基づいて行われ得る。ブロック３５０５における動作は、図２４、図２５もしくは図２７を参照して説明されたワイヤレス通信管理モジュール２４２０、２５２０もしくは２７６０、または図２５を参照して説明された同期モジュール２５６０を使用して行われ得る。
【０３２７】
[0351]  ブロック３５１０において、方法３５００は、第１のＵＥにおいて、免許不要無線周波数スペクトル帯域に関連付けられる少なくとも１つの許可を受信することを含み得る。いくつかの例で、免許不要無線周波数スペクトル帯域は、免許不要の用途（例えば、免許不要無線周波数スペクトル帯域におけるＷｉ−Ｆｉ用途またはＬＴＥ／ＬＴＥ−Ａ用途）に少なくとも部分的に利用可能であるので装置がアクセスを争う必要があり得る無線周波数スペクトル帯域であり得る。いくつかの例で、少なくとも１つの許可は、複数のサブフレームを有するフレームに対応してよく、フレームにおける複数のサブフレームの第１の部分が、ダウンリンク使用のために半静的に構成され、フレームにおける複数のサブフレームの残存部分が、少なくとも１つの許可に少なくとも部分的に基づいてアップリンク使用またはダウンリンク使用のために動的に構成される。ＵＥに対する許可のうちの１つまたは複数を受信する近隣基地局またはｅＮＢは、１つまたは複数の許可を復号し、１つまたは複数の許可によって示されたアップリンクサブフレームの送信中に免許不要無線周波数スペクトル帯域にアクセスするのを控えることができる。いくつかの例で、ＵＥに対する少なくとも１つの許可は、アップリンク許可、ダウンリンク許可、または両方を含み得る。ブロック３４０５における動作は、図２４、図２５もしくは図２７を参照して説明されたワイヤレス通信管理モジュール２４２０、２５２０もしくは２７６０、または図２４もしくは図２５を参照して説明されたＴＤＤ構成管理モジュール２４３５もしくは２５３５を使用して行われ得る。
【０３２８】
[0352]  ブロック３５１５において、方法３５００は、少なくとも１つの許可に少なくとも部分的に基づいて、免許不要無線周波数スペクトル帯域を通じた通信のためのフレームにおけるいくつかのアップリンクサブフレームのタイミングを動的に決定することを含み得る。ブロック３５１５における動作は、図２４、図２５もしくは図２７を参照して説明されたワイヤレス通信管理モジュール２４２０、２５２０もしくは２７６０、または図２４もしくは図２５を参照して説明されたアップリンクサブフレームタイミング決定モジュール２４３５もしくは２５３５を使用して行われ得る。
【０３２９】
[0353]  ブロック３５２０において、方法３５００は、いくつかのアップリンクサブフレームを含むアップリンク期間の初めに免許不要無線周波数スペクトル帯域に対してＥＣＣＡを行うことを含み得る。ブロック３５２０における動作は、図２４、図２５もしくは図２７を参照して説明されたワイヤレス通信管理モジュール２４２０、２５２０もしくは２７６０、または図２４もしくは図２５を参照して説明されたＣＣＡモジュール２４４０もしくはＥＣＣＡモジュール２５５０を使用して行われ得る。
【０３３０】
[0354]  ブロック３５２５において、方法３５００は、ＥＣＣＡが成功したときに免許不要無線周波数スペクトル帯域を通じてプリアンブルを送信することを含み得る。プリアンブルは、いくつかのアップリンクサブフレームのタイミングに従ったアップリンクサブフレームの開始を示し得る。
【０３３１】
[0355]  ブロック３５３０において、方法３５００は、ＥＣＣＡが成功したときにいくつかのアップリンクサブフレームのうちの少なくとも１つに従って免許不要無線周波数スペクトル帯域を通じてＵＥからアップリンクデータを送信することを含み得る。いくつかの例で、ブロック３５２５において送信されるプリアンブルは、アップリンクデータの一部または全てとともにアップリンクサブフレームにおいて送信され得る。
【０３３２】
[0356]  いくつかの例で、ＵＥは、ＵＥの送信タイミングを、免許不要無線周波数スペクトル帯域上で動作するように構成された基地局またはｅＮＢのタイミングと同期させるために、ブロック３５２０においてＥＣＣＡを成功裏に行った後、およびブロック３５２５または３５３０においてプリアンブルまたはアップリンクデータを送信する前に、少なくとも１つの完全または断片的な信号（例えば、完全または断片的なＲＳまたはＣＵＢＳ）を送信できる。いくつかの例で、少なくとも１つの完全または断片的な信号は、ＵＥの送信をシンボル境界（例えば、ＳＣ−ＦＤＭシンボル境界もしくはＯＦＤＭシンボル境界）、スロット境界、またはサブフレーム境界と同期させるために送信され得る。ブロック３５２５または３５３０における動作は、図２４、図２５もしくは図２７を参照して説明されたワイヤレス通信管理モジュール２４２０、２５２０もしくは２７６０、または図２４もしくは図２５を参照して説明されたアップリンク管理モジュール２４４５もしくは２５５５を使用して行われ得る。
【０３３３】
[0357]  いくつかの例で、ブロック３５２０、３５２５、または３５３０において行われる動作は、ＵＥのために二次的サービングセルとして動作する基地局またはｅＮＢが、免許不要無線周波数スペクトル帯域を通じた基地局またはｅＮＢへの送信を行うようにＵＥをスケジュールしたときのみ、ＵＥによって行われ得る。いくつかの例で、ＵＥは、主要サービングセルにＢＳＲを送信し、それによってＵＥが送信することになるデータの量を主要サービングセルに示すことによって、免許不要無線周波数スペクトル帯域を通じた送信を行うようにＵＥをスケジュールすることを基地局またはｅＮＢに行わせることができる。主要サービングセルは、ＵＥのために二次的サービングセルとして動作する同じ基地局もしくはｅＮＢによって、または異なる基地局もしくはｅＮＢによって提供され得る。
【０３３４】
[0358]  ブロック３５３５において、方法３５００は、第１のＵＥのタイミングを、免許不要無線周波数スペクトル帯域上で動作するように構成されたｅＮＢのタイミングと周期的に同期させることを含み得る。いくつかの例で、同期は、シンボル境界（例えば、ＳＣ−ＦＤＭシンボル境界もしくはＯＦＤＭシンボル境界）、スロット境界、またはサブフレーム境界のうちの１つまたは複数において生じ得る。図３５で、同期は、ブロック３５３０における動作の後生じることが示されている。他の例で、同期は、方法３５００の動作の前、間、または後の他の時間に生じ得る。ブロック３５３５における動作は、図２４、図２５もしくは図２７を参照して説明されたワイヤレス通信管理モジュール２４２０、２５２０もしくは２７６０、または図２５を参照して説明された同期モジュール２５６０を使用して行われ得る。
【０３３５】
[0359]  少なくとも１つの許可が第１のアップリンクサブフレームに関するアップリンク許可を含むとき、およびブロック３３２０において行われたＥＣＣＡが第１のアップリンクサブフレームの開始過ぎまで成功しなかったとき、方法３３００は、１）アップリンク許可を第２のアップリンクサブフレームに関連付けること、または２）アップリンク許可が失効するのを可能にすることを含み得る。第２のアップリンクサブフレームは、第１のアップリンクサブフレームの直後にくること、または１つもしくは複数の他のサブフレームによって第１のアップリンクサブフレームから分離されることがある。
【０３３６】
[0360]  従って、方法３３００はワイヤレス通信を提供できる。方法３３００は一実装形態にすぎず、方法３３００の動作は、他の実装形態が可能であるように再構成されるか、または場合によっては修正され得ることに留意されたい。
【０３３７】
[0361]  図３２、図３３、図３４、または図３５を参照して説明された方法３２００、３３００、３４００、または３５００は、より短いフレーム持続時間（例えば、２ｍｓまたは４ｍｓのフレーム持続時間）に有用であり得る。
【０３３８】
[0362]  添付の図面に関して上に記載された発明を実施するための形態は、例について説明しており、実装され得るまたは特許請求の範囲内に入る例のみを表すものではない。「例」および「例示的」という用語は、この説明で使用されるとき、「例、事例、または例示としての役割を果たす」ことを意味し、「好ましい」または「他の例よりも有利である」ことを意味しない。発明を実施するための形態は、説明される技法の理解をもたらすための具体的な詳細を含む。しかしながら、これらの技法は、これらの具体的な詳細なしに実践され得る。いくつかの事例では、説明された例の概念を不明瞭にすることを避けるために、よく知られている構造および装置がブロック図の形態で示されている。
【０３３９】
[0363]  情報および信号は、様々な異なる技術および技法のいずれかを使用して表され得る。例えば、上の説明全体を通じて参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表現され得る。
【０３４０】
[0364]  本明細書の開示に関して説明された様々な例示的なブロックおよびモジュールは、汎用プロセッサ、デジタル信号プロセッサ（ＤＳＰ）、ＡＳＩＣ、ＦＰＧＡもしくは他のプログラマブル論理デバイス、個別ゲートもしくはトランジスタロジック、個別ハードウェア構成要素、または本明細書で説明された機能を行うように設計されたそれらの任意の組合せを用いて実装または行われ得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、例えばＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０３４１】
[0365]  本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして非一時的コンピュータ可読媒体上に記憶され、または非一時的コンピュータ可読媒体を通じて送信され得る。他の例および実装形態が、本開示および添付の特許請求の範囲および趣旨の中にある。例えば、ソフトウェアの性質により、上で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理ロケーションにおいて機能の部分が実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、例えば、「Ａ、Ｂ、またはＣのうちの少なくとも１つ」の列挙がＡまたはＢまたはＣまたはＡＢまたはＡＣまたはＢＣまたはＡＢＣ（すなわち、ＡおよびＢおよびＣ）を意味するような、選言的列挙を示す。
【０３４２】
[0366]  コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気記憶デバイス、あるいは命令またはデータ構造の形態で所望のプログラムコード手段を搬送または記憶するために使用され得、汎用もしくは専用コンピュータ、または汎用もしくは専用プロセッサによってアクセスされ得る任意の他の媒体を備え得る。さらに、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（ｄｉｓｋ）およびディスク（ｄｉｓｃ）は、コンパクトディスク（ｄｉｓｃ）（ＣＤ）、レーザーディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）およびＢｌｕ−ｒａｙ（登録商標）ディスク（ｄｉｓｃ）を含み、ここで、ディスク（ｄｉｓｋ）は、通常、データを磁気的に再生し、ディスク（ｄｉｓｃ）は、データをレーザーで光学的に再生する。上記のものの組合せもまた、コンピュータ可読媒体の範囲内に含まれる。
【０３４３】
[0367]  本開示の前の説明は、当業者が本開示を作成または使用することが可能になるように提供される。本開示への様々な修正が当業者には容易に明らかであり、本明細書において定義された一般原理は、本開示の趣旨または範囲から逸脱することなく、他の変形形態に適用され得る。本開示全体にわたって、「例」または「例示的」という用語は、例または事例を示すものであり、言及された例に対する選好を暗示せず、または要求しない。従って、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
ワイヤレス通信のための方法であって、
ユーザ機器（ＵＥ）において、免許不要無線周波数スペクトル帯域を通じて時分割複信（ＴＤＤ）構成の指示を受信することと、ここにおいて、前記ＴＤＤ構成の前記指示が、連続数のダウンリンクサブフレームの指示、連続数のアップリンクサブフレームの指示、または免許不要無線周波数スペクトル帯域に関連付けられる許可のうちの少なくとも１つを備える、
前記ＴＤＤ構成に従ってアップリンク期間の初めに前記免許不要無線周波数スペクトル帯域に対してクリアチャネルアセスメント（ＣＣＡ）を行うことと、
前記ＣＣＡが成功したときに前記ＴＤＤ構成に従って前記免許不要無線周波数スペクトル帯域を通じて前記ＵＥからアップリンクデータを送信することと
を備える方法。
［Ｃ２］
前記ＴＤＤ構成は、複数の半静的ＴＤＤ構成から選択された半静的ＴＤＤ構成を備え、
前記ＴＤＤ構成の前記指示は、前記半静的ＴＤＤ構成に関連付けられるインデックスを備える、Ｃ１に記載の方法。
［Ｃ３］
前記ＴＤＤ構成の前記指示は、フレームの第１のダウンリンクサブフレームにおいて前記免許不要無線周波数スペクトル帯域を通じて受信される、Ｃ１に記載の方法。
［Ｃ４］
フレーム中に第１のＴＤＤ構成から第２のＴＤＤ構成に遷移すること
をさらに備え、
前記ＴＤＤ構成の前記指示は、前記フレームに関する前記第１のＴＤＤ構成と前記第２のＴＤＤ構成の両方を示す、Ｃ１に記載の方法。
［Ｃ５］
前記ＣＣＡが成功したときに前記免許不要無線周波数スペクトル帯域を通じてプリアンブルを送信すること
をさらに備え、前記プリアンブルが、前記ＴＤＤ構成に従ったアップリンクサブフレームの開始を示す、Ｃ１に記載の方法。
［Ｃ６］
前記ＵＥの送信タイミングを、前記免許不要無線周波数スペクトル帯域上で動作するように構成されたｅｖｏｌｖｅｄ  Ｎｏｄｅ  Ｂ（ｅＮＢ）のタイミングと周期的に同期させること
をさらに備える、Ｃ１に記載の方法。
［Ｃ７］
前記ＵＥは、第１のＵＥを備え、
前記ＣＣＡは拡張ＣＣＡ（ＥＣＣＡ）を備え、前記方法は、
前記第１のＵＥのための第１の擬似乱数生成器と第２のＵＥのための第２の擬似乱数生成器とを、前記アップリンク期間の前記初めに、前記第１のＵＥによって行われる前記ＥＣＣＡが前記第２のＵＥによって行われるＥＣＣＡと同期されるように、整合させることをさらに備える、Ｃ１に記載の方法。
［Ｃ８］
前記許可に少なくとも部分的に基づいて、前記免許不要無線周波数スペクトル帯域を通じた通信のためのフレームにおけるいくつかのアップリンクサブフレームのタイミングを動的に決定すること
をさらに備え、
前記ＣＣＡを行うことは、前記いくつかのアップリンクサブフレームを含むアップリンク期間の初めに前記免許不要無線周波数スペクトル帯域に対してＣＣＡを行うことを備え、
アップリンクデータを送信することは、前記ＣＣＡが成功したときに前記いくつかのアップリンクサブフレームのうちの少なくとも１つに従って前記免許不要無線周波数スペクトル帯域を通じて前記ＵＥからアップリンクデータを送信することを備える、Ｃ１に記載の方法。
［Ｃ９］
前記フレームにおける複数のサブフレームの第１の部分は、ダウンリンク使用のために半静的に構成され、前記フレームにおける前記複数のサブフレームの残存部分は、前記許可に少なくとも部分的に基づいてアップリンク使用またはダウンリンク使用のために動的に構成される、Ｃ８に記載の方法。
［Ｃ１０］
前記許可は、第１のアップリンクサブフレームに関するアップリンク許可を備え、前記ＣＣＡは、前記第１のアップリンクサブフレームの開始過ぎまで成功せず、前記方法は、
前記アップリンク許可を第２のアップリンクサブフレームに関連付けること
をさらに備える、Ｃ８に記載の方法。
［Ｃ１１］
前記許可は、第１のアップリンクサブフレームに関するアップリンク許可を備え、前記ＣＣＡは、前記第１のアップリンクサブフレームの開始過ぎまで成功せず、前記方法は、
前記アップリンク許可が失効するのを可能にすること
をさらに備える、Ｃ８に記載の方法。
［Ｃ１２］
前記許可は、アップリンク送信のためのサブフレームを示すアップリンク許可を備え、
前記成功したＣＣＡは、前記ＣＣＡに後続する、前記許可によって示された前記サブフレームの前のサブフレームがダウンリンクサブフレームであることを示す、Ｃ８に記載の方法。
［Ｃ１３］
ワイヤレス通信のための方法であって、
免許不要無線周波数スペクトル帯域に対してクリアチャネルアセスメント（ＣＣＡ）を行うことと、
前記ＣＣＡに後続する期間に関して、前記免許不要無線周波数スペクトル帯域を通じて時分割複信（ＴＤＤ）構成の指示を送信することと、ここにおいて、前記ＴＤＤ構成の前記指示が、前記ＣＣＡに後続する連続数のダウンリンクサブフレームの指示、連続数のアップリンクサブフレームの指示、またはユーザ機器（ＵＥ）に対する許可のうちの少なくとも１つを備える、
前記ＣＣＡが成功したときに前記ＴＤＤ構成に従って前記免許不要無線周波数スペクトル帯域を通じてダウンリンクデータを送信することと
を備える方法。
［Ｃ１４］
前記ＴＤＤ構成を複数の所定の半静的ＴＤＤ構成から選択すること
をさらに備え、
前記ＴＤＤ構成の前記指示を送信することは、前記選択されたＴＤＤ構成に関連付けられるインデックスを送信することを備える、Ｃ１３に記載の方法。
［Ｃ１５］
前記ＴＤＤ構成の前記指示は、前記ＣＣＡに関連付けられるフレームの第１のダウンリンクサブフレームにおいて前記免許不要無線周波数スペクトル帯域を通じて送信される、Ｃ１３に記載の方法。
［Ｃ１６］
前記ＣＣＡに関連付けられるフレーム中に第１のＴＤＤ構成から第２のＴＤＤ構成に遷移すること
をさらに備え、
前記ＴＤＤ構成の前記指示は、前記第１のＴＤＤ構成と前記第２のＴＤＤ構成の両方を示す、Ｃ１３に記載の方法。
［Ｃ１７］
ＵＥからプリアンブルを受信すること
をさらに備え、前記プリアンブルが、前記ＴＤＤ構成に従ったアップリンクサブフレームの開始を示す、Ｃ１３に記載の方法。
［Ｃ１８］
前記免許不要無線周波数スペクトル帯域上で動作するように構成された少なくとも１つのｅｖｏｌｖｅｄ  Ｎｏｄｅ  Ｂ（ｅＮＢ）の送信タイミングを、前記免許不要無線周波数スペクトル帯域上で動作するように構成された少なくとも１つのユーザ機器（ＵＥ）のタイミングと周期的に同期させること
をさらに備える、Ｃ１３に記載の方法。
［Ｃ１９］
前記同期させることは、直交周波数分割多重（ＯＦＤＭ）シンボル境界、スロット境界、またはサブフレーム境界のうちの１つまたは複数において生じる、Ｃ１８に記載の方法。
［Ｃ２０］
前記ＵＥに対する前記許可に少なくとも部分的に基づいて、前記ＣＣＡに後続する期間に関して、前記免許不要無線周波数スペクトル帯域を通じた通信のためのいくつかのアップリンクサブフレームのタイミングを動的に決定すること
をさらに備え、
前記ダウンリンクデータを送信することは、前記ＣＣＡが成功したときに前記いくつかのアップリンクサブフレームの前記タイミングに従って前記免許不要無線周波数スペクトル帯域を通じてダウンリンクデータを送信することを備える、Ｃ１３に記載の方法。
［Ｃ２１］
前記ＣＣＡに後続する前記期間における複数のサブフレームの第１の部分は、ダウンリンク使用のために半静的に構成され、前記ＣＣＡに後続する前記期間における前記複数のサブフレームの残存部分は、前記許可に少なくとも部分的に基づいてアップリンク使用またはダウンリンク使用のために動的に構成される、Ｃ２０に記載の方法。
［Ｃ２２］
前記許可は、アップリンク送信のためのサブフレームを示すアップリンク許可を備え、
前記成功したＣＣＡは、前記ＣＣＡに後続する、前記許可によって示された前記サブフレームの前のサブフレームがダウンリンクサブフレームであることを示す、Ｃ１３に記載の方法。
［Ｃ２３］
ワイヤレス通信のための方法であって、
クリアチャネルアセスメント（ＣＣＡ）に後続する期間に関して第１の基地局において、第２の基地局から免許不要無線周波数スペクトル帯域を通じて時分割複信（ＴＤＤ）構成の指示を受信することと、ここにおいて、前記ＴＤＤ構成の前記指示が、連続数のダウンリンクサブフレームの指示、連続数のアップリンクサブフレームの指示、または免許不要無線周波数スペクトル帯域に関連付けられる許可のうちの少なくとも１つを備える、
前記アップリンクサブフレームの送信中に前記免許不要無線周波数スペクトル帯域にアクセスするのを控えることと
を備える方法。
［Ｃ２４］
前記許可を復号することと、
前記許可に少なくとも部分的に基づいて、前記免許不要無線周波数スペクトル帯域を通じた通信のためのフレームにおけるいくつかのアップリンクサブフレームのタイミングを動的に決定することと
をさらに備える、Ｃ２３に記載の方法。
［Ｃ２５］
アクセスするのを控えることは、
前記ＴＤＤ構成に少なくとも部分的に基づいてＣＣＡを行うのを控えること
を備える、Ｃ２３に記載の方法。
［Ｃ２６］
前記許可は、少なくともアップリンク許可、ダウンリンク許可、または両方を備える、Ｃ２３に記載の方法。
［Ｃ２７］
ワイヤレス通信のための装置であって、
免許不要無線周波数スペクトル帯域を通じて時分割複信（ＴＤＤ）構成の指示を受信するための手段と、ここにおいて、前記ＴＤＤ構成の前記指示が、連続数のダウンリンクサブフレームの指示、連続数のアップリンクサブフレームの指示、または免許不要無線周波数スペクトル帯域に関連付けられる許可のうちの少なくとも１つを備える、
前記ＴＤＤ構成に従ってアップリンク期間の初めに前記免許不要無線周波数スペクトル帯域に対してクリアチャネルアセスメント（ＣＣＡ）を行うための手段と、
前記ＣＣＡが成功したときに前記ＴＤＤ構成に従って前記免許不要無線周波数スペクトル帯域を通じて前記ＵＥからアップリンクデータを送信するための手段と
を備える装置。
［Ｃ２８］
前記ＴＤＤ構成は、複数の半静的ＴＤＤ構成から選択された半静的ＴＤＤ構成を備え、
前記ＴＤＤ構成の前記指示は、前記半静的ＴＤＤ構成に関連付けられるインデックスを備える、Ｃ２７に記載の装置。
［Ｃ２９］
フレーム中に第１のＴＤＤ構成から第２のＴＤＤ構成に遷移するための手段
をさらに備え、
前記ＴＤＤ構成の前記指示は、前記フレームに関する前記第１のＴＤＤ構成と前記第２のＴＤＤ構成の両方を示す、Ｃ２７に記載の装置。
［Ｃ３０］
前記ＣＣＡが成功したときに前記免許不要無線周波数スペクトル帯域を通じてプリアンブルを送信するための手段
をさらに備え、前記プリアンブルが、前記ＴＤＤ構成に従ったアップリンクサブフレームの開始を示す、Ｃ２７に記載の装置。
【図１】
0006622224.tif 000008
【図２】
0006622224.tif 000009
【図３】
0006622224.tif 000010
【図４】
0006622224.tif 000011
【図５】
0006622224.tif 000012
【図６】
0006622224.tif 000013
【図７】
0006622224.tif 000014
【図８】
0006622224.tif 000015
【図９】
0006622224.tif 000016
【図１０】
0006622224.tif 000017
【図１１】
0006622224.tif 000018
【図１２】
0006622224.tif 000019
【図１３】
0006622224.tif 000020
【図１４】
0006622224.tif 000021
【図１５】
0006622224.tif 000022
【図１６】
0006622224.tif 000023
【図１７】
0006622224.tif 000024
【図１８】
0006622224.tif 000025
【図１９】
0006622224.tif 000026
【図２０】
0006622224.tif 000027
【図２１】
0006622224.tif 000028
【図２２】
0006622224.tif 000029
【図２３】
0006622224.tif 000030
【図２４】
0006622224.tif 000031
【図２５】
0006622224.tif 000032
【図２６】
0006622224.tif 000033
【図２７】
0006622224.tif 000034
【図２８】
0006622224.tif 000035
【図２９】
0006622224.tif 000036
【図３０】
0006622224.tif 000037
【図３１】
0006622224.tif 000038
【図３２】
0006622224.tif 000039
【図３３】
0006622224.tif 000040
【図３４】
0006622224.tif 000041
【図３５】
0006622224.tif 000042